【手続補正書】
【提出日】平成19年6月15日(2007.6.15)
【手続補正１】
【補正対象書類名】特許請求の範囲
【補正対象項目名】全文
【補正方法】変更
【補正の内容】
【特許請求の範囲】
【請求項１】
ＩＰ網は複数の網ノード装置、複数の接続サーバ、複数の代理接続サーバ及び上位ドメイン名サーバＤＳを含み、前記網ノード装置、前記接続サーバ、前記代理接続サーバ及び上位ドメイン名サーバＤＳは内部通信回線により通信可能であり、前記ＩＰ網の外部に複数の無線基地局及び固定端末があり、無線基地局は移動端末から得た制御信号又はデータを含む外部ＩＰパケットを形成して網ノード装置に送信する機能を有し、端末Ｔ１は、通信回線Ｌ１を経て論理端子ＬＰＴ１で網ノード装Ｎ１に接続され、無線基地局Ｂ２は、通信回線Ｌ２を経て論理端子ＬＰＢ２で網ノード装Ｎ２に接続され、
前記網ノード装置Ｎ１は内部の装置制御表内に前記論理端子ＬＰＴ１を識別する識別情報を含む通信レコードＲ１を設定しており、前記網ノード装置Ｎ２は内部の装置制御表内に前記論理端子ＬＰＢ２を識別する識別情報を含む通信レコードＲ２を設定しており、
前記通信レコードＲ１は、前記端末Ｔ１の外部ＩＰアドレスＥＡＴ１、前記論理端子ＬＰＴ１の識別情報である内部ＩＰアドレスＩＡＴ１、代理接続サーバＰＸ１の外部ＩＰアドレスＥＡＸ１及び内部ＩＰアドレスＩＡＸ１を含み、前記通信レコードＲ２は、前記無線基地局Ｂ２の外部ＩＰアドレスＥＡＢ２、前記論理端子ＬＰＢ２の識別情報である内部ＩＰアドレスＩＡＢ２、代理接続サーバＰＸ２の外部ＩＰアドレスＥＡＸ２及び内部ＩＰアドレスＩＡＸ２を含み、前記網ノード装置Ｎ１及びＮ２は、前記通信回線Ｌ１又はＬ２から入力する外部ＩＰパケットに含まれるＩＰアドレスと、前記通信レコードＲ１又はＲ２に含まれるＩＰアドレスとを比較してアドレス条件を判定し、
前記アドレス条件が満たされると、前記網ノード装置Ｎ１又はＮ２は、前記外部ＩＰパケットをＩＰカプセル化することによって第１形式の内部ＩＰパケットを形成して送信し、前記内部ＩＰパケットの宛先アドレスは、前記内部ＩＰアドレスＩＡＸ１又は前記内部ＩＰアドレスＩＡＸ２であり、前記代理接続サーバＰＸ１又はＰＸ２は、前記内部ＩＰパケットを第２形式の内部ＩＰパケットに変換して接続サーバＳ１又はＳ２へ送信する機能を有し、第１形式の内部ＩＰパケットは逆ＩＰカプセル化して外部ＩＰパケットに復元可能であり、第２形式の内部ＩＰパケットは逆ＩＰカプセル化しない内部ＩＰパケットであり、前記接続サーバＳ１又はＳ２から送出された第２形式の内部ＩＰパケットは、それぞれ前記代理接続サーバＰＸ１又はＰＸ２で第１形式の内部ＩＰパケットに変換され、前記内部ＩＰパケットは、前記網ノード装置Ｎ１又はＮ２内の前記通信レコードＲ１又はＲ２が参照されて、逆ＩＰカプセル化されて外部ＩＰパケットとなって前記通信回線Ｌ１又はＬ２に送信されるようになっており、
端末間通信のために、端末Ｔ１は通信手順ＵＮＩ１が定める動作に従うように指定されており、端末Ｍ２は通信手順ＵＮＩ２が定める動作に従うように指定されており、前記通信手順は複数のステップから成り、
前記固定端末Ｔ１は、電話番号を用いて前記移動端末Ｍ２に接続要求するため、前記通信手順ＵＮＩ１の１番目のステップに従い、接続要求、前記端末Ｔ１の電話番号ＴＮＴ１及び前記端末Ｍ２の電話番号ＴＮＭ２を含み、前記代理接続サーバＰＸ１の外部ＩＰアドレスＥＡＸ１を宛先アドレスとする外部ＩＰパケット１を送信し、前記ＩＰパケット１は前記論理端子ＬＰＴ１から前記網ノード装置Ｎ１に入力し、
前記網ノード装置Ｎ１は、外部ＩＰパケット１に含まれるＩＰアドレスと、前記通信レコードＲ１に含まれるＩＰアドレスとを比較してアドレス条件を判定し、前記アドレス条件が満たされると、前記外部ＩＰパケット１をＩＰカプセル化することによって第１形式の内部ＩＰパケット１を形成して送信し、前記内部ＩＰパケット１の宛先アドレスは前記代理接続サーバＰＸ１の内部ＩＰアドレスＩＡＸ１であり、前記代理接続サーバＰＸ１は、前記内部ＩＰパケット１を第２形式の内部ＩＰパケット１に変換して前記接続サーバＳ１へ送信し、前記第２形式の内部ＩＰパケット１は前記接続サーバＳ１に到達し、前記通信手順ＵＮＩ１の１番目のステップが終了し、
前記接続サーバＳ１は、前記内部ＩＰパケット１から取得した前記電話番号ＴＮＴ１及びＴＮＭ２を前記上位ドメイン名サーバＤＳに提示し、前記端末Ｔ１との通信に適用する通信手順ＵＮＩ１、前記宛先端末Ｍ２との通信に適用する通信手順ＵＮＩ２及び前記宛先端末Ｍ２との通信に関わるアドレス情報を取得し、前記アドレス情報は、前記無線基地局Ｂ２の外部ＩＰアドレスＥＡＢ２、前記論理端子ＬＰＢ２の識別情報としての内部ＩＰアドレスＩＡＢ２及び前記無線基地局Ｂ２の接続制御を担う接続サーバＳ２の内部ＩＰアドレスであり、
前記接続サーバＳ１は、前記取得した通信手順ＵＮＩ１の２番目のステップの指定に従い、前記端末Ｔ１の正当性確認手順を行い前記通信手順ＵＮＩ１の２番目のステップが終了し、
前記接続サーバＳ１は前記電話番号ＴＮＴ１及びＴＮＭ２から回線番号ＣＮＴ１Ｍ２を定め、前記通信手順ＵＮＩ１、前記電話番号ＴＮＴ１及びＴＮＭ２、前記回線番号ＣＮＴ１Ｍ２、前記端末Ｔ１の外部ＩＰアドレスＥＡＴ１及び前記無線基地局Ｂ２の外部ＩＰアドレスＥＡＢ２、前記論理端子ＬＰＴ１を識別するための内部ＩＰアドレスＩＡＴ１及び前記論理端子ＬＰＢ２の識別情報としての内部ＩＰアドレスＩＡＢ２の組を回線管理表ＣＭ１に記録し、以降、前記接続サーバＳ１は前記端末Ｔ１に適用する通信手順を前記回線管理表ＣＭ１から取得し、
前記接続サーバＳ１は前記接続要求及び前記回線番号ＣＮＴ１Ｍ２を含む初期アドレスメッセージを前記接続サーバＳ２へ送信し、
前記接続サーバＳ２は前記初期アドレスメッセージから前記電話番号ＴＮＴ１及びＴＮＭ２、前記回線番号ＣＮＴ１Ｍ２、前記外部ＩＰアドレスＥＡＴ１及びＥＡＢ２、前記内部ＩＰアドレスＩＡＴ１及びＩＡＢ２を取得し、これら電話番号、回線番号及びアドレスの組を回線管理表ＣＭ２に記録し、以降、前記接続サーバＳ２は前記宛先端末Ｍ２に適用する通信手順を前記回線管理表ＣＭ２から取得し、
前記接続サーバＳ２は前記宛先端末Ｍ２の着信可能又は着信不可能の区分を示す着信可否情報を調べ、前記接続サーバＳ２は、前記端末Ｍ２が着信可能であれば前記通信手順ＵＮＩ２の１番目のステップに従い、前記接続要求に基づく着信通知及び前記電話番号ＴＮＭ２を含む第２形式の内部ＩＰパケット２を形成して送信し、前記内部ＩＰパケット２は前記代理接続サーバＰＸ２で第１形式の内部ＩＰパケット２に変換され、前記網ノード装置Ｎ２で前記通信レコードＲ２が参照され前記着信通知を含む外部ＩＰパケット２ａに変換されて前記無線基地局Ｂ２に到達し、前記無線基地局Ｂ２は着信仮通知を前記端末Ｍ２に送信し、前記端末Ｍ２との間に無線通信路ＲＣ２を確保し、前記端末Ｍ２は端末正当性報告Ａ２を前記無線基地局Ｂ２に送信し、前記無線基地局Ｂ２は前記端末正当性報告Ａ２を含む外部ＩＰパケット２ｂを形成して送信し、前記外部ＩＰパケット２ｂの宛先アドレスは前記代理接続サーバＰＸ２の外部ＩＰアドレスＥＡＸ２であり、
前記外部ＩＰパケット２ｂは前記網ノード装置Ｎ２で第１形式の内部ＩＰパケット２ｂとなり、前記代理接続サーバＰＸ２で第２形式の内部ＩＰパケット２ｂとなって前記接続サーバＳ２に到達し、前記接続サーバＳ２は前記端末正当性報告に基づいて端末認証合否を含む第２形式の内部ＩＰパケット２ｃを送信し、前記内部ＩＰパケット２ｃは前記代理接続サーバＰＸ２で第１形式の内部ＩＰパケット２ｃとなり、前記網ノード装置Ｎ２で外部ＩＰパケット２ｃに変換されて前記無線基地局Ｂ２に到達し、前記無線基地局Ｂ２は前記端末認証合否を前記端末Ｍ２に送信し、前記通信手順ＵＮＩ２の１番目のステップが終了し、
前記接続サーバＳ２は、着信可否通知及び前記回線番号ＣＮＴ１Ｍ２を含むアドレス完了メッセージを形成して前記接続サーバＳ１へ送信し、前記接続サーバＳ１は前記アドレス完了メッセージを受信し、
前記端末Ｍ２は、前記通信手順ＵＮＩ２の２番目のステップに従い、応答準備開始を知らせる呼出中通知を前記無線通信路ＲＣ２経由で前記無線基地局Ｂ２に送信し、前記無線基地局Ｂ２は前記呼出中通知を含み、前記代理接続サーバＰＸ２の外部ＩＰアドレスＥＡＸ２を宛先アドレスとする外部ＩＰパケット３を形成して送信し、前記外部ＩＰパケット３は前記通信回線Ｌ２を経て前記網ノードＮ２に入力し、前記外部ＩＰパケット３に含まれるＩＰアドレスと、前記通信レコードＲ２に含まれるＩＰアドレスとを比較してアドレス条件が判定され、前記アドレス条件が満たされると、前記外部ＩＰパケット３はＩＰカプセル化されて前記呼出中通知を含む第１形式の内部ＩＰパケット３となり、前記代理接続サーバＰＸ２で第２形式の内部ＩＰパケット３になって前記接続サーバＳ２に到達し、前記通信手順ＵＮＩ２の２番目のステップが終了し、
前記接続サーバＳ２は、前記呼出中通知及び前記回線番号ＣＮＴ１Ｍ２を含む呼経過メッセージを形成して前記接続サーバＳ１へ送信し、前記接続サーバＳ１は前記呼経過メッセージを受信し、
前記接続サーバＳ１は、前記通信手順ＵＮＩ１の３番目のステップに従って前記呼出中通知を含む第２形式の内部ＩＰパケット４を形成して送信し、前記内部ＩＰパケット４は前記代理接続サーバＰＸ１で第１形式の内部ＩＰパケット４となり、前記網ノード装置Ｎ１で前記通信レコードＲ１が参照され、前記内部ＩＰパケット４は、前記呼出中通知を含む外部ＩＰパケット４となって、前記通信回線Ｌ１を経て前記端末Ｔ１に到達し、前記通信手順ＵＮＩ１の３番目のステップが終了し、
前記端末Ｍ２が、前記通信手順ＵＮＩ２の３番目のステップに従って応答を知らせる応答通知を前記無線通信路ＲＣ２経由で送信し、前記無線基地局Ｂ２は前記応答通知及び前記電話番号ＴＮＭ２に対応するポート番号ＰＮ２を含む外部ＩＰパケット５を形成して送信し、前記外部ＩＰパケット５は前記通信回線Ｌ２を経て前記網ノード装置Ｎ２に入力し、前記外部ＩＰパケット５に含まれるＩＰアドレスと、前記通信レコードＲ２に含まれるＩＰアドレスとを比較してアドレス条件が判定され、前記アドレス条件が満たされると、前記外部ＩＰパケット５はＩＰカプセル化されて前記応答通知を含む第１形式の内部ＩＰパケット５となり、前記代理接続サーバＰＸ２で第２形式の前記応答通知を含む内部ＩＰパケット５になって前記接続サーバＳ２に到達し、前記通信手順ＵＮＩ２の３番目のステップが終了し、
前記接続サーバＳ２は、前記応答通知、前記回線番号ＣＮＴ１Ｍ２及び前記ポート番号ＰＮ２を含む応答メッセージを形成して前記接続サーバＳ１へ送信し、前記接続サーバＳ１は前記応答メッセージを受信し、
前記接続サーバＳ１は、前記通信手順ＵＮＩ１の４番目のステップに従い、前記応答通知、前記無線基地局Ｂ２の外部ＩＰアドレスＥＡＢ２及び前記ポート番号ＰＮ２を含む第２形式の内部ＩＰパケット６を形成して送信し、前記内部ＩＰパケット６は前記代理接続サーバＰＸ１で第１形式の内部ＩＰパケット６に変換され、前記網ノード装置Ｎ１で前記通信レコードＲ１が参照され、前記応答通知、前記外部ＩＰアドレスＥＡＢ２及び前記ポート番号ＰＮ２を含む外部ＩＰパケット６に変換され、前記外部ＩＰパケット６は前記通信回線Ｌ１を経て前記端末Ｔ１に送信され、前記通信手順ＵＮＩ１の４番目のステップが終了し、
前記端末Ｔ１への前記応答通知の送信により端末間通信用の通信レコードの設定が可能となり、前記接続サーバＳ１は前記網ノード装置Ｎ１に対して通信レコードＲ１２の設定を指示し、前記接続サーバＳ２は前記網ノード装置Ｎ２に対して通信レコードＲ２１の設定を指示し、
前記通信レコードＲ１２及びＲ２１は、いずれも前記外部ＩＰアドレスＥＡＴ１、前記外部ＩＰアドレスＥＡＢ２、前記内部ＩＰアドレスＩＡＴ１及びＩＡＢ２を含み、前記通信レコードＲ１２及びＲ２１は、前記網ノード装置Ｎ１及びＮ２の間に内部ＩＰパケットが転送される通信パスＰ１２を定めており、
前記端末Ｔ１は、前記外部ＩＰアドレスＥＡＴ１を送信元アドレス、前記外部ＩＰアドレスＥＡＢ２を宛先アドレス，前記ポート番号ＰＮ２を宛先ポート番号とし、音声又はデータを含む外部ＩＰパケット７を形成して送信し、前記外部ＩＰパケット７は前記通信回線Ｌ１を転送されて、前記論理端子ＬＰＴ１から前記網ノード装置Ｎ１に入力し、前記外部ＩＰパケット７に含まれるＩＰアドレスと、前記論理端子ＬＰＴ１により識別される前記通信レコードＲ１２に含まれるＩＰアドレスとを比較してアドレス条件が判定され、前記アドレス条件が満たされると前記外部ＩＰパケット７はＩＰカプセル化され、前記内部ＩＰアドレスＩＡＢ２を宛先アドレスとする内部ＩＰパケット７に変換されて前記通信パスＰ１２を転送され、前記網ノード装置Ｎ２で前記通信レコードＲ２１が参照されて逆ＩＰカプセル化され、復元した前記外部ＩＰパケット７が前記通信回線Ｌ２を経て前記無線基地局Ｂ２に到達し，前記無線基地局Ｂ２は、前記外部ＩＰパケット７から取得した前記音声又はデータを前記無線通信路ＲＣ２を経て前記端末Ｍ２に送信し、前記端末Ｍ２から送信された音声又はデータは前記無線基地局Ｂ２に到達すると外部ＩＰパケット８に格納され、前記外部ＩＰパケット８は前記網ノード装置Ｎ２でＩＰカプセル化されて前記通信パスＰ１２を転送され、前記網ノード装置Ｎ１で逆ＩＰカプセル化され、復元した前記外部ＩＰパケット８が前記通信回線Ｌ１経由で前記端末Ｔ１に到達し、
前記端末Ｔ１が、通信解放通知を含み前記代理接続サーバＰＸ１の外部ＩＰアドレスＥＡＸ１を宛先アドレスとする外部ＩＰパケット９を送信し、前記外部ＩＰパケット９は、前記網ノード装置Ｎ１を経て前記通信解放通知を含む内部ＩＰパケット９になって前記接続サーバＳ１に到達し、前記通信手順ＵＮＩ１の５番目のステップが終了し、
前記接続サーバＳ１は、前記通信解放通知及び前記回線番号ＣＮＴ１Ｍ２を含む解放メッセージを形成して前記接続サーバＳ２へ送信し、前記接続サーバＳ２は前記解放メッセージを受信すると、前記解放メッセージの受信確認及び前記回線番号ＣＮＴ１Ｍ２を含む解放完了メッセージを形成して前記接続サーバＳ１へ送信し、前記接続サーバＳ１は前記解放完了メッセージを受信し、
前記接続サーバＳ２は、前記通信手順ＵＮＩ２の４番目のステップに従い、前記解放メッセージに基づく解放指示を含む内部ＩＰパケット１０を形成して前記端末Ｍ２に向けて送信し、前記内部ＩＰパケット１０は前記網ノード装置Ｎ２で前記解放指示を含む外部ＩＰパケット１０となって前記無線基地局Ｂ２に到達し、前記無線基地局Ｂ２は前記解放指示を前記無線通信路ＲＣ２経由で前記移動端末Ｍ２に送信し、前記通信手順ＵＮＩ２の４番目のステップが終了し、前記接続サーバＳ１は前記通信レコードＲ１２の抹消を指示し、前記接続サーバＳ２は前記通信レコードＲ２１の抹消を指示し、
接続サーバは端末種別毎に異なる通信手順に従って端末と通信し、前記通信手順の区分は上位ドメイン名サーバから取得し、接続要求毎にＩＰ網内に通信パスを設定し、端末が送信した外部ＩＰパケットはＩＰカプセル化され内部ＩＰパケットとなって前記通信パスを転送され、通信終了後は前記通信パスが解放され、ＩＰ網は通信レコードが定めるアドレス条件を満たさない外部ＩＰパケットを廃棄してＩＰ網の安全性を確保し、電話番号を用いて固定端末から移動端末への通信を行うことを特徴とするＩＰ網を用いた通信システム。
【請求項２】
前記代理接続サーバＰＸ１及び前記接続サーバＳ１を一体化して接続サーバＳ１ｘとし、前記接続サーバＳ１ｘの外部ＩＰアドレスは前記外部ＩＰアドレスＥＡＸ１であり、前記代理接続サーバＰＸ２及び前記接続サーバＳ２を一体化して接続サーバＳ２ｘとして実施し、前記接続サーバＳ２ｘの外部ＩＰアドレスは前記外部ＩＰアドレスＥＡＸ２であり、前記接続サーバＳ１ｘは前記網ノード装置Ｎ１との間で第１形式の内部ＩＰパケットを送受し、前記接続サーバＳ２ｘは前記網ノード装置Ｎ２との間で前記第１形式の内部ＩＰパケットを送受するようになっている請求項１に記載のＩＰ網を用いた通信システム。
【請求項３】
前記接続サーバＳ１及びＳ２を接続サーバＸとして一体化し、前記代理接続サーバＰＸ１及びＰＸ２はそれぞれ前記接続サーバＸとの間で第２形式の内部ＩＰパケットを送受可能であり、前記接続サーバＸが前記初期アドレスメッセージ、前記アドレス完了メッセージ、前記呼経過メッセージ、前記応答メッセージ、前記解放メッセージ、前記解放完了メッセージをそれぞれ送信又は受信する手順を省いている請求項１に記載のＩＰ網を用いた通信システム。
【請求項４】
前記接続サーバＳ１及びＳ２、前記代理接続サーバＰＸ１及びＰＸ２の全てを接続サーバＹとして一体化し、前記接続サーバＹは網ノード装置との間で第１形式の内部ＩＰパケットを送受可能であり、前記接続サーバＸが前記初期アドレスメッセージ、前記アドレス完了メッセージ、前記呼経過メッセージ、前記応答メッセージ、前記解放メッセージ、前記解放完了メッセージをそれぞれ送信又は受信する手順を省いている請求項１に記載のＩＰ網を用いた通信システム。
【請求項５】
前記ＩＰ網が前記接続サーバＳ１及びＳ２、前記代理接続サーバＰＸ１及びＰＸ２の全ての機能を実施し、前記接続サーバＳ１及び前記端末Ｔ１との間の通信は前記ＩＰ網及び前記端末Ｔ１の間の通信であり、前記接続サーバＳ２及び前記無線基地局Ｂ２経由の前記端末Ｍ２との間の通信は、前記ＩＰ網及び前記無線基地局Ｂ２経由の前記端末Ｍ２との間の通信である請求項１に記載のＩＰ網を用いた通信システム。
【請求項６】
ＩＰ網は複数の網ノード装置、接続サーバ及びドメイン名サーバを含み、無線基地局Ｂ１は通信回線Ｌ１を経て論理端子ＬＰＢ１で網ノード装置Ｎ１に接続され、無線基地局Ｂ２は通信回線Ｌ２を経て論理端子ＬＰＢ２で網ノード装置Ｎ２に接続され、
前記網ノード装置Ｎ１は内部の装置制御表Ｈ１内に前記論理端子ＬＰＢ１を識別する識別情報を含む通信レコードＲ１を設定しており、前記網ノード装置Ｎ２は内部の装置制御表Ｈ２内に前記論理端子ＬＰＢ２を識別する識別情報を含む通信レコードＲ２を設定しており、
前記網ノード装置Ｎ１又はＮ２は、前記論理端子ＬＰＢ１又はＬＰＢ２から入力する外部ＩＰパケットに含まれるＩＰアドレスと、前記通信レコードＲ１又はＲ２に含まれるＩＰアドレスとを比較してアドレス条件を判定し、前記アドレス条件が満たされると、前記外部ＩＰパケットをＩＰカプセル化した内部ＩＰパケットを接続サーバＳ１又はＳ２へ送信する機能を有し、
移動端末Ｍ１は前記無線基地局Ｂ１と通信して無線通信路ＲＣ１を確保し、電話番号を用いて移動端末Ｍ２に接続要求するため、接続要求、前記端末Ｍ１の電話番号ＴＮＭ１及び前記端末Ｍ２の電話番号ＴＮＭ２を含む外部ＩＰパケット１を形成して前記無線基地局Ｂ１経由で前記網ノード装置Ｎ１へ送信し、
前記網ノード装置Ｎ１は、前記外部ＩＰパケット１に含まれるＩＰアドレスと、前記通信レコードＲ１に含まれるＩＰアドレスとを比較してアドレス条件を判定し、前記アドレス条件が満たされると、前記外部ＩＰパケット１がＩＰカプセル化された内部ＩＰパケット１が前記接続サーバＳ１へ送信され、
前記接続サーバＳ１は、前記内部ＩＰパケット１から取得した前記電話番号ＴＮＭ２を上位ドメイン名サーバＤＳに提示し、前記宛先端末Ｍ２との通信に関わるアドレス情報を取得し、前記アドレス情報は前記端末Ｍ２の外部ＩＰアドレスＥＡＭ２、前記論理端子ＬＰＢ２の識別情報としての内部ＩＰアドレスＩＡＢ２及び前記接続サーバＳ２のアドレスであり、
前記接続サーバＳ１は前記端末Ｍ１と端末認証用情報を交換して前記端末Ｍ１の正当性確認手順を行い、
前記接続サーバＳ１は前記電話番号ＴＮＭ１及びＴＮＭ２から回線番号ＣＮＭ１Ｍ２を定め、前記電話番号ＴＮＭ１及びＴＮＭ２、前記回線番号ＣＮＭ１Ｍ２の組を回線管理表ＣＭ１に記録し、
前記接続サーバＳ１は前記接続要求を含む初期アドレスメッセージを前記接続サーバＳ２へ送信し、前記接続サーバＳ２は前記初期アドレスメッセージから前記電話番号ＴＮＭ１及びＴＮＭ２、前記回線番号ＣＮＭ１Ｍ２を取得し、これらの組を回線管理表ＣＭ２に記録し、
前記接続サーバＳ２は前記着信通知を含む内部パケット２ａを送信し、前記内部パケット２ａは前記網ノード装置Ｎ２で前記通信レコードＲ２が参照され外部ＩＰパケット２ａに変換されて前記無線基地局Ｂ２に到達し、前記無線基地局Ｂ２は無線通信路ＲＣ２を確保し、前記接続サーバＳ２は前記無線基地局Ｂ２及び前記無線通信路ＲＣ２経由で前記端末Ｍ２と端末認証用情報を交換して前記端末Ｍ２の正当性確認手順を行い、前記端末Ｍ２は前記着信通知を受信し、
前記接続サーバＳ２は着信可否通知を含むアドレス完了メッセージを前記接続サーバＳ１へ送信し、
前記端末Ｍ２は応答準備開始を知らせる呼出中通知を含む外部ＩＰパケット３を形成して送信し、前記外部ＩＰパケット３は、その内部に含まれるＩＰアドレスと、前記通信レコードＲ２に含まれるＩＰアドレスとを比較してアドレス条件が判定され、前記アドレス条件が満たされると、内部パケット３になって前記接続サーバＳ２に到達し、
前記接続サーバＳ２は前記呼出中通知を含む呼経過メッセージを形成して前記接続サーバＳ１へ送信し、前記接続サーバＳ１は、前記呼出中通知を含む内部パケット４を送信し、前記内部パケット４は前記網ノード装置Ｎ１で前記通信レコードＲ１が参照され外部ＩＰパケット４に変換され前記無線基地局Ｂ１を経て前記端末Ｍ１に到達し、
前記端末Ｍ２は応答を知らせる応答通知含む外部ＩＰパケット５を形成して送信し、前記外部ＩＰパケット５は、その内部に含まれるＩＰアドレスと、前記通信レコードＲ２に含まれるＩＰアドレスとを比較してアドレス条件が判定され、前記アドレス条件が満たされると、内部パケット５になって前記接続サーバＳ２に到達し、
前記接続サーバＳ２は前記応答通知を含む応答メッセージを形成して前記接続サーバＳ１へ送信し、前記接続サーバＳ１は前記応答通知及び前記端末Ｍ２の外部ＩＰアドレスＥＡＭ２を含む内部パケット６を送信し、前記内部パケット６は前記網ノード装置Ｎ１で前記通信レコードＲ１が参照され外部ＩＰパケット６に変換されて前記無線基地局Ｂ１を経て前記端末Ｍ１に到達し、
前記端末Ｍ１への前記応答通知の送信により、端末間通信用の通信レコードの設定が可能となり、前記接続サーバＳ１は前記網ノード装置Ｎ１に対して通信レコードＲ１２の設定を指示し、前記接続サーバＳ２は前記網ノード装置Ｎ２に対して通信レコードＲ２１の設定を指示し、前記通信レコードＲ１２及びＲ２１は前記網ノード装置Ｎ１及びＮ２の間に内部ＩＰパケットが転送される通信パスＰ１２を定めており、
前記端末Ｍ１が前記端末Ｍ２の外部ＩＰアドレスＥＡＭ２を宛先アドレスとするＩＰパケット７を送信すると、前記外部ＩＰパケット７は、その内部に含まれるＩＰアドレスと、前記論理端子ＬＰＢ１により識別される前記通信レコードＲ１２に含まれるＩＰアドレスとを比較してアドレス条件が判定され、前記アドレス条件が満たされるとＩＰカプセル化され、前記内部ＩＰアドレスＩＡＢ２を宛先アドレスとする内部ＩＰパケット７に変換されて前記通信パスＰ１２を転送され、前記網ノード装置Ｎ２で前記通信レコードＲ２１が参照され、逆ＩＰカプセル化されて復元された前記外部ＩＰパケット７が前記無線基地局Ｂ２を経て前記端末Ｍ２に到達し、
前記端末Ｍ１が通信解放通知を含む外部ＩＰパケット９を前記接続サーバＳ１に向けて送信すると、前記外部ＩＰパケット９は前記網ノード装置Ｎ１で前記通信解放通知を含む内部ＩＰパケット９になって前記接続サーバＳ１に到達し、前記接続サーバＳ１は前記通信解放通知を含む解放メッセージを前記接続サーバＳ２へ送信し、前記接続サーバＳ２は解放完了メッセージを前記接続サーバＳ１へ送信し、
前記接続サーバＳ２が解放指示を含む内部パケット１０を前記端末Ｍ２に向けて送信すると、前記内部パケット１０は前記網ノード装置Ｎ２で外部パケット１０となって前記無線基地局Ｂ２を経て前記端末Ｍ２に到達し、前記接続サーバＳ１及びＳ２は前記通信レコードＲ１２又はＲ２１の抹消を指示し、
接続要求毎にＩＰ網内に通信パスを設定し、移動端末が送信した外部ＩＰパケットは内部パケットとなって前記通信パスを転送され、通信終了後は前記通信パスが解放され、ＩＰ網は通信レコードが定めるアドレス条件を満たさない外部ＩＰパケットを廃棄して安全性を確保し、移動端末間通信を可能としたことを特徴とするＩＰ網を用いた通信システム。
【請求項７】
ＩＰ網は複数の網ノード装置、接続サーバ及びドメイン名サーバを含み、無線基地局Ｂ１は通信回線Ｌ１を経て論理端子ＬＰＢ１で網ノード装置Ｎ１に接続され、無線基地局Ｂ２は通信回線Ｌ２を経て論理端子ＬＰＢ２で網ノード装置Ｎ２に接続され、
前記網ノード装置Ｎ１は内部の装置制御表Ｈ１内に前記論理端子ＬＰＢ１を識別する識別情報を含む通信レコードＲ１を設定しており、前記網ノード装置Ｎ２は内部の装置制御表Ｈ２内に前記論理端子ＬＰＢ２を識別する識別情報を含む通信レコードＲ２を設定しており、
前記網ノード装置Ｎ１又はＮ２は、前記論理端子ＬＰＢ１又はＬＰＢ２から入力する外部ＩＰパケットに含まれるＩＰアドレスと、前記通信レコードＲ１又はＲ２に含まれるＩＰアドレスとを比較してアドレス条件を判定し、前記アドレス条件が満たされると、前記外部ＩＰパケットをＩＰカプセル化した内部ＩＰパケットを接続サーバＳ１又はＳ２へ送信する機能を有し、
移動端末Ｍ１は前記無線基地局Ｂ１と通信して無線通信路ＲＣ１を確保し、電話番号を用いて移動端末Ｍ２に接続要求するため、前記端末Ｍ２の電話番号ＴＮＭ２を含む接続要求を前記無線基地局Ｂ１に送信し、前記無線基地局Ｂ１は前記接続要求、前記端末Ｍ１の電話番号ＴＮＭ１及び前記電話番号ＴＮＭ２を含む外部ＩＰパケット１を形成して接続サーバＳ１へ向けて送信し、前記網ノード装置Ｎ１は、前記外部ＩＰパケット１に含まれるＩＰアドレスと、前記通信レコードＲ１に含まれるＩＰアドレスとを比較してアドレス条件を判定し、前記アドレス条件が満たされると、前記外部ＩＰパケット１がＩＰカプセル化された内部ＩＰパケット１が前記接続サーバＳ１へ送信され、
前記接続サーバＳ１は前記内部ＩＰパケット１から前記電話番号ＴＮＭ１及びＴＮＭ２を取得し、前記電話番号ＴＮＭ２を上位ドメイン名サーバＤＳに提示し、
前記宛先端末Ｍ２との通信に関わるアドレス情報を取得し、前記アドレス情報は前記無線基地局Ｂ２の外部ＩＰアドレスＥＡＢ２、前記論理端子ＬＰＢ２の識別情報としての内部ＩＰアドレスＩＡＢ２、前記接続サーバＳ２のアドレスであり、
前記接続サーバＳ１は前記端末Ｍ１と端末認証用情報を交換して前記端末Ｍ１の正当性確認手順を行い、
前記接続サーバＳ１は前記電話番号ＴＮＭ１及びＴＮＭ２から回線番号ＣＮＭ１Ｍ２を定め、前記電話番号ＴＮＭ１及びＴＮＭ２、前記回線番号ＣＮＭ１Ｍ２の組を回線管理表ＣＭ１に記録し、
前記接続サーバＳ１は前記接続要求を含む初期アドレスメッセージを前記接続サーバＳ２へ送信し、前記接続サーバＳ２は前記初期アドレスメッセージから前記電話番号ＴＮＭ１及びＴＮＭ２、前記回線番号ＣＮＭ１Ｍ２を取得し、これらの組を回線管理表ＣＭ２に記録し、
前記接続サーバＳ２は前記着信通知を含む内部パケット２ａを送信し、前記内部パケット２ａは前記網ノード装置Ｎ２で前記通信レコードＲ２が参照され外部ＩＰパケット２ａに変換されて前記無線基地局Ｂ２に到達し、前記無線基地局Ｂ２は無線通信路ＲＣ２を確保し、前記接続サーバＳ２は前記無線基地局Ｂ２及び前記無線通信路ＲＣ２経由で前記端末Ｍ２と端末認証用情報を交換して前記端末Ｍ２の正当性を確認し、前記端末Ｍ２は前記着信通知を受信し、
前記接続サーバＳ２は着信可否通知を含むアドレス完了メッセージを前記接続サーバＳ１へ送信し、
前記端末Ｍ２は応答準備開始を知らせる呼出中通知を前記無線基地局Ｂ２に送信し、前記無線基地局Ｂ２は前記呼出中通知を含む外部ＩＰパケット３を形成して送信し、前記外部ＩＰパケット３は、その内部に含まれるＩＰアドレスと、前記通信レコードＲ２に含まれるＩＰアドレスとを比較してアドレス条件が判定され、前記アドレス条件が満たされると、内部パケット３になって前記接続サーバＳ２に到達し、
前記接続サーバＳ２は前記呼出中通知を含む呼経過メッセージを形成して前記接続サーバＳ１へ送信し、前記接続サーバＳ１は前記呼出中通知を含む内部パケット４を送信し、前記内部パケット４は前記網ノード装置Ｎ１で前記通信レコードＲ１が参照され、外部ＩＰパケット４に変換されて前記無線基地局Ｂ１に到達し、前記無線基地局Ｂ１は前記呼出中通知を前記無線通信路ＲＣ１経由で前記端末Ｍ１に送信し、
前記端末Ｍ２は応答を知らせる応答通知を前記無線基地局Ｂ２に送信し、前記無線基地局Ｂ２は前記応答通知を含む外部ＩＰパケット５を形成して送信し、前記外部ＩＰパケット５に含まれるＩＰアドレスと、前記通信レコードＲ２に含まれるＩＰアドレスとを比較してアドレス条件が判定され、前記アドレス条件が満たされると内部パケット５となって前記接続サーバＳ２に到達し、
前記接続サーバＳ２は前記応答通知を含む応答メッセージを形成して前記接続サーバＳ１へ送信し、前記接続サーバＳ１は前記応答通知及び前記外部ＩＰアドレスＥＡＢ２を含む内部パケット６を形成して送信し、前記内部ＩＰパケット６は前記網ノード装置Ｎ１で前記通信レコードＲ１が参照され、外部ＩＰパケット６に変換されて前記無線基地局Ｂ１に到達し、前記無線基地局Ｂ１は前記外部ＩＰアドレスＥＡＢ２を保持し、前記応答通知を前記無線通信路ＲＣ１経由で端末Ｍ１に送信し、
前記端末Ｍ１への前記応答通知の送信により、端末間通信用の通信レコードの設定が可能となり、前記接続サーバＳ１は前記網ノード装置Ｎ１に対して通信レコードＲ１２の設定を指示し、前記接続サーバＳ２は前記網ノード装置Ｎ２に対して通信レコードＲ２１の設定を指示し、前記通信レコードＲ１２及びＲ２１は前記網ノード装置Ｎ１及びＮ２の間に内部ＩＰパケットが転送される通信パスＰ１２を定めており、
前記端末Ｍ１は音声又はデータを無線基地局Ｂ１に送信し、前記無線基地局Ｂ１は前記音声又はデータを含み、前記無線基地局Ｂ２の外部ＩＰアドレスＥＡＢ２を宛先アドレスとするＩＰパケット７を形成して送信し、
前記外部ＩＰパケット７は、その内部に含まれるＩＰアドレスと、前記論理端子ＬＰＢ１により識別される前記通信レコードＲ１２に含まれるＩＰアドレスとが比較されてアドレス条件が判定され、前記アドレス条件が満たされるとＩＰカプセル化され、前記内部ＩＰアドレスＩＡＢ２を宛先アドレスとする内部ＩＰパケット７に変換されて前記通信パスＰ１２を転送され、前記網ノード装置Ｎ２で前記通信レコードＲ２１が参照され、逆ＩＰカプセル化されて復元された前記外部ＩＰパケット７が前記無線基地局Ｂ２に到達し、前記無線基地局Ｂ２は前記外部ＩＰパケット７から取得した前記音声又はデータを前記無線通信路ＲＣ２経由で前記端末Ｍ２に送信し、
前記端末Ｍ１は、通信解放通知を前記無線基地局Ｂ１へ送信し、前記無線基地局Ｂ１は前記通信解放通知含む外部ＩＰパケット９を形成して前記接続サーバＳ１に送信すると、前記外部ＩＰパケット９は前記網ノード装置Ｎ１で前記通信解放通知を含む内部ＩＰパケット９になって前記接続サーバＳ１に到達し、前記接続サーバＳ１は前記通信解放通知を含む解放メッセージを前記接続サーバＳ２へ送信し、前記接続サーバＳ２は解放完了メッセージを前記接続サーバＳ１へ送信し、
前記接続サーバＳ２は解放指示を含む内部パケット１０を前記無線基地局Ｂ２に向けて送信し、前記無線基地局Ｂ２は解放指示を含む外部ＩＰパケットを受信し、前記解放指示を前記端末Ｍ２に向けて送信し、前記接続サーバＳ１及びＳ２は前記通信レコードＲ１２又はＲ２１の抹消を指示し、
接続サーバは接続要求毎にＩＰ網内に通信パスを設定し、移動端末が送信した外部ＩＰパケットは内部パケットとなって前記通信パスを転送され、通信終了後は前記通信パスが解放され、ＩＰ網は通信レコードが定めるアドレス条件を満たさない外部ＩＰパケットを廃棄して安全性を確保し、電話番号を用いた移動端末間通信を可能としたことを特徴とするＩＰ網を用いた通信システム。
【請求項８】
ＩＰ網は複数の網ノード装置、接続サーバ及びドメイン名サーバを含み、無線基地局Ｂ１は通信回線Ｌ１を経て論理端子ＬＰＢ１で網ノード装置Ｎ１に接続され、固定端末Ｔ２は通信回線Ｌ２を経て論理端子ＬＰＴ２で網ノード装置Ｎ２に接続され、
前記網ノード装置Ｎ１は内部の装置制御表Ｈ１内に前記論理端子ＬＰＢ１を識別する識別情報を含む通信レコードＲ１を設定しており、前記網ノード装置Ｎ２は内部の装置制御表Ｈ２内に前記論理端子ＬＰＴ２を識別する識別情報を含む通信レコードＲ２を設定しており、
前記網ノード装置Ｎ１又はＮ２は、前記論理端子ＬＰＢ１又はＬＰＴ２から入力する外部ＩＰパケットに含まれるＩＰアドレスと、前記通信レコードＲ１又はＲ２に含まれるＩＰアドレスとを比較してアドレス条件を判定し、前記アドレス条件が満たされると、前記外部ＩＰパケットをＩＰカプセル化した内部ＩＰパケットを接続サーバＳ１又はＳ２へ送信する機能を有し、
移動端末Ｍ１は前記無線基地局Ｂ１と通信して無線通信路ＲＣ１を確保し、電話番号を用いて固定端末Ｔ２に接続要求するため、接続要求、前記端末Ｍ１の電話番号ＴＮＭ１及び前記端末Ｔ２の電話番号ＴＮＴ２を含む外部ＩＰパケット１を形成して前記無線基地局Ｂ１経由で接続サーバＳ１へ向けて送信し、前記外部ＩＰパケット１は前記網ノード装置Ｎ１で内部ＩＰパケット１となって前記接続サーバＳ１に到達し、
前記接続サーバＳ１は前記内部ＩＰパケット１から前記電話番号ＴＮＭ１及びＴＮＴ２を取得し、前記電話番号ＴＮＴ２を上位ドメイン名サーバＤＳに提示し、前記宛先端末Ｔ２との通信に関わるアドレス情報を取得し、前記アドレス情報は前記端末Ｔ２の外部ＩＰアドレスＥＡＴ２、前記論理端子ＬＰＴ２の識別情報としての内部ＩＰアドレスＩＡＴ２及び前記接続サーバＳ２の内部ＩＰアドレスであり、
前記接続サーバＳ１は前記端末Ｍ１と端末認証用情報を交換して前記端末Ｍ１の正当性を確認し、
前記接続サーバＳ１は前記電話番号ＴＮＭ１及びＴＮＴ２から回線番号ＣＮＭ１Ｔ２を定め、少なくとも前記電話番号ＴＮＭ１及びＴＮＴ２、前記回線番号ＣＮＭ１Ｔ２の組を回線管理表ＣＭ１に記録し、
前記接続サーバＳ１は前記接続要求を含む初期アドレスメッセージを前記接続サーバＳ２へ送信し、前記接続サーバＳ２は前記初期アドレスメッセージから前記電話番号ＴＮＭ１及びＴＮＴ２、前記回線番号ＣＮＭ１Ｔ２を取得し、これらの組を回線管理表ＣＭ２に記録し、
前記端末Ｔ２が着信可能であれば、前記接続サーバＳ２は着信通知を含む内部ＩＰパケット２を前記端末Ｔ２に向けて送信し、前記端末Ｔ２は前記着信通知を含む外部ＩＰパケット２を受信し、
前記接続サーバＳ２は着信可否通知を含むアドレス完了メッセージを前記接続サーバＳ１へ送信し、
前記端末Ｔ２は応答準備開始を知らせる呼出中通知を含む外部ＩＰパケット３を送信し、前記外部ＩＰパケット３は、その内部に含まれるＩＰアドレスと、前記通信レコードＲ２に含まれるＩＰアドレスとを比較してアドレス条件が判定され、前記アドレス条件が満たされると、内部ＩＰパケット３となって前記接続サーバＳ２に到達し、前記接続サーバＳ２は前記呼出中通知を含む呼経過メッセージを形成して前記接続サーバＳ１へ送信し、
前記接続サーバＳ１は前記呼出中通知を含む内部ＩＰパケット４を送信し、前記内部ＩＰパケット４は前記網ノード装置Ｎ１で前記通信レコードＲ１が参照され外部ＩＰパケット４となって前記無線基地局Ｂ１を経て前記端末Ｍ１に到達し、
前記端末Ｔ２は応答を知らせる応答通知含む外部ＩＰパケット５を送信し、前記外部ＩＰパケット５は、その内部に含まれるＩＰアドレスと、前記通信レコードＲ２に含まれるＩＰアドレスとを比較してアドレス条件が判定され、前記アドレス条件が満たされると、内部ＩＰパケット５となって前記接続サーバＳ２に到達し、
前記接続サーバＳ２は前記応答通知を含む応答メッセージを形成して前記接続サーバＳ１へ送信し、前記接続サーバＳ１は前記応答通知及び前記端末Ｔ２の外部ＩＰアドレスＥＡＴ２を含む内部ＩＰパケット６を送信し、前記内部ＩＰパケット６は前記網ノード装置Ｎ１で前記通信レコードＲ１が参照され外部ＩＰパケット６に変換され前記無線基地局Ｂ１を経て前記端末Ｍ１に到達し、
前記端末Ｍ１への前記応答通知の送信により、端末間通信用の通信レコードの設定が可能となり、前記接続サーバＳ１は前記網ノード装置Ｎ１に対して通信レコードＲ１２の設定を指示し、前記接続サーバＳ２は前記網ノード装置Ｎ２に対して通信レコードＲ２１の設定を指示し、前記通信レコードＲ１２及びＲ２１は、前記網ノード装置Ｎ１及びＮ２の間に内部ＩＰパケットが転送される通信パスＰ１２を定めており、
前記端末Ｍ１が前記端末Ｔ２の外部ＩＰアドレスＥＡＴ２を宛先アドレスとするＩＰパケット７を送信すると、前記外部ＩＰパケット７は前記無線基地局Ｂ１を経て前記網ノード装置Ｎ１に到達し、前記外部ＩＰパケット７に含まれるＩＰアドレスと、前記論理端子ＬＰＢ１により識別される前記通信レコードＲ１２に含まれるＩＰアドレスとを比較してアドレス条件が判定され、前記アドレス条件が満たされるとＩＰカプセル化されて前記内部ＩＰアドレスＩＡＴ２を宛先アドレスとする内部ＩＰパケット７となって前記通信パスＰ１２を転送され、前記網ノード装置Ｎ２で前記通信レコードＲ２１が参照され、逆ＩＰカプセル化されて復元された前記外部ＩＰパケット７が前記端末Ｔ２に到達し、
前記端末Ｍ１が通信解放通知を含む外部ＩＰパケット９を前記接続サーバＳ１に向けて送信すると、前記接続サーバＳ１及びＳ２は解放メッセージ又は解放完了メッセージを送受し、前記接続サーバＳ２は解放指示を含む内部ＩＰパケット１０を前記端末Ｔ２に向けて送信し、前記接続サーバＳ１及びＳ２は前記通信レコードＲ１２又はＲ２１の抹消を指示し、
接続要求毎にＩＰ網内に通信パスが設定され、移動端末が送信した外部ＩＰパケットは内部ＩＰパケットとなって前記通信パスを転送され、通信終了後前記通信パスは抹消され、ＩＰ網は通信レコードが定めるアドレス条件を満たさない外部ＩＰパケットを廃棄して安全性を確保し、電話番号を用いた移動端末から固定端末への通信を可能としたことを特徴とするＩＰ網を用いた通信システム。
【請求項９】
ＩＰ網は複数の網ノード装置、接続サーバ及びドメイン名サーバを含み、無線基地局Ｂ１は通信回線Ｌ１を経て論理端子ＬＰＢ１で網ノード装置Ｎ１に接続され、固定端末Ｔ２は通信回線Ｌ２を経て論理端子ＬＰＴ２で網ノード装置Ｎ２に接続され、
前記網ノード装置Ｎ１は内部の装置制御表Ｈ１内に前記論理端子ＬＰＢ１を識別する識別情報を含む通信レコードＲ１を設定しており、前記網ノード装置Ｎ２は内部の装置制御表Ｈ２内に前記論理端子ＬＰＴ２を識別する識別情報を含む通信レコードＲ２を設定しており、
前記網ノード装置Ｎ１又はＮ２は、前記論理端子ＬＰＢ１又はＬＰＴ２から入力する外部ＩＰパケットに含まれるＩＰアドレスと、前記通信レコードＲ１又はＲ２に含まれるＩＰアドレスとを比較してアドレス条件を判定し、前記アドレス条件が満たされると、前記外部ＩＰパケットをＩＰカプセル化した内部ＩＰパケットを接続サーバＳ１又はＳ２へ送信する機能を有し、
移動端末Ｍ１は前記無線基地局Ｂ１と通信して無線通信路ＲＣ１を確保し、電話番号を用いて固定端末Ｔ２に接続要求するため、前記端末Ｔ２の電話番号ＴＮＴ２を含む接続要求を前記無線基地局Ｂ１に送信し、前記無線基地局Ｂ１は、前記接続要求、前記端末Ｍ１の電話番号ＴＮＭ１及び前記電話番号ＴＮＴ２を含む外部ＩＰパケット１を送信すると、前記外部ＩＰパケット１が内部ＩＰパケット１に変換されて前記接続サーバＳ１へ送信され、
前記接続サーバＳ１は前記内部ＩＰパケット１から前記電話番号ＴＮＭ１及びＴＮＴ２を取得し、前記電話番号ＴＮＴ２を上位ドメイン名サーバＤＳに提示し、前記宛先端末Ｔ２との通信に関わるアドレス情報を取得し、前記アドレス情報は前記端末Ｔ２の外部ＩＰアドレスＥＡＴ２、前記論理端子ＬＰＴ２の識別情報としての内部ＩＰアドレスＩＡＴ２及び前記接続サーバＳ２の内部ＩＰアドレスであり、
前記接続サーバＳ１は前記端末Ｍ１と端末認証用情報を交換して前記端末Ｍ１の正当性を確認し、
前記接続サーバＳ１は前記電話番号ＴＮＭ１及びＴＮＴ２から回線番号ＣＮＭ１Ｔ２を定め、少なくとも前記電話番号ＴＮＭ１及びＴＮＴ２、前記回線番号ＣＮＭ１Ｔ２の組を回線管理表ＣＭ１に記録し、
前記接続サーバＳ１は前記接続要求を含む初期アドレスメッセージを前記接続サーバＳ２へ送信し、前記接続サーバＳ２は前記初期アドレスメッセージから前記電話番号ＴＮＭ１及びＴＮＴ２、前記回線番号ＣＮＭ１Ｔ２を取得し、これらの組を回線管理表ＣＭ２に記録し、
前記接続サーバＳ２は、前記端末Ｔ２が着信可能であれば着信通知を含む内部ＩＰパケット２を前記端末Ｔ２へ向けて送信し、前記端末Ｔ２は前記着信通知を含む外部ＩＰパケット２を受信し、
前記接続サーバＳ２は着信可否通知を含むアドレス完了メッセージを前記接続サーバＳ１へ送信し、
前記端末Ｔ２は応答準備開始を知らせる呼出中通知を含む外部ＩＰパケット３を送信し、前記外部ＩＰパケット３は、その内部に含まれるＩＰアドレスと、前記通信レコードＲ２に含まれるＩＰアドレスとを比較してアドレス条件が判定され、前記アドレス条件が満たされると、内部ＩＰパケット３となって前記接続サーバＳ２に到達し、前記接続サーバＳ２は前記呼出中通知を含む呼経過メッセージを形成して前記接続サーバＳ１へ送信し、
前記接続サーバＳ１は前記呼出中通知を含む内部ＩＰパケット４を送信し、前記内部ＩＰパケット４は前記網ノード装置Ｎ１で前記通信レコードＲ１が参照され外部ＩＰパケット４となって前記無線基地局Ｂ１に到達し、前記無線基地局Ｂ１は呼出中通知を前記無線通信路ＲＣ１経由で前記端末Ｍ１に送信し、
前記固定端末Ｔ２は応答を知らせる応答通知を含む外部ＩＰパケット５を送信し、前記外部ＩＰパケット５は、その内部に含まれるＩＰアドレスと、前記通信レコードＲ２に含まれるＩＰアドレスとを比較してアドレス条件が判定され、
前記アドレス条件が満たされると、内部ＩＰパケット５となって前記接続サーバＳ２に到達し、前記接続サーバＳ２は前記応答通知を含む応答メッセージを形成して前記接続サーバＳ１へ送信し、
前記接続サーバＳ１は前記応答通知及び前記端末Ｔ２の外部ＩＰアドレスＥＡＴ２を含む内部ＩＰパケット６を送信し、前記内部ＩＰパケット６は前記網ノード装置Ｎ１で外部ＩＰパケット６となって前記無線基地局Ｂ１に到達し、前記無線基地局Ｂ１は前記外部ＩＰアドレスＥＡＴ２を保持すると共に、前記応答通知を前記無線通信路ＲＣ１経由で前記端末Ｍ１に送信し、
前記端末Ｍ１への前記応答通知の送信により、端末間通信用の通信レコードの設定が可能となり、前記接続サーバＳ１は前記網ノード装置Ｎ１に対して通信レコードＲ１２の設定を指示し、前記接続サーバＳ２は前記網ノード装置Ｎ２に対して通信レコードＲ２１の設定を指示し、前記通信レコードＲ１２及びＲ２１は前記網ノード装置Ｎ１及びＮ２の間に内部ＩＰパケットが送信される通信パスＰ１２を定めており、
前記端末Ｍ１は音声又はデータを無線基地局Ｂ１に送信し、前記無線基地局Ｂ１は前記音声又はデータを含み、前記端末Ｔ２の外部ＩＰアドレスＥＡＴ２を宛先アドレスとするＩＰパケット７を形成して送信すると、前記外部ＩＰパケット７に含まれるＩＰアドレスと、前記論理端子ＬＰＢ１により識別される前記通信レコードＲ１２に含まれるＩＰアドレスとが比較されてアドレス条件が判定され、
前記アドレス条件が満たされると、ＩＰカプセル化されて前記内部ＩＰアドレスＩＡＴ２を宛先アドレスとする内部ＩＰパケット７となり、前記通信パスＰ１２を送信され、前記網ノード装置Ｎ２で前記通信レコードＲ２１が参照され、逆ＩＰカプセル化されて復元された前記外部ＩＰパケット７が前記端末Ｔ２に到達し、
前記端末Ｍ１から前記無線基地局Ｂ１経由で前記接続サーバＳ１へ通信解放通知を送信し、
前記接続サーバＳ１は前記通信解放通知を含む解放メッセージを前記接続サーバＳ２へ送信し、前記接続サーバＳ２は解放完了メッセージを前記接続サーバＳ１へ送信し、
前記接続サーバＳ２から前記端末Ｔ２へ解放指示を送信し、前記接続サーバＳ１及びＳ２は前記通信レコードＲ１２又はＲ２１の抹消を指示し、
接続要求毎にＩＰ網内に通信パスが設定され、移動端末が送信した外部ＩＰパケットは内部ＩＰパケットとなって前記通信パスを転送され、通信終了後前記通信パスは抹消され、ＩＰ網は通信レコードが定めるアドレス条件を満たさない外部ＩＰパケットを廃棄して安全性を確保し、電話番号を用いた移動端末から固定端末への通信を可能としたことを特徴とするＩＰ網を用いた通信システム。
【請求項１０】
前記接続サーバＳ１が前記通信レコードＲ１２の設定を指示するとき、前記通信レコードＲ１２にプロトコル制御レコードＰＲ１を付与して設定しており、前記網ノード装置Ｎ１は、前記外部ＩＰパケット７に含まれるＩＰアドレスと、前記通信レコードＲ１２に含まれるＩＰアドレスとを比較してアドレス条件を判定し、
前記アドレス条件が満たされると、第１の比較として、前記外部ＩＰパケット７内のプロトコル種別と前記プロトコル制御レコードＰＲ１内の発信許容プロトコル種別とが比較され，
比較の結果として選択された前記外部ＩＰパケット７がＩＰカプセル化されて前記内部ＩＰパケット７となり、選択されない前記外部ＩＰパケット７は廃棄され、
第２の比較として、前記外部ＩＰパケット７内のプロトコル種別と前記プロトコル制御レコードＰＲ１内の発信抑止プロトコル種別とが比較され，抑止対象として選択された前記外部ＩＰパケット７が廃棄され、抑止対象でない前記外部ＩＰパケット７はＩＰカプセル化されて前記内部ＩＰパケット７となり、
前記第１の比較又は第２の比較のいずれかを実施するようになっている請求項６乃至９のいずれかに記載のＩＰ網を用いた通信システム。
【請求項１１】
前記接続サーバＳ２が前記通信レコードＲ２１の設定を指示するとき、前記通信レコードＲ２１にプロトコル制御レコードＰＲ２を付与して設定しており、前記網ノード装置Ｎ２は、前記外部ＩＰパケット７に含まれるＩＰアドレスと、前記通信レコードＲ２１に含まれるＩＰアドレスとを比較してアドレス条件を判定し、
前記アドレス条件が満たされると、第１の比較として、前記内部ＩＰパケット７内の前記外部ＩＰパケット７内のプロトコル種別と前記プロトコル制御レコードＰＲ２内の着信許容プロトコル種別とが比較され，比較の結果として選択された前記内部ＩＰパケット７が逆ＩＰカプセル化されて前記外部ＩＰパケット７となり、選択されない前記内部ＩＰパケット７は廃棄され、
第２の比較として、前記内部ＩＰパケット７内の前記外部ＩＰパケット７内のプロトコル種別と前記プロトコル制御レコードＰＲ２内の着信抑止プロトコル種別とが比較され，抑止対象として選択された前記内部ＩＰパケット７が廃棄され、抑止対象でない前記内部ＩＰパケット７は逆ＩＰカプセル化されて前記外部ＩＰパケット７となり、
前記第１の比較又は第２の比較のいずれかを実施するようになっているようになっている請求項６乃至９のいずれかに記載のＩＰ網を用いた通信システム。
【請求項１２】
前記接続サーバＳ１が前記通信レコードＲ１２の設定を指示するとき、前記通信レコードＲ１２にポート制御レコードＰＴ１を付与して設定しており、
前記外部ＩＰパケット７が前記論理端子ＬＰＢ１から前記網ノード装置Ｎ１に入力し、前記網ノード装置Ｎ１は、前記外部ＩＰパケット７に含まれるＩＰアドレスと、前記通信レコードＲ１２に含まれるＩＰアドレスとを比較してアドレス条件を判定し、
前記アドレス条件が満たされると、第１の比較として、前記外部ＩＰパケット７内のソースポート番号が、前記ポート制御レコードＰＴ１に含まれる発信許容指定のソースポート番号と比較され，比較の結果として選択された前記外部ＩＰパケット７がＩＰカプセル化されて内部ＩＰパケット７となり、
第２の比較として、前記外部ＩＰパケット７内の宛先ポート番号が、前記ポート制御レコードＰＴ１に含まれる発信許容指定の宛先ポート番号と比較され，比較の結果として選択された前記外部ＩＰパケット７がＩＰカプセル化されて前記内部ＩＰパケット７となり、
前記第１の比較又は第２の比較の少なくとも一方が実施され、前記内部ＩＰパケット７は、前記網ノード装置Ｎ１から送出されて前記通信パスＰ１２を転送されるようになっている請求項６乃至９のいずれかに記載のＩＰ網を用いた通信システム。
【請求項１３】
前記接続サーバＳ１が前記通信レコードＲ１２の設定を指示するとき、前記通信レコードＲ１２にポート制御レコードＰＴ１を付与して設定しており、
前記外部ＩＰパケット７が前記論理端子ＬＰＢ１から前記網ノード装置Ｎ１に入力し、前記網ノード装置Ｎ１は、前記外部ＩＰパケット７に含まれるＩＰアドレスと、前記通信レコードＲ１２に含まれるＩＰアドレスとを比較してアドレス条件を判定し、
前記アドレス条件が満たされると、第１の比較として、前記外部ＩＰパケット７内のソースポート番号が、前記ポート制御レコードＰＴ１に含まれる発信抑止指定のソースポート番号と比較され，抑止対象として選択された前記外部ＩＰパケット７は廃棄され、抑止対象でない前記外部ＩＰパケット７はＩＰカプセル化されて内部ＩＰパケット７となり、
第２の比較として、前記外部ＩＰパケット７内の宛先ポート番号が、前記ポート制御レコードＰＴ１に含まれる発信抑止指定の宛先ポート番号と比較され、抑止対象として選択された前記外部ＩＰパケット７は廃棄され、抑止対象でない前記外部ＩＰパケット７はＩＰカプセル化されて内部ＩＰパケット７となり、
前記第１の比較又は第２の比較の少なくとも一方が実施され、
前記内部ＩＰパケット７は、前記網ノード装置Ｎ１から送出されて前記通信パスＰ１２を転送されるようになっている請求項６乃至９のいずれかに記載のＩＰ網を用いた通信システム。
【請求項１４】
前記接続サーバＳ２が前記通信レコードＲ２１の設定を指示するとき、前記通信レコードＲ２１にポート制御レコードＰＴ２を付与して設定しており、
前記網ノード装置Ｎ２は、前記内部ＩＰパケット７内の前記外部ＩＰパケット７に含まれるＩＰアドレスと、前記通信レコードＲ２１に含まれるＩＰアドレスとを比較してアドレス条件を判定し、
前記アドレス条件が満たされると、第１の比較として、前記内部ＩＰパケット７内の前記外部ＩＰパケット７のソースポート番号が、前記ポート制御レコードＰＴ２に含まれる着信許容指定のソースポート番号とが比較され、比較の結果として選択された前記内部ＩＰパケット７は逆ＩＰカプセル化されて前記外部ＩＰパケット７が復元され、
第２の比較として、前記内部ＩＰパケット７内の前記外部ＩＰパケット７の宛先ポート番号が、前記ポート制御レコードＰＴ２に含まれる着信許容指定の宛先ポート番号とが比較され，比較の結果として選択された前記内部ＩＰパケット７は逆ＩＰカプセル化されて前記外部ＩＰパケット７が復元され、
前記第１の比較又は第２の比較の少なくとも一方が実施され、
前記外部ＩＰパケット７は前記通信回線Ｌ２に送出されるようになっている請求項６乃至９のいずれかに記載のＩＰ網を用いた通信システム。
【請求項１５】
前記接続サーバＳ２が前記通信レコードＲ２１の設定を指示するとき、前記通信レコードＲ２１にポート制御レコードＰＴ２を付与して設定しており、
前記網ノード装置Ｎ２は、前記内部ＩＰパケット７内の前記外部ＩＰパケット７に含まれるＩＰアドレスと、前記通信レコードＲ２１に含まれるＩＰアドレスとを比較してアドレス条件を判定し、
前記アドレス条件が満たされると、第１の比較として、前記内部ＩＰパケット７内の前記外部ＩＰパケット７のソースポート番号が、前記ポート制御レコードＰＴ１に含まれる着信抑止指定のソースポート番号とが比較され，抑止対象として選択された前記内部ＩＰパケット７は廃棄され、抑止対象でない前記内部ＩＰパケット７は逆ＩＰカプセル化されて前記外部ＩＰパケット７に復元され、
第２の比較として、前記内部ＩＰパケット７内の前記外部ＩＰパケット７の宛先ポート番号が、前記ポート制御レコードＰＴ２に含まれる着信抑止指定の宛先ポート番号とが比較され，比較の結果として抑止対象として選択された前記内部ＩＰパケット７は廃棄され、抑止対象でない前記内部ＩＰパケット７は逆ＩＰカプセル化されて前記外部ＩＰパケット７が復元され、
前記第１の比較又は第２の比較の少なくとも一方が実施され、
前記外部ＩＰパケット７は前記通信回線Ｌ２に送出されるようになっている請求項６乃至９のいずれかに記載のＩＰ網を用いた通信システム。
【請求項１６】
前記外部ＩＰパケット７内のソースポート番号又は宛先ポート番号と、前記ポート制御レコードＰＴ１に含まれる発信許容指定のソースポート番号又は発信許容指定の宛先ポート番号とを比較して内部ＩＰパケット７を形成する請求項１２に記載の機能と、或いは、
前記外部ＩＰパケット７内のソースポート番号又は宛先ポート番号と、前記ポート制御レコードＰＴ１に含まれる発信抑止指定のソースポート番号又は発信抑止指定の宛先ポート番号とを比較して抑止対象として選択した前記外部ＩＰパケット７を廃棄し、抑止対象でない前記外部ＩＰパケット７から内部ＩＰパケット７を形成する請求項１３に記載の機能との少なくとも一方を、前記網ノードＮ１内のポートフィルタ機能回路又はポートフィルタ機能プログラムモジュールにより実施するようになっていることを特徴とするＩＰ網を用いた通信システム。
【請求項１７】
前記内部ＩＰパケット７に含まれる前記外部ＩＰパケット７内のソースポート番号又は宛先ポート番号と、前記ポート制御レコードＰＴ２に含まれる着信許容指定のソースポート番号又は着信許容指定の宛先ポート番号とを比較して内部ＩＰパケット７から前記外部ＩＰパケット７を復元する請求項１４に記載の機能と、或いは、
前記内部ＩＰパケット７に含まれる前記外部ＩＰパケット７内のソースポート番号又は宛先ポート番号と、前記ポート制御レコードＰＴ１に含まれる着信抑止指定のソースポート番号又は着信抑止指定の宛先ポート番号とを比較して抑止対象として選択した前記内部ＩＰパケット７を廃棄し、抑止対象でない前記内部ＩＰパケット７から前記外部ＩＰパケット７を復元する請求項１５に記載の機能との少なくとも一方を、前記網ノードＮ２内のポートフィルタ機能回路又はポートフィルタ機能プログラムモジュールにより実施するようになっていることを特徴とするＩＰ網を用いた通信システム。
【請求項１８】
前記接続サーバＳ１が前記通信レコードＲ１２の設定を指示するとき、前記通信レコードＲ１２に署名制御レコードＤ１を付与して設定しており、前記接続サーバＳ２が前記通信レコードＲ２１の設定を指示するとき、前記通信レコードＲ２１に署名制御レコードＤ２を付与して設定しており、
前記外部ＩＰパケット７が前記通信回線Ｌ１経由で前記網ノード装置Ｎ１に入力すると、前記網ノード装置Ｎ１で、前記通信レコードＲ１２及び前記署名制御レコードＤ１が用いられて前記外部ＩＰパケット７に発信時の署名が付与され、前記署名が付与された前記外部ＩＰパケット７が内部ＩＰパケット７となり、
前記内部ＩＰパケット７は前記通信パスＰ１２を転送され、
前記網ノード装置Ｎ２において、前記通信レコードＲ２１及び前記署名制御レコードＤ２が用いられて，前記内部ＩＰパケット７内の前記外部ＩＰパケットに着信時の署名が付与されて、署名が付与された前記外部ＩＰパケット７に復元するようになっている請求項６乃至９のいずれかに記載のＩＰ網を用いた通信システム。
【請求項１９】
前記外部ＩＰパケット７に、発信時の署名又は着信時の署名の一方のみを付与するようになっている請求項１８に記載のＩＰ網を用いた通信システム。
【請求項２０】
前記ＩＰ網内の網ノード装置Ｘは、その装置制御表Ｘ内部の通信レコードＲ内のメモリ保護ビットを保護有りに表示して、前記通信レコードＲの書換えを禁止し、又は前記通信レコードＲのメモリ保護ビットを保護無しに表示して、前記通信レコードの書換えを許可し、前記装置制御表内の通信レコードの書き換え管理を確実にしている請求項６乃至９のいずれかに記載のＩＰ網を用いた通信システム。
【請求項２１】
前記宛先端末Ｍ２又はＴ２はＷＷＷサーバ又は電子メールサーバであり、前記端末Ｍ１が前記宛先端末Ｍ２又はＴ２に向けて送出した前記外部ＩＰパケット７内のソースポート番号又は宛先ポート番号が、ＷＷＷ機能を指定するポート番号又は電子メール機能を規定するポート番号であり、ＷＷＷサーバ又は電子メールサーバに向けて送出された前記外部ＩＰパケット又は内部ＩＰパケットを網ノード装置で通過又は廃棄するようになっている請求項６乃至９のいずれかに記載のＩＰ網を用いた通信システム。
【請求項２２】
前記網ノード装置Ｎ１又はＮ２は、入力した外部ＩＰパケット内ＩＰアドレスと当該網ノード装置内の通信レコード内ＩＰアドレスとを比較してアドレス条件を判定し、前記アドレス条件が満たされると、第１の機能として、前記外部ＩＰパケットをＩＰカプセル化せずにそのまま内部ＩＰパケットとし、第２の機能として、前記外部ＩＰパケットをＩＰカプセル化して内部ＩＰパケットとし、前記第１の機能及び第２の機能を通信レコード毎に選択できるようになっており、
前記通信レコードＲ１及びＲ２は前記第１の機能を実施し、前記通信レコードＲ１２及びＲ２１は前記第２の機能を実施し、
前記網ノード装置Ｎ１又はＮ２は、入力した外部ＩＰパケット内ＩＰアドレスと当該網ノード装置内の通信レコードＲ１２又はＲ２１内ＩＰアドレスとを比較してアドレス条件を判定し、前記アドレス条件外の外部ＩＰパケットを廃棄し、前記通信レコードＲ１２又はＲ２１を参照し前記内部ＩＰパケットを逆ＩＰカプセル化して外部パケットを復元して前記ＩＰ網外部の前記通信回線Ｌ１又はＬ２に送信するようになっている請求項６乃至９のいずれかに記載のＩＰ網を用いたＩＰ通信システム。
【請求項２３】
前記ＩＰ網内は前記内部ＩＰパケットが転送されずに、代わって前記ＩＰパケットに簡易ヘッダを付加する簡易カプセル化により得られる簡易ヘッダ付内部パケットが転送されるようになっており、前記簡易ヘッダは宛先アドレスを含んでいるが送信元アドレスを含んでおらず、前記ＩＰ網内の網ノード装置は前記ＩＰカプセル化に代わって前記簡易カプセル化を行い、前記逆ＩＰカプセル化に代わって前記簡易逆カプセル化を行うようになっており、前記簡易逆カプセル化は前記簡易ヘッダ付内部パケットから前記簡易ヘッダを除くことにより達成され、前記論理端子ＬＰＢ２又はＬＰＴ２の識別情報としての内部ＩＰアドレスＩＡＢ２又はＩＡＴ２は、それぞれ前記論理端子ＬＰＢ２又はＬＰＴ２の識別情報としての前記簡易ヘッダに設定するためのアドレスＩＡＢ２ｘ又はＩＡＴ２ｘである請求項６乃至９いずれかに記載のＩＰ網を用いたＩＰ通信システム。
【請求項２４】
前記ＩＰ網内は前記内部ＩＰパケットが転送されずに、代わって前記ＩＰパケットに拡張タグを付加するカプセル化により得られる拡張タグを含む内部パケットが転送されるようになっており、前記拡張タグは宛先アドレス及び送信元アドレスを含み、前記ＩＰ網内の網ノード装置は前記ＩＰカプセル化に代わって前記拡張タグカプセル化を行い、前記逆ＩＰカプセル化に代わって前記拡張タグ逆カプセル化を行うようになっており、前記拡張タグ逆カプセル化は拡張タグを含む内部パケットから前記拡張タグを除くことにより達成され、前記論理端子ＬＰＢ２又はＬＰＴ２の識別情報としての内部ＩＰアドレスＩＡＢ２又はＩＡＴ２は、それぞれ前記論理端子ＬＰＢ２又はＬＰＴ２の識別情報としての拡張タグに設定するためのアドレスＩＡＢ２ｙ又はＩＡＴ２ｙである請求項６乃至９のいずれかに記載のＩＰ網を用いたＩＰ通信システム。
【請求項２５】
前記接続サーバＳ１は前記電話番号ＴＮＴ２を前記上位ドメイン名サーバＤＳに提示するとき、前記端末Ｔ２のＣＰＧ・ＡＮＭ省略指定を更に取得し、前記ＣＰＧ・ＡＮＭ省略指定を前記初期アドレスメッセージに含めて前記接続サーバＳ２に送り、前記接続サーバＳ２前記着信通知を含む外部ＩＰパケット２を前記端末Ｔ２へ送信し、
前記端末Ｔ２は、前記端末Ｔ２が前記ＣＰＧ・ＡＮＭ省略指定を承知しているので呼出中通知を含む前記外部ＩＰパケット３及び応答通知を含む前記外部ＩＰパケット５を前記接続サーバＳ２へ送信せず、前記接続サーバＳ２は着信可否通知を含むアドレス完了メッセージを前記接続サーバＳ１へ送信し、前記接続サーバＳ１は前記アドレス完了メッセージを受信すると、前記ＣＰＧ・ＡＮＭ省略指定を根拠に呼出中通知を含む呼経過メッセージ及び応答通知を含む応答メッセージを共に受信したと見なし、前記接続サーバＳ１は呼出中通知を含む内部パケット４を送信し、前記応答通知及び前記端末Ｔ２の外部ＩＰアドレスＥＡＴ２を含む内部パケット６を送信し、前記応答通知が前記無線基地局Ｂ１を経て前記端末Ｔ２に送信されるようになっている請求項８又は９に記載のＩＰ網を用いた通信システム。
【請求項２６】
前記ＩＰ網は、回線番号ＣＮＭ１Ｍ２又はＣＮＭ１Ｔ２を前記回線管理表ＣＭ１又はＣＭ２に初めて記録するときに更にその時点の時刻を記録し、前記解放メッセージ又は解放完了メッセージを送信又は受信する時点の時刻を記録するようにしており、前記回線管理表ＣＭ１又はＣＭ２が、前記端末間通信が行われた開始時刻又は終了時刻及び電話番号を含む課金情報として用いられるようになっており、或いは前記ＩＰ網内の網ノード装置Ｎ１又はＮ２は、その装置制御表Ｈ１又はＨ２内の通信レコードｍ（ｍ＝１，２，・・・）内のレコードＩＤｍに、前記通信レコードｍの利用者の識別情報を記録しておき、前記レコードＩＤｍ情報を用いて、前記通信レコードｍの利用者を特定して通信料に対する課金情報として用いるようにしている請求項６乃至９のいずれかに記載のＩＰ網を用いた通信システム。
【請求項２７】
外部ＩＰアドレスＥＡ１ｘである端末Ｔ１ｘが通信回線Ｌ１ｘを経て論理端子ＬＰ１ｘで前記網ノード装置Ｎ１に接続され、外部ＩＰアドレスＥＡ２ｘである端末Ｔ２ｘが通信回線Ｌ２ｘを経て論理端子ＬＰ２ｘで前記網ノード装置Ｎ２に接続され、前記網ノード装置Ｎ１は前記論理端子ＬＰ１ｘを識別する識別情報を含む通信レコードＲ１ｘを設定しており、前記網ノード装置Ｎ２は前記論理端子ＬＰ２ｘを識別する識別情報を含む通信レコードＲ２ｘを設定しており、前記端末Ｔ１ｘが送信元外部ＩＰアドレスＥＡ１ｘ、宛先外部ＩＰアドレスＥＡ２ｘである外部ＩＰパケットを送出すると、前記外部ＩＰパケットに含まれるＩＰアドレスと、前記論理端子ＬＰ１ｘにより識別される前記通信レコードＲ１ｘに含まれるＩＰアドレスとを比較してアドレス条件が判定され、前記アドレス条件が満たされるとＩＰカプセル化され、内部ＩＰパケットとなって前記ＩＰ網内部を転送され、前記網ノード装置Ｎ２において前記通信レコードＲ２ｘが参照され逆ＩＰカプセル化されて復元された前記外部ＩＰパケットが前記端末Ｔ２ｘに到達するようになっており、前記端末Ｔ１ｘ及び端末Ｔ２ｘの間で電話番号を用いずにＩＰパケットを送受する通信が可能である請求項６乃至９のいずれかに記載のＩＰ網を用いた通信システム。
【請求項２８】
前記通信レコード通信レコードＲ１ｘ内部のレコード有効指定ビットを一時的にレコード無効指定ビットに切替え、前記端末Ｔ１ｘから外部ＩＰパケットを送出し、前記外部ＩＰパケットが前記網ノード装置Ｎ１でＩＰカプセル化されずに廃棄されるようにし、前記端末Ｔ１ｘ及び端末Ｔ２ｘ間の外部ＩＰパケットを送受する通信を一時的に抑止できるようにしている請求項２７に記載のＩＰ網を用いた通信システム。
【請求項２９】
ＩＰ網は複数の網ノード装置及び接続サーバを含み、
端末Ｔ１は通信回線Ｌ１を経由し論理端子ＬＰ１で網ノード装置Ｎ１に接続され、端末Ｔ２は通信回線Ｌ２を経由し論理端子ＬＰ２で網ノード装置Ｎ１に接続され、端末Ｔ３は通信回線Ｌ３を経由し論理端子ＬＰ３で網ノード装置Ｎ３に接続され、端末Ｔ４は通信回線Ｌ４を経由し論理端子ＬＰ４で網ノード装置Ｎ３に接続され、
前記端末Ｔ１は電話番号を用いて前記端末Ｔ３に接続要求し、接続サーバＳ１は前記網ノード装置Ｎ１の装置制御表Ｈ１内に前記論理端子ＬＰ１を識別する識別情報を含む通信レコードＲ１３を設定し、接続サーバＳ３は前記網ノード装置Ｎ３の装置制御表Ｈ３内に前記論理端子ＬＰ３を識別する識別情報を含む通信レコードＲ３１を設定し、前記通信レコードＲ１３は優先制御レコードＹ１３を付与され、前記通信レコードＲ３１は優先制御レコードＹ３１を付与され、前記通信レコードＲ１３及びＲ３１は前記網ノード装置Ｎ１及びＮ３の間に内部ＩＰパケットが転送される通信パスＰ１３を定めており、
前記端末Ｔ１及び前記端末Ｔ３は、前記通信回線Ｌ１、前記通信パスＰ１３、前記通信回線Ｌ３を経てＩＰパケットを送受する端末間通信を行っており、
前記端末Ｔ２は電話番号を用いて前記端末Ｔ４に接続要求し、前記接続サーバＳ１は前記装置制御表Ｈ１内に前記論理端子ＬＰ２を識別する識別情報を含む通信レコードＲ２４を設定し、前記接続サーバＳ３は前記装置制御表Ｈ３内に前記論理端子ＬＰ３を識別する識別情報を含む通信レコードＲ４２を設定し、前記通信レコードＲ２４は優先制御レコードＹ２４を付与され、前記通信レコードＲ４２は優先制御レコードＹ４２を付与され、前記通信レコードＲ２４及びＲ４２は、前記網ノード装置Ｎ１及びＮ３の間に内部ＩＰパケットが転送される通信パスＰ２４を定めており、
前記端末Ｔ２及び前記端末Ｔ４は、前記通信回線Ｌ２、前記通信パスＰ２４、前記通信回線Ｌ４を経てＩＰパケットを送受する端末間通信を行っており、
前記端末Ｔ１から前記端末Ｔ３に向けて外部ＩＰパケット１３が送信され、前記端末Ｔ２から前記端末Ｔ４に向けて外部ＩＰパケット２４が送信され、
前記外部ＩＰパケット１３及び前記外部ＩＰパケット２４が近接した時刻に前記網ノード装置Ｎ１に到達すると、前記網ノード装置Ｎ１は前記優先制御レコードＹ１３及びＹ２４を参照して、前記外部ＩＰパケット１３又は外部ＩＰパケット２４のうち優先度が高い外部ＩＰパケットを識別し、前記優先度が高い順番に外部ＩＰパケットから内部ＩＰパケットを形成し、前記順番により前記内部ＩＰパケットを前記通信パスＰ１３又はＰ２４に送出するようになっている端末間通信で発信優先制御を行い得ることを特徴とするＩＰ網を用いた通信システム。
【請求項３０】
前記端末Ｔ２は撤去され、無線基地局Ｂ２が通信回線Ｌ２を経由し前記論理端子ＬＰ２で網ノード装置Ｎ１に接続され、前記無線基地局Ｂ２は、無線通信回線で接続する移動端末から得た制御信号又はデータを含む外部ＩＰパケットを形成して前記通信回線Ｌ２に送信する機能を有し、
前記端末Ｔ２及び前記端末Ｔ４の間の端末間通信に代わり、移動端末Ｍ２が電話番号を用いて前記無線基地局Ｂ２を経由で前記端末Ｔ４に接続要求し、前記接続サーバＳ１は前記装置制御表Ｈ１内に前記論理端子ＬＰ２を識別する識別情報を含む通信レコードＲ２４ｍを設定し、前記接続サーバＳ３は前記網ノード装置Ｎ３の装置制御表Ｈ３内に前記論理端子ＬＰ４を識別する識別情報を含む通信レコードＲ４２ｍを設定し、前記通信レコードＲ２４ｍは優先制御レコードＹ２４ｍを付与され、前記通信レコードＲ２４ｍ及びＲ４２ｍは、前記網ノード装置Ｎ１及びＮ３の間に内部ＩＰパケットが転送される通信パスＰ２４ｍを定めており、
前記端末Ｔ１から前記端末Ｔ３に向けて外部ＩＰパケット１３が送信され、
前記移動端末Ｍ２から前記端末Ｔ４に向けて外部ＩＰパケット２４ｍが送信され、
前記外部ＩＰパケット１３及び前記外部ＩＰパケット２４ｍが近接した時刻に前記網ノード装置Ｎ１に到達すると、前記網ノード装置Ｎ１は前記優先制御レコードＹ１３及びＹ２４ｍを参照して、前記外部ＩＰパケット１３又は前記外部ＩＰパケット２４ｍのうち優先度が高い外部ＩＰパケットを識別し、前記優先度が高い順番に外部ＩＰパケットから内部ＩＰパケットを形成し、前記順番により、前記内部ＩＰパケットを前記通信パスＰ１３又はＰ２４ｍに送出するようになっている請求項２９に記載のＩＰ網を用いた通信システム。
【請求項３１】
ＩＰ網は複数の網ノード装置及び接続サーバを含み、
端末Ｔ１は通信回線Ｌ１を経由し前記論理端子ＬＰ１で網ノード装置Ｎ１に接続され、端末Ｔ２は通信回線Ｌ２を経由し前記論理端子ＬＰ２で網ノード装置Ｎ２に接続され、ルータＲＴは通信回線Ｌ３を経由し前記論理端子ＬＰ３で網ノード装置Ｎ３に接続され、端末Ｔ３は通信回線Ｃ３を経て、端末Ｔ４は通信回線Ｃ４を経てそれぞれ前記ルータＲＴに接続されており、
前記端末Ｔ１は電話番号を用いて前記端末Ｔ３に接続要求し、接続サーバＳ１は前記網ノード装置Ｎ１の装置制御表Ｈ１内に前記論理端子ＬＰ１を識別する識別情報を含む通信レコードＲ１３を設定し、接続サーバＳ３は前記網ノード装置Ｎ３の装置制御表Ｈ３内に前記論理端子ＬＰ３を識別する識別情報を含む通信レコードＲ３１を設定し、前記通信レコードＲ３１は優先制御レコードＹ３１を付与され、前記通信レコードＲ１３及びＲ３１は前記網ノード装置Ｎ１及びＮ３の間に内部ＩＰパケットが転送される通信パスＰ１３を定めており、
前記端末Ｔ１及び前記端末Ｔ３は、前記通信回線Ｌ１、前記通信パスＰ１３、前記通信回線Ｌ３、前記ルータＲＴ及び前記通信回線Ｃ３を経てＩＰパケットを送受する端末間通信を行っており、
前記端末Ｔ２は電話番号を用いて前記端末Ｔ４に接続要求し、接続サーバＳ２は前記網ノード装置Ｎ２の装置制御表Ｈ２内に前記論理端子ＬＰ２を識別する識別情報を含む通信レコードＲ２４を設定し、前記接続サーバＳ３は前記装置制御表Ｈ３内に前記論理端子ＬＰ４を識別する識別情報を含む通信レコードＲ４２を設定し、前記通信レコードＲ４２は優先制御レコードＹ４２を付与され、前記通信レコードＲ２４及びＲ４２は前記網ノード装置Ｎ２及びＮ３の間に内部ＩＰパケットが転送される通信パスＰ２４を定めており、
前記端末Ｔ２及び前記端末Ｔ４は、前記通信回線Ｌ２、前記通信パスＰ２４、前記通信回線Ｌ３、前記ルータＲＴ及び前記通信回線Ｃ４を経てＩＰパケットを送受する端末間通信を行っており、
前記端末Ｔ１から前記端末Ｔ３に向けて送信した外部ＩＰパケットが内部ＩＰパケット１３となって前記通信パス１３を転送されており、
前記端末Ｔ２から前記端末Ｔ４に向けて送信した外部ＩＰパケットが内部ＩＰパケット２４となって前記通信パス２４を転送されており、
前記内部ＩＰパケット１３及び内部ＩＰパケット２４が近接した時刻に前記網ノード装置Ｎ３に到達すると、前記網ノード装置Ｎ３は前記優先制御レコードＹ３１及びＹ４２を参照して、前記内部ＩＰパケット１３又は前記内部ＩＰパケット２４のうち優先度が高い内部ＩＰパケットを識別し、前記優先度が高い順番に内部ＩＰパケットから外部ＩＰパケットを復元し、前記順番により前記外部ＩＰパケットを前記通信回線Ｌ３へ送出するようになっている電話番号を用いた端末間通信で着信優先制御を行うことを特徴とするＩＰ網を用いた通信システム。
【請求項３２】
ＩＰ網は複数の網ノード装置及び接続サーバを含み、
無線基地局Ｂ１は通信回線Ｌ１を経て論理端子ＬＰ１で網ノード装置Ｎ１に接続され、端末Ｔ２は通信回線Ｌ２を経て論理端子ＬＰ２で網ノード装置Ｎ２に接続され、端末Ｔ３は通信回線Ｌ３を経て論理端子ＬＰ３で網ノード装置Ｎ３に接続され、
移動端末Ｍ１は電話番号を用いて前記無線基地局Ｂ１経由で前記端末Ｔ２に接続要求し、接続サーバＳ１は前記網ノード装置Ｎ１の装置制御表Ｈ１内に前記論理端子ＬＰ１を識別する識別情報を含む通信レコードＲ１２を設定し、接続サーバＳ２は前記網ノード装置Ｎ２の装置制御表Ｈ２内に前記論理端子ＬＰ２を識別する識別情報を含む通信レコードＲ２１を設定し、前記通信レコードＲ１２は優先制御レコードＹ１２を付与され、前記通信レコードＲ１２及びＲ２１は前記網ノード装置Ｎ１及びＮ２の間に内部ＩＰパケットが転送される通信パスＰ１２を定めており、前記端末Ｍ１及び前記端末Ｔ２は、無線基地局Ｂ１、前記通信回線Ｌ１、前記通信パスＰ１２、前記通信回線Ｌ２を経て音声又はデータを含むＩＰパケットを送受する端末間通信を行っており、
移動端末Ｍ０は電話番号を用いて前記無線基地局Ｂ１経由で前記端末Ｔ３に接続要求し、接続サーバＳ１は前記網ノード装置Ｎ１の装置制御表Ｈ１内に前記論理端子ＬＰ１を識別する識別情報を含む通信レコードＲ０３を設定し、接続サーバ３は前記網ノード装置Ｎ３の装置制御表Ｈ３内に前記論理端子ＬＰ３を識別する識別情報を含む通信レコードＲ３０を設定し、前記通信レコードＲ０３は優先制御レコードＹ０３を付与され、前記通信レコードＲ０３及びＲ３０は前記網ノード装置Ｎ１及びＮ３の間に内部ＩＰパケットが転送される通信パスＰ０３を定めており、前記端末Ｍ０及び前記端末Ｔ３は、無線基地局Ｂ１、前記通信回線Ｌ１、前記通信パスＰ０３、前記通信回線Ｌ３を経て音声又はデータを含むＩＰパケットを送受する端末間通信を行っており、
前記端末Ｔ２から前記端末Ｍ１に向けて送信した外部ＩＰパケット２１が前記網ノード装置Ｎ２で内部ＩＰパケット２１となって前記通信パス１２を転送されており、前記端末Ｔ３から前記端末Ｍ０に向けて送信した外部ＩＰパケット３０が前記網ノード装置Ｎ３で内部ＩＰパケット３０となって前記通信パス３４を転送されており、
前記内部ＩＰパケット２１及び内部ＩＰパケット３０が近接した時刻に前記網ノード装置Ｎ１に到達すると、前記網ノード装置Ｎ１は前記優先制御レコードＹ１２及びＹ０３を参照して、前記内部ＩＰパケット２１又は前記内部ＩＰパケット３０のうち優先度が高い内部ＩＰパケットを識別し、前記優先度が高い順番に内部ＩＰパケットから外部ＩＰパケットを復元し、前記順番により前記外部ＩＰパケットを前記通信回線Ｌ１へ送出するようになっている端末間通信で着信優先制御を行うことを特徴とするＩＰ網を用いた通信システム。
【請求項３３】
ＩＰ網は内部網Ａ及び内部網Ｂを含み、複数の網ノード装置を含み、
外部ＩＰパケット送受可能な通信装置Ｕ１が通信回線Ｌ１を経て論理端子ＬＰ１で網ノード装置Ｎ１に接続し、外部ＩＰパケット送受可能な通信装置Ｕ２が通信回線Ｌ２を経て論理端子ＬＰ２で網ノード装置Ｎ２に接続され、
前記通信装置Ｕ１及びＵ２は外部ＩＰパケットの送受機能を有する固定端末又は無線基地局であり、
前記通信装置Ｕ１は外部ＩＰアドレスＥＡ１を有し、前記通信装置Ｕ２は外部ＩＰアドレスＥＡ２を有し、
網ノード装置Ｎ１は前記論理端子ＬＰＢ１を識別する識別情報を含む通信レコードＲ１Ａ及びＲ１Ｂを含み、
前記通信レコードＲ１Ａはポートフィルタ制御レコードＰ１Ａを付与され、前記通信レコードＲ１Ｂはポートフィルタ制御レコードＰ１Ｂを付与され、
網ノード装置Ｎ２は前記論理端子ＬＰＢ２を識別する識別情報を含む通信レコードＲ２Ａ及びＲ２Ｂを含み、
前記通信レコードＲ２Ａはポートフィルタ制御レコードＰ２Ａを付与され、前記通信レコードＲ２Ｂはポートフィルタ制御レコードＰ２Ｂを付与されており、
前記通信レコードＲ１Ａ及びＲ２Ａは前記網ノード装置Ｎ１及びＮ２の間に内部ＩＰパケットが転送される通信パスＰ１２Ａを定めており、
前記通信レコードＲ１Ｂ及びＲ２Ｂは前記網ノード装置Ｎ１及びＮ２の間に内部ＩＰパケットが転送される通信パスＰ１２Ｂを定めており、
前記通信装置Ｕ１は、前記外部ＩＰアドレスＥＡ１をソースアドレス、前記外部ＩＰアドレスＥＡ２を宛先アドレス、ポート番号Ｐ１Ａをソースポート番号、ポート番号Ｐ２Ａを宛先ポート番号とし、音声又はデータを含む外部ＩＰパケットＡを送信し、前記外部ＩＰパケットＡは前記通信回線Ｌ１を転送されて前記網ノード装置Ｎ１に入力し、
前記網ノード装置Ｎ１は、前記外部ＩＰパケットＡに含まれるＩＰアドレスと、前記通信レコードＲ１Ａに含まれるＩＰアドレスとを比較してアドレス条件を判定し、前記アドレス条件が満たされると、前記ポート番号Ｐ１Ａ及びＰ２Ａが前記ポートフィルタ制御レコードＰ１Ａのポート規定を満たすかを調べられ、前記ポート規定は前記外部ＩＰパケット内のポート番号値により前記外部ＩＰパケットを通過させるか否かを定めており、前記ポート規定が満たされると、前記外部ＩＰパケットＡはＩＰカプセル化されて内部ＩＰパケットＡとなり、
前記内部ＩＰパケットＡは、前記内部網Ａ内を経由する前記通信パスＰ１２Ａを転送されて前記網ノード装置Ｎ２に到達し、前記内部ＩＰパケットＡは、前記網ノード装置Ｎ２において、前記通信レコードＲ２Ａが参照され、前記アドレス条件が満たされると前記外部ＩＰパケットＡに復元され、復元された前記外部ＩＰパケットＡが通信回線Ｌ２経由で前記通信装置Ｕ２に到達し、
前記通信装置Ｕ１は、前記外部ＩＰアドレスＥＡ１を送信元アドレス、前記外部ＩＰアドレスＥＡ２を宛先アドレス、ポート番号Ｐ１Ｂを送信元ポート番号、ポート番号Ｐ２Ｂを宛先ポート番号とし、音声又はデータを含む外部ＩＰパケットＢを形成して送信し、
前記ポート番号Ｐ１Ｂ及びポート番号Ｐ２Ｂは前記ポート番号Ｐ１Ａ及びポート番号Ｐ２Ａの何れとも異なっており、前記外部ＩＰパケットＢに含まれるＩＰアドレスと、前記通信レコードＲ２Ｂに含まれるＩＰアドレスとを比較してアドレス条件が判定され、前記アドレス条件が満たされると前記外部ＩＰパケットＢに含まれるポート番号と、前記ポートフィルタ制御レコードＰ１Ｂに含まれるポート番号とを比較してポート条件が判定され、前記ポート条件が満たされると前記外部ＩＰパケットＢはＩＰカプセル化されて内部ＩＰパケットＢとなり、
前記内部ＩＰパケットＢは、前記内部網Ｂ内を経由する前記通信パスＰ１２Ｂを転送されて前記網ノード装置Ｎ２に到達し、前記内部ＩＰパケットＢは、前記網ノード装置Ｎ２において、前記通信レコードＲ２Ｂが参照されて前記外部ＩＰパケットＢに復元され、復元された前記外部ＩＰパケットＢが通信回線Ｌ２経由で前記通信装置Ｕ２に到達し、
前記通信装置Ｕ１が外部ＩＰパケットを送信すると、前記外部ＩＰパケットは、前記網ノード装置Ｎ１で、通信レコードが定めるアドレス条件及びポートフィルタ制御レコードが定めるポート条件を満たすとＩＰカプセル化されて内部ＩＰパケットとなり、前記外部ＩＰパケット内のポート番号に応じて異なる内部ＩＰ網に転送されることを特徴とするＩＰ網を用いた通信システム。
【請求項３４】
前記内部網Ａは、内部ＩＰパケット転送遅延時間が少ない内部網であり、前記内部網Ｂは、遅延時間が大きいが通信コスト抑止を重視している内部網である請求項３３に記載のＩＰ網を用いた通信システム。
【請求項３５】
前記電話番号に替えてホスト名を用いる請求項６乃至３４のいずれかに記載のＩＰ網を用いた通信システム。
【請求項３６】
ＩＰ網は複数の終端ゲートウェイを含み、前記複数の終端ゲートウェイは通信回線で直接又は間接的に接続され、前記終端ゲートウェイは網ノード装置を含み、端末Ｔ１は通信回線Ｌ１を経て論理端子ＬＰ１で終端ゲートウェイＧＷ１内の網ノード装置Ｎ１に接続され、端末Ｔ２は通信回線Ｌ２を経て論理端子ＬＰ２で終端ゲートウェイＧＷ２内の網ノード装置Ｎ２に接続され、
前記端末Ｔ１は電話番号又はホスト名を用いて前記端末Ｔ２に接続を要求するため、接続要求及び前記端末Ｔ２の電話番号又はホスト名ＴＮ２を含む外部ＩＰパケットを前記終端ゲートウェイＧＷ１に送信し、前記終端ゲートウェイＧＷ１は、その内部のドメイン名サーバを用いて、前記宛先端末Ｔ２との通信に関わる前記終端ゲートウェイＧＷ２を特定し、前記接続要求を含む初期アドレスメッセージを前記終端ゲートウェイＧＷ２に送信し、前記終端ゲートウェイＧＷ２は前記接続要求に基づく着信通知を含む外部ＩＰパケットを前記端末Ｔ２に送信すると共に、前記接続要求確認通知を含むアドレス完了メッセージを前記終端ゲートウェイＧＷ１に送信し、
前記端末Ｔ２は、応答準備開始を知らせる呼出中通知を含む外部ＩＰパケットを前記終端ゲートウェイＧＷ２に送信し、前記終端ゲートウェイＧＷ２は呼出中通知を含む呼経過メッセージを前記終端ゲートウェイＧＷ１に送信し、前記終端ゲートウェイＧＷ１は前記呼出中通知を含む外部ＩＰパケットを前記端末Ｔ１に送信し、
前記端末Ｔ２は応答を知らせる応答通知を含む外部ＩＰパケットを前記終端ゲートウェイＧＷ２に送信し、前記終端ゲートウェイＧＷ２は呼出中通知を含む呼経過メッセージを前記終端ゲートウェイＧＷ１に送信し、前記終端ゲートウェイＧＷ１は前記応答通知を含む外部ＩＰパケットを前記端末Ｔ１に送信し、
前記端末Ｔ１への前記応答通知の送信により端末間通信用の通信レコードの設定が可能となり、前記終端ゲートウェイＧＷ１は、前記論理端子ＬＰ１及びＬＰ２を識別する識別情報を含む通信レコードＲ１２をその内部に設定し、前記終端ゲートウェイＧＷ２は、前記論理端子ＬＰ２及びＬＰ１を識別する識別情報を含む通信レコードＲ２１をその内部に設定し、前記通信レコードＲ１２及びＲ２１により前記終端ゲートウェイＧＷ１及びＧＷ２の間に通信パスＰ１２が設定され、
前記端末Ｔ１は外部ＩＰパケットＧＰを終端ゲートウェイＧＷ１へ送信すると、前記外部ＩＰパケットＧＰは前記論理端子ＬＰ１から前記網ノード装置Ｎ１に入力し、
前記網ノード装置Ｎ１は、前記外部ＩＰパケットＧＰに含まれるＩＰアドレスと、前記論理端子ＬＰ１により識別される前記通信レコードＲ１２に含まれるＩＰアドレスとを比較してアドレス条件を判定し、
前記アドレス条件が満たされると、前記外部ＩＰパケットＧＰを含む内部パケットＮＰを形成し、
前記内部パケットＮＰは前記通信パスＰ１２を経て前記網ノード装置Ｎ２に送信され、前記網ノード装置Ｎ２は前記通信レコードＲ２１を参照して前記内部パケットＮＰから前記外部ＩＰパケットＧＰに復元され、復元された前記外部ＩＰパケットＧＰを前記論理端子ＬＰ２から送信され、通信回線Ｌ２経て前記端末Ｔ２に到達し、
前記終端ゲートウェイＧＷ１又ＧＷ２は前記端末Ｔ１又はＴ２からの通信切断要求を含む外部ＩＰパケットを受信すると、解放メッセージ及び解放完了メッセージを送受し、前記通信レコードＲ１２又はＲ２１を消去し、前記通信パスＰ１２は抹消され、
端末からの接続要求を基に前記終端ゲートウェイＧＷ１内の網ノード装置Ｎ１及び前記終端ゲートウェイＧＷ２内の網ノード装置Ｎ２それぞれに通信レコードを設定して前記網ノード装置間に通信パスを設定し、端末からの通信切断要求を基に前記２つの通信レコードを消去して前記通信パスを抹消する端末間通信を可能としたことを特徴とするＩＰ網を用いた通信システム。
【請求項３７】
ＩＰ網は複数の終端ゲートウェイを含み、前記複数の終端ゲートウェイはは通信回線で直接又は間接的に接続され、前記終端ゲートウェイは網ノード装置を含み、
無線基地局Ｂ１は通信回線Ｌ１を経て論理端子ＬＰ１で終端ゲートウェイＧＷ１内の網ノード装置Ｎ１に接続され、無線基地局Ｂ２は通信回線Ｌ２を経て論理端子ＬＰ２で終端ゲートウェイＧＷ２内の網ノード装置Ｎ２に接続され、移動端末Ｍ１及びＭ２はＩＰアドレスを有し、外部ＩＰパケットを送受可能であり、
前記端末Ｍ１は電話番号又はホスト名を用いて前記端末Ｍ２に接続を要求するため、前記無線基地局Ｂ１と通信して無線通信路ＲＣ１を確保し、
接続要求及び前記端末Ｍ２の電話番号又はホスト名ＴＮ２を含む外部ＩＰパケットを、前記無線通信路ＲＣ１及び無線基地局Ｂ１経由で前記終端ゲートウェイＧＷ１に送信し、前記終端ゲートウェイＧＷ１は、その内部のドメイン名サーバを用いて、前記宛先端末Ｍ２との通信に関わる前記終端ゲートウェイＧＷ２及び前記無線基地局Ｂ２とを特定し、前記接続要求を含む初期アドレスメッセージを前記終端ゲートウェイＧＷ２に送信し、前記終端ゲートウェイＧＷ２は、前記接続要求に基づく着信通知を含む外部ＩＰパケットを前記無線基地局Ｂ２に送信し、前記無線基地局Ｂ２は前記端末Ｍ２と通信して無線通信路ＲＣ２を確保すると、前記着信通知を含む前記外部ＩＰパケットを前記端末Ｍ２に送信し、前記終端ゲートウェイＧＷ２は接続要求確認通知を含むアドレス完了メッセージを、前記終端ゲートウェイＧＷ１へ送信し、
前記端末Ｍ２は、応答準備開始を知らせる呼出中通知を含む外部ＩＰパケットを前記終端ゲートウェイＧＷ２に送信し、前記終端ゲートウェイＧＷ２は前記呼出中通知を含む呼経過メッセージを前記終端ゲートウェイＧＷ１へ送信し、前記終端ゲートウェイＧＷ１は前記呼出中通知を含む外部ＩＰパケットを前記無線基地局Ｂ１経由で前記端末Ｍ１に送信し、
前記端末Ｍ２は応答を知らせる応答通知を含む外部ＩＰパケットを前記終端ゲートウェイＧＷ２へ送信し、前記終端ゲートウェイＧＷ２は前記応答通知を含む応答メッセージを前記終端ゲートウェイＧＷ１へ送信し、前記終端ゲートウェイＧＷ１は前記応答通知を含む外部ＩＰパケットを前記端末Ｍ１に送信し、
前記端末Ｍ１への前記応答通知の送信により、端末間通信用の通信レコードの設定が可能となり、前記網ノード装置Ｎ１は前記論理端子ＬＰ１及びＬＰ２を識別する識別情報を含む通信レコードＲ１２をその内部に設定し、前記網ノード装置Ｎ２は、前記論理端子ＬＰ２及びＬＰ１を識別する識別情報を含む通信レコードＲ２１をその内部に設定し、前記通信レコードＲ１２及びＲ２１により前記論理端子ＬＰ１及びＬＰ２の間に通信パスＰ１２が設定され、
前記端末Ｍ１は外部ＩＰパケットＧＰを前記ＩＰ網へ送信すると、前記外部ＩＰパケットＧＰは前記論理端子ＬＰ１から前記網ノード装置Ｎ１に入力し、
前記網ノード装置Ｎ１は、前記外部ＩＰパケットＧＰに含まれるＩＰアドレスと、前記論理端子ＬＰ１により識別される前記通信レコードＲ１２に含まれるＩＰアドレスとを比較してアドレス条件を判定し、前記アドレス条件が満たされると前記外部ＩＰパケットＧＰを含む内部パケットＮＰを形成し、
前記内部パケットＮＰは前記通信パスＰ１２を経て前記網ノード装置Ｎ２に送信され、前記網ノード装置Ｎ２は前記通信レコードＲ２１を参照して前記内部パケットＮＰから前記外部ＩＰパケットＧＰを復元し、復元された前記外部ＩＰパケットＧＰを送信すると、前記外部ＩＰパケットＧＰは前記無線基地局Ｂ２、前記無線通信路ＲＣ２を経て前記端末Ｍ２に到達し、
前記終端ゲートウェイＧＷ１又は前記終端ゲートウェイＧＷ２は、前記端末Ｍ１又はＭ２からの通信切断要求を含む外部ＩＰパケットを基に解放メッセージ及び解放完了メッセージを送受し、前記通信レコードＲ１２又はＲ２１を消去し、前記通信パスＰ１２は抹消され、
端末からの接続要求を基に接続要求側及び宛先側終端ゲートウェイそれぞれの内部の網ノード装置に通信レコードを設定して前記網ノード装置間に通信パスを設定し、端末からの通信切断要求を基に前記２つの通信レコードを消去して前記通信パスを抹消し、無線通信路及び無線基地局を経由した端末間通信を可能としたことを特徴とするＩＰ網を用いた通信システム。
【請求項３８】
ＩＰ網は複数の終端ゲートウェイを含み、前記複数の終端ゲートウェイは通信回線で直接又は間接的に接続され、前記終端ゲートウェイは網ノード装置を含み、無線基地局Ｂ１は通信回線Ｌ１を経て論理端子ＬＰ１で前記終端ゲートウェイＧＷ１内の網ノード装置Ｎ１に接続され、無線基地局Ｂ２は通信回線Ｌ２を経て論理端子ＬＰ２で前記終端ゲートウェイＧＷ２内の網ノード装置Ｎ２に接続され、
移動端末Ｍ１は電話番号又はホスト名を用いて移動端末Ｍ２に接続を要求するため、
前記無線基地局Ｂ１と通信して無線通信路ＲＣ１を確保すると、記無線通信路ＲＣ１経由で、接続要求及び前記端末Ｍ２の電話番号又はホスト名ＴＮ２を前記無線基地局Ｂ１に送信し、前記無線基地局Ｂ１は前記接続要求及び前記電話番号又はホスト名ＴＮ２含む外部ＩＰパケットを前記終端ゲートウェイＧＷ１に送信し、前記終端ゲートウェイＧＷ１は、その内部のドメイン名サーバを用いて、前記宛先端末Ｍ２との通信に関わる前記終端ゲートウェイＧＷ２及び前記無線基地局Ｂ２とを特定し、前記接続要求を含む初期アドレスメッセージを前記終端ゲートウェイＧＷ２に送信し、前記終端ゲートウェイＧＷ２は、前記接続要求に基づく着信通知を含む外部ＩＰパケットを、前記網ノード装置Ｎ２経由で前記無線基地局Ｂ２に送信し、前記無線基地局Ｂ２は前記端末Ｍ２と通信して無線通信路ＲＣ２を確保すると、記無線通信路ＲＣ２経由で、前記着信通知を前記端末Ｍ２に送信し、前記終端ゲートウェイＧＷ２は、接続要求確認通知を含むアドレス完了メッセージを、前記終端ゲートウェイＧＷ１へ送信し、
前記端末Ｍ２は、応答準備開始を知らせる呼出中通知を前記無線基地局Ｂ２へ送信し、前記無線基地局Ｂ２は前記呼出中通知を含む外部ＩＰパケットを前記終端ゲートウェイＧＷ２に送信し、前記終端ゲートウェイＧＷ２は、呼出中通知を含む呼経過メッセージを前記終端ゲートウェイＧＷ１へ送信し、前記終端ゲートウェイＧＷ１は前記呼出中通知を含む外部ＩＰパケットを前記無線基地局Ｂ１に送信し、前記無線基地局Ｂ１は前記呼出中通知を前記端末Ｍ１に送信し、
前記端末Ｍ２は応答を知らせる応答通知を前記無線基地局Ｂ２へ送り、前記無線基地局Ｂ２は応答通知を含む外部ＩＰパケットを前記終端ゲートウェイＧＷ２に送信し、前記終端ゲートウェイＧＷ２は、応答通知を含む応答メッセージを、前記終端ゲートウェイＧＷ１へ送信し、前記終端ゲートウェイＧＷ１は前記応答通知を含む外部ＩＰパケットを前記無線基地局Ｂ１へ送り、前記無線基地局Ｂ１は前記応答通知を前記端末Ｍ１に送信し、
前記端末Ｍ１への前記応答通知の送信により、端末間通信用の通信レコードの設定が可能となり、前記網ノード装置Ｎ１は前記論理端子ＬＰ１及びＬＰ２を識別する識別情報を含む通信レコードＲ１２をその内部に設定し、前記網ノード装置Ｎ２は、前記論理端子ＬＰ２及びＬＰ１を識別する識別情報を含む通信レコードＲ２１をその内部に設定し、前記通信レコードＲ１２及びＲ２１により前記論理端子ＬＰ１及びＬＰ２の間に通信パスＰ１２が設定され、
前記端末Ｍ１は音声又はデータを含む外部ＩＰパケットＧＰを前記ＩＰ網へ送信すると、前記外部ＩＰパケットＧＰは前記論理端子ＬＰ１から前記網ノード装置Ｎ１に入力し、
前記網ノード装置Ｎ１は、前記外部ＩＰパケットＧＰに含まれるＩＰアドレスと、前記論理端子ＬＰ１により識別される前記通信レコードＲ１２に含まれるＩＰアドレスとを比較してアドレス条件を判定し、前記アドレス条件が満たされると前記外部ＩＰパケットＧＰを含む内部パケットＮＰを形成し、
前記内部パケットＮＰは前記通信パスＰ１２を経て前記網ノード装置Ｎ２に送信され、前記網ノード装置Ｎ２は前記通信レコードＲ２１を参照して前記内部パケットＮＰから前記外部ＩＰパケットＧＰを復元し、復元された前記音声又はデータを含む外部ＩＰパケットＧＰを前記無線基地局Ｂ２に送信し、前記無線基地局Ｂ２は、前記音声又はデータを前記端末Ｍ２に送信し、
前記終端ゲートウェイＧＷ１又はＧＷ２は、前記端末Ｍ１又はＭ２からの通信切断要求を含む外部ＩＰパケット基に解放メッセージ及び解放完了メッセージを送受し、前記通信レコードＲ１２又はＲ２１を消去し、前記通信パスＰ１２は抹消され、
端末からの接続要求を基に接続要求側及び宛先側終端ゲートウェイそれぞれの内部の網ノード装置に通信レコードを設定して前記網ノード装置間に通信パスを設定し、端末からの通信切断要求を基に前記通信パスを抹消し無線基地局を経由した端末間通信を可能としたことを特徴とするＩＰ網を用いた通信システム。
【請求項３９】
前記ＩＰ網内部を転送される内部パケットは内部ＩＰパケットであり、
前記網ノード装置Ｎ１又はＮ２は、その論理端子ＬＰ１又はＬＰ２から入力した外部ＩＰパケットに含まれるＩＰアドレスと前記論理端子ＬＰ１又はＬＰ２を識別する識別情報を含む通信レコードに含まれるＩＰアドレスとを比較してアドレス条件を判定し、前記アドレス条件が満たされるとき、前記外部ＩＰパケットをＩＰカプセル化して内部ＩＰパケットを形成して前記ＩＰ網内部へ送信し、
内部ＩＰパケットを受信すると、当該網ノード装置の通信レコードを参照して前記内部ＩＰパケットを逆ＩＰカプセル化して得られる外部ＩＰパケットを前記ＩＰ網外部の通信回線へ送信するようになっている請求項３６乃至３８のいずれかに記載のＩＰ網を用いた通信システム。
【請求項４０】
前記ＩＰ網内部を転送される内部パケットは簡易ヘッダ付内部パケットであり、前記網ノード装置Ｎ１又はＮ２は、その論理端子ＬＰ１又はＬＰ２から入力した外部ＩＰパケットに含まれるＩＰアドレスと前記論理端子ＬＰ１又はＬＰ２を識別する識別情報を含む通信レコードに含まれるＩＰアドレスとを比較してアドレス条件を判定し、前記アドレス条件が満たされるとき、前記外部ＩＰパケットを簡易カプセル化して簡易ヘッダ付内部パケットを形成して前記ＩＰ網内部へ送信し、前記簡易ヘッダは宛先アドレスを含むが送信元アドレスを含まず、
簡易ヘッダ付内部パケットを受信すると、当該網ノード装置の通信レコードを参照して前記簡易ヘッダ付内部パケットを簡易逆カプセル化して得られる外部ＩＰパケットを前記ＩＰ網外部の通信回線へ送信し、前記簡易逆カプセル化は前記簡易ヘッダ付内部パケットから前記簡易ヘッダを除くことにより達成されるようになっている請求項３６乃至３８のいずれかに記載のＩＰ網を用いた通信システム。
【請求項４１】
前記ＩＰ網内部を転送される内部パケットは、外部ＩＰパケットに拡張タグを付加する拡張タグカプセル化により得られる拡張タグ内部パケットが転送されるようになっており、前記拡張タグは送信元アドレス及び宛先アドレス格納域を含み、
前記網ノード装置Ｎ１又はＮ２は、その論理端子ＬＰ１又はＬＰ２から入力した外部ＩＰパケットに含まれるＩＰアドレスと前記論理端子ＬＰ１又はＬＰ２を識別する識別情報を含む通信レコードに含まれるＩＰアドレスとを比較してアドレス条件を判定し、
前記アドレス条件が満たされると、前記外部ＩＰパケットに拡張タグを付加する拡張タグカプセル化が行われて拡張タグ内部パケットが形成され、拡張タグ内部パケットを受信すると、当該網ノード装置の通信レコードを参照して前記拡張タグ内部パケットから拡張タグを除く、拡張タグ逆カプセル化により得られる外部ＩＰパケットを前記ＩＰ網外部の通信回線へ送信するようになっている請求項３６乃至３８のいずれかに記載のＩＰ網を用いた通信システム。
【請求項４２】
ＩＰ網は複数の終端ゲートウェイを含み、終端ゲートウェイは網ノード装置を含み、端末Ｔ１は通信回線Ｌ１を経て論理端子ＬＰＴ１で終端ゲートウェイＧＷ１内の網ノード装置Ｎ１に接続され、端末Ｔ２は通信回線Ｌ２を経て論理端子ＬＰＴ２で終端ゲートウェイＧＷ２内網ノード装置Ｎ２に接続され、
前記網ノード装置Ｎ１は通信レコードＲ１を設定しており、前記網ノード装置Ｎ２は通信レコードＲ２を設定しており、
前記網ノード装置Ｎ１又はＮ２は、前記論理端子ＬＰＴ１又はＬＰＴ２から入力する外部ＩＰパケットに含まれるＩＰアドレスと、前記通信レコードＲＴ１又はＲＴ２に含まれるＩＰアドレスとを比較してアドレス条件を判定し、前記アドレス条件が満たされると、ＩＰカプセル化して内部ＩＰパケットに変換し、前記アドレス入力条件を満たさない外部ＩＰパケットは廃棄され、
前記端末Ｔ１は電話番号又はホスト名を用いて前記端末Ｔ２に接続要求するため、接続要求及び前記端末Ｔ２の電話番号又はホスト名ＴＮＴ２を含む外部ＩＰパケットを終端ゲートウェイＧＷ１に送信し、前記終端ゲートウェイＧＷ１は、前記電話番号又はホスト名ＴＮＴ２を前記終端ゲートウェイＧＷ１内部のドメイン名サーバに入力して、前記端末Ｔ２との通信に関わるアドレス情報を取得し、前記アドレス情報は前記宛先端末Ｔ２の外部ＩＰアドレスＥＡＴ２及び前記論理端子ＬＰＴ２の識別情報としての内部ＩＰアドレスＩＡＴ２を含み、前記終端ゲートウェイＧＷ１は前記接続要求を含む初期アドレスメッセージを前記終端ゲートウェイＧＷ２へ送信し、前記終端ゲートウェイＧＷ２は、前記ＩＰ網は着信通知を含む外部ＩＰパケットを前記端末Ｔ２に送信すると共に、接続要求確認通知を含むアドレス完了メッセージを、前記終端ゲートウェイＧＷ１へ送信し、
前記端末Ｔ２は応答準備開始を知らせる呼出中通知を含む外部ＩＰパケットを前記終端ゲートウェイＧＷ２に送信し、前記終端ゲートウェイＧＷ２は、前記呼出中通知を含む呼経過メッセージを前記終端ゲートウェイＧＷ１へ送信し、前記終端ゲートウェイＧＷ１は前記呼出中通知を含む外部ＩＰパケットを前記端末Ｔ１に送信し、
前記端末Ｔ２は応答を知らせる応答通知を含む外部ＩＰパケットを前記終端ゲートウェイＧＷ２に送信し、前記終端ゲートウェイＧＷ２は、前記応答通知を含む応答メッセージを前記終端ゲートウェイＧＷ１へ送信し、前記終端ゲートウェイＧＷ１は前記応答通知及び前記外部ＩＰアドレスＥＡＴ２を含む外部ＩＰパケットを前記端末Ｔ１に送信し、
前記端末Ｔ１への前記応答通知の送信により、端末間通信用の通信レコードの設定が可能となり、前記終端ゲートウェイＧＷ１は前記網ノード装置Ｎ１に対して通信レコードＲ１２の設定を指示し、終端ゲートウェイＧＷ２は前記網ノード装置Ｎ２に対して通信レコードＲ２１の設定を指示し、前記通信レコードＲ１２は前記外部ＩＰアドレスＥＡＴ２及び前記内部ＩＰアドレスＩＡＴ２を含み、前記通信レコードＲ１２及びＲ２１は前記網ノード装置Ｎ１及びＮ２の間に内部ＩＰパケットが転送される通信パスＰ１２を定めており、
前記端末Ｔ１が音声又はデータを含み前記端末Ｔ２の外部ＩＰアドレスＥＡＴ２を宛先アドレスとする外部ＩＰパケット１２を送信し、前記外部ＩＰパケット１２は終端ゲートウェイＧＷ１に到達すると、
前記終端ゲートウェイＮ１は、前記外部ＩＰパケット１２に含まれるＩＰアドレスと、前記通信レコードＲ１２に含まれるＩＰアドレスとを比較してアドレス条件を判定し、前記アドレス条件が満たされると、ＩＰカプセル化され、前記内部ＩＰアドレスＩＡＴ２を宛先アドレスとする内部ＩＰパケット１２に変換されて前記通信パスＰ１２を転送され、前記網ノード装置Ｎ２で前記通信レコードＲ２１が参照され、逆ＩＰカプセル化されて復元された前記外部ＩＰパケット１２が前記端末Ｔ２に送信され、
前記端末Ｔ１が通信解放通知を含む外部ＩＰパケットを前記終端ゲートウェイＧＷ１に送信し、前記終端ゲートウェイＧＷ１及びＧＷ２は、解放メッセージ及び解放完了メッセージを送受して前記通信レコードＲ１２及び前記通信レコードＲ２１の抹消を指示し、前記通信パスＰ１２が抹消され、
前記終端ゲートウェイＧＷ１は、内部のドメイン名サーバを用いて、宛先端末の電話番号又はホスト名から、宛先端末との通信に関わるアドレス情報を取得して前記終端ゲートウェイＧＷ１及びＧＷ２の間に通信パスを設定し、前記通信パスを経由する端末間通信を可能としたことを特徴とするＩＰ網を用いた通信システム。
【請求項４３】
外部ＩＰアドレスＥＡ１ｘである端末Ｔ１ｘが通信回線Ｌ１ｘを経て前記終端ゲートウェイＧＷ１内の前記網ノード装置Ｎ１に接続され、外部ＩＰアドレスＥＡ２ｘである端末Ｔ２ｘが通信回線Ｌ２ｘを経て前記終端ゲートウェイＧＷ２内の前記網ノード装置Ｎ２に接続され、
前記網ノード装置Ｎ１は通信レコードＲ１ｘを設定しており、前記網ノード装置Ｎ２は通信レコードＲ２ｘを設定しており、
前記端末Ｔ１ｘが送信元外部ＩＰアドレスＥＡ１ｘ，宛先外部ＩＰアドレスＥＡ２ｘである外部ＩＰパケットを送出し、前記外部ＩＰパケットは前記網ノード装置Ｎ１で前記通信レコードＲ１ｘのアドレス入力条件を満たすとＩＰカプセル化され、内部ＩＰパケットとなって前記ＩＰ網内部を転送され、前記網ノード装置Ｎ２において前記通信レコードＲ２ｘが用いられて逆ＩＰカプセル化されて復元した前記外部ＩＰパケットが前記端末Ｔ２ｘに到達するようになっており、前記端末Ｔ１ｘ及び端末Ｔ２ｘの間でＩＰパケットを送受する通信が可能である請求項４２に記載のＩＰ網を用いた通信システム。
【請求項４４】
前記端末間の通信フェーズにおいて、前記端末Ｔ１及びＴ２が、ポート番号Ｐ１及びＰ２を設定したＩＰパケットを送受する通信Ｐを継続しながら、前記端末Ｔ１及びＴ２は前記通信Ｐと併行して、前記ポート番号Ｐ１及びＰ２と異なるポート番号Ｑ１及びＱ２を設定したＩＰパケットを送受する通信Ｑを実施するようになっている請求項４３に記載のＩＰ網を用いた通信システム。
【請求項４５】
前記通信Ｐはデータを送受する通信又は音声を送受する通信であり、前記通信Ｑは静止画像、動画像、音声、動画像、電子文書を送受する通信である請求項４４に記載のＩＰ網を用いた通信システム。
【請求項４６】
ＩＰ網は内部網Ａ及び内部網Ｂを含み、複数の終端ゲートウェイＧＷを含み、終端ゲートウェイＧＷは網ノード装置を含み、
端末Ｔ１は通信回線Ｌ１を経由し論理端子ＬＰ１で終端ゲートウェイＧＷ１内の網ノード装置Ｎ１に接続され、端末Ｔ２は通信回線Ｌ２を経由し論理端子ＬＰ２で終端ゲートウェイＧＷ２内の網ノード装置Ｎ２に接続され、端末Ｔ３は通信回線Ｌ３を経由し論理端子ＬＰ３で前記網ノード装置Ｎ２に接続され、
網ノード装置Ｎ１は前記論理端子ＬＰ１を識別する識別情報を含む通信レコードＲ１ＡとＲ１Ｂとを含み、前記通信レコードＲ１Ａはポート制御レコードＰ１Ａを付与され、前記通信レコードＲ１Ｂはポート制御レコードＰ１Ｂを付与され、
網ノード装置Ｎ２は前記論理端子ＬＰ２を識別する識別情報を含む通信レコードＲ２Ａと前記論理端子ＬＰ３を識別する識別情報を含む通信レコードＲ２Ｂとを含み、前記通信レコードＲ１Ａ及びＲ２Ａは前記網ノード装置Ｎ１及びＮ２の間に内部パケットが転送される通信パスＰ１２Ａを定めており、前記通信パスＰ１２Ａは前記内部網Ａに含まれ、
前記通信レコードＲ１Ｂ及びＲ２Ｂは前記網ノード装置Ｎ１及びＮ２の間に内部パケットが転送される通信パスＰ１２Ｂを定めており、前記通信パスＰ１２Ｂは前記内部網Ｂに含まれ、
前記端末Ｔ１から、宛先ポート番号がポート番号Ｐ２ａである外部ＩＰパケットＡが送出され、前記外部ＩＰパケットＡは前記通信回線Ｌ１を転送されて前記論理端子ＬＰ１から前記網ノード装置Ｎ１に入力し、前記網ノード装置Ｎ１は、前記外部ＩＰパケットＡに含まれるＩＰアドレスと、前記通信レコードＲ１Ａとに含まれるＩＰアドレスとを比較してアドレス条件を判定し、前記アドレス条件が満たされると、前記網ノード装置Ｎ１は、前記外部ＩＰパケットＡに含まれる前記宛先ポート番号Ｐ１ａと前記ポート制御レコードＰ１Ａに含まれるポート条件を比較してポート条件を判定し、前記ポート条件が満たされると、前記外部ＩＰパケットＡはＩＰカプセル化されて内部パケットＡとなり、
前記内部パケットＡは前記内部網Ａ内を経由する前記通信パスＰ１２Ａを転送されて前記網ノード装置Ｎ２に到達し、前記内部パケットＡは、前記網ノード装置Ｎ２において、前記通信レコードＲ２Ａが参照されて前記外部ＩＰパケットＡに復元され、復元された前記外部ＩＰパケットＡが通信回線Ｌ２経由で前記端末Ｔ２に送信され、
前記端末Ｔ１から、宛先ポート番号がポート番号Ｐ２ｂである外部ＩＰパケットＢが送出され、前記外部ＩＰパケットＢは前記通信回線Ｌ１を転送されて前記論理端子ＬＰ１から終端ゲートウェイＧＷ１内の前記網ノード装置Ｎ１に入力し、前記網ノード装置Ｎ１は、前記外部ＩＰパケットＢに含まれるＩＰアドレスと、前記通信レコードＲ１Ｂとに含まれるＩＰアドレスとを比較してアドレス条件を判定し
前記アドレス条件が満たされると、前記網ノード装置Ｎ１は、前記外部ＩＰパケットＢに含まれるポート番号Ｐ１ｂ及びＰ２ｂと前記ポート制御レコードＰ１Ｂとに含まれるポート番号とを比較してポート条件を判定し、
前記ポート条件が満たされると、前記外部ＩＰパケットＢはＩＰカプセル化されて内部パケットＢとなり、
前記内部パケットＢは前記内部網Ｂ内を経由する前記通信パスＰ１２Ｂを転送されて終端ゲートウェイＧＷ２内の前記網ノード装置Ｎ２に到達し、前記内部パケットＢは、前記網ノード装置Ｎ２において、前記通信レコードＲ２Ｂが参照されて前記外部ＩＰパケットＢに復元され、復元された前記外部ＩＰパケットＢが通信回線Ｌ３経由で前記端末Ｔ３に送信され、
外部ＩＰパケットは、網ノード装置に入力すると、通信レコードが定めるアドレス条件及びポート制御レコードが定めるポート条件を満たすとＩＰカプセル化されて内部パケットとなり、前記内部パケットが前記外部ＩＰパケット内の宛先ポート番号に応じて異なる内部ＩＰ網に転送されることを特徴とするＩＰ網を用いた通信システム。
【請求項４７】
前記内部網Ａは内部パケット転送遅延時間が少ない電話音声通信向きの内部網であり、前記内部網Ｂは遅延時間が大きいが通信コスト抑止を重視している大量データ転送向き内部網である請求項４６に記載のＩＰ網を用いた通信システム。
【請求項４８】
ＩＰ網は複数の網ノード装置を含み、無線基地局Ｂ１は通信回線Ｌ１を経て論理端子ＬＰＢ１で網ノード装置Ｎ１に接続され、無線基地局Ｂ２は通信回線Ｌ２を経て論理端子ＬＰＢ２で網ノード装置Ｎ２に接続され、
前記網ノード装置Ｎ１は、内部の装置制御表Ｈ１内に前記論理端子ＬＰＢ１を識別する識別情報を含む通信レコードＲ１を設定しており、前記網ノード装置Ｎ２は内部の装置制御表Ｈ２内に前記論理端子ＬＰＢ２を識別する識別情報を含む通信レコードＲ２を設定しており、前記網ノード装置Ｎ１又はＮ２は、前記論理端子ＬＰＢ１又はＬＰＢ２から入力する外部ＩＰパケットに含まれるＩＰアドレスと、前記通信レコードＲ１又はＲ２に含まれるＩＰアドレスとを比較してアドレス条件を判定し、
前記アドレス条件が満たされると、前記外部ＩＰパケットをＩＰカプセル化した内部ＩＰパケットを前記ＩＰ網へ入力する機能を有し、前記アドレス条件外の外部ＩＰパケットを廃棄する機能を有し、
移動端末Ｍ１は前記無線基地局Ｂ１と通信して無線通信路ＲＣ１を確保し、電話番号を用いて移動端末Ｍ２に接続要求するため、接続要求、前記端末Ｍ１の電話番号ＴＮＭ１及び前記端末Ｍ２の電話番号ＴＮＭ２を含む外部ＩＰパケット１を形成して前記無線基地局Ｂ１経由で前記ＩＰ網へ送信し、前記外部ＩＰパケット１は内部ＩＰパケット１となって前記ＩＰ網に入力し、
前記ＩＰ網は、内部の上位ドメイン名サーバＤＳを用いて、前記内部ＩＰパケット１から取得した前記電話番号ＴＮＭ２から前記宛先端末Ｍ２との通信に関わるアドレス情報を取得し、前記アドレス情報は前記端末Ｍ２の外部ＩＰアドレスＥＡＭ２、前記論理端子ＬＰＢ２の識別情報としての内部ＩＰアドレスＩＡＢ２であり、
前記ＩＰ網は、前記端末Ｍ１と端末認証用情報を交換して前記端末Ｍ１の正当性を確認し、
前記ＩＰ網は前記電話番号ＴＮＭ１及びＴＮＭ２から回線番号ＣＮＭ１Ｍ２を定め、前記電話番号ＴＮＭ１及びＴＮＭ２、前記回線番号ＣＮＭ１Ｍ２の組を回線管理表ＣＭに記録し、
前記ＩＰ網は前記着信通知を含む内部パケット２ａを送信し、前記内部パケット２ａは前記網ノード装置Ｎ２で前記通信レコードＲ２が参照され外部ＩＰパケット２ａに変換されて前記無線基地局Ｂ２に到達し、前記無線基地局Ｂ２は無線通信路ＲＣ２を確保し、前記ＩＰ網は前記無線基地局Ｂ２及び無線通信路ＲＣ２経由で前記端末Ｍ２と端末認証用情報を交換して前記端末Ｍ２の正当性を確認し、前記端末Ｍ２は前記着信通知を受信し、
前記端末Ｍ２は応答準備開始を知らせる呼出中通知を含む外部ＩＰパケット３を形成して送信し、前記外部ＩＰパケット３は、その内部に含まれるＩＰアドレスと、前記通信レコードＲ２に含まれるＩＰアドレスとを比較してアドレス条件が判定され、
前記アドレス条件が満たされると、内部パケット３になって前記ＩＰ網に入力し、前記呼出中通知を含む内部パケット４を送信すると、前記ＩＰ網は、前記内部パケット４は前記網ノード装置Ｎ１で前記通信レコードＲ１が参照され外部ＩＰパケット４に変換されて前記端末Ｍ１に到達し、
前記端末Ｍ２は応答を知らせる応答通知含む外部ＩＰパケット５を形成して送信し、前記外部ＩＰパケット５は、その内部に含まれるＩＰアドレスと、前記通信レコードＲ２に含まれるＩＰアドレスとを比較してアドレス条件が判定され、前記アドレス条件が満たされると、内部パケット５となって前記ＩＰ網に入力し、
前記ＩＰ網は、前記応答通知及び前記端末Ｍ２の外部ＩＰアドレスＥＡＭ２を含む内部パケット６を送信し、前記内部パケット６は前記網ノード装置Ｎ１で前記通信レコードＲ１が参照され外部ＩＰパケット６に変換されて前記無線基地局Ｂ１を経て前記端末Ｍ１に到達し、
前記端末Ｍ１への前記応答通知の送信により、端末間通信用の通信レコードの設定が可能となり、前記ＩＰ網は前記網ノード装置Ｎ１に通信レコードＲ１２を設定し、前記網ノード装置Ｎ２に通信レコードＲ２１を設定し、前記通信レコードＲ１２及びＲ２１は前記網ノード装置Ｎ１及びＮ２の間に内部ＩＰパケットが転送される通信パスＰ１２を定めており、
前記端末Ｍ１が前記端末Ｍ２の外部ＩＰアドレスＥＡＭ２を宛先アドレスとするＩＰパケット７を送信すると、前記外部ＩＰパケット７は、その内部に含まれるＩＰアドレスと、前記論理端子ＬＰＢ１により識別される前記通信レコードＲ１２に含まれるＩＰアドレスとを比較してアドレス条件が判定され、前記アドレス条件が満たされるとＩＰカプセル化され、前記内部ＩＰアドレスＩＡＢ２を宛先アドレスとする内部ＩＰパケット７に変換されて前記通信パスＰ１２を転送され、前記網ノード装置Ｎ２で前記通信レコードＲ２１が参照され、逆ＩＰカプセル化されて復元された前記外部ＩＰパケット７が前記無線基地局Ｂ２を経て前記端末Ｍ２に到達し、
前記端末Ｍ１が通信解放通知を含む外部ＩＰパケット９を前記ＩＰ網に向けて送信すると、前記外部ＩＰパケット９は前記網ノード装置Ｎ１で前記通信解放通知を含む内部ＩＰパケット９になって前記ＩＰ網に入力し、
前記ＩＰ網は、解放指示を含む内部パケット１０を前記端末Ｍ２に向けて送信すると、前記内部パケット１０は前記網ノード装置Ｎ２で外部パケット１０となって前記無線基地局Ｂ２を経て前記端末Ｍ２に到達し、前記ＩＰ網は前記通信レコードＲ１２及びＲ２１を抹消し、
前記ＩＰ網は接続要求毎にＩＰ網内に通信パスを設定し、移動端末が送信した外部ＩＰパケットはＩＰカプセル化され内部パケットとなって前記通信パスを転送され、通信終了後は前記通信パスが解放され、ＩＰ網は通信レコードが定めるアドレス条件を満たさない外部ＩＰパケットを廃棄して安全性を確保し、移動端末間通信を可能としたことを特徴とするＩＰ網を用いた通信システム。
【請求項４９】
ＩＰ網は複数の網ノード装置を含み、無線基地局Ｂ１は通信回線Ｌ１を経て論理端子ＬＰＢ１で網ノード装置Ｎ１に接続され、無線基地局Ｂ２は通信回線Ｌ２を経て論理端子ＬＰＢ２で網ノード装置Ｎ２に接続され、
前記網ノード装置Ｎ１は内部の装置制御表Ｈ１内に前記論理端子ＬＰＢ１を識別する識別情報を含む通信レコードＲ１を設定しており、前記網ノード装置Ｎ２は内部の装置制御表Ｈ２内に前記論理端子ＬＰＢ２を識別する識別情報を含む通信レコードＲ２を設定しており、
前記網ノード装置Ｎ１又はＮ２は、前記論理端子ＬＰＢ１又はＬＰＢ２から入力する外部ＩＰパケットに含まれるＩＰアドレスと、前記通信レコードＲ１又はＲ２に含まれるＩＰアドレスとを比較してアドレス条件を判定し、前記アドレス条件が満たされると、前記外部ＩＰパケットをＩＰカプセル化した内部ＩＰパケットを前記ＩＰ網へ送信する機能を有し、
移動端末Ｍ１は前記無線基地局Ｂ１と通信して無線通信路ＲＣ１を確保し、電話番号を用いて移動端末Ｍ２に接続要求するため、前記端末Ｍ２の電話番号ＴＮＭ２を含む接続要求を前記無線基地局Ｂ１に送信し、前記無線基地局Ｂ１は、前記接続要求、前記端末Ｍ１の電話番号ＴＮＭ１及び前記電話番号ＴＮＭ２を含む外部ＩＰパケット１を形成してＩＰ網へ送信し、前記外部ＩＰパケット１は内部ＩＰパケット１となって前記ＩＰ網に入力し、
前記ＩＰ網は前記内部ＩＰパケット１から前記電話番号ＴＮＭ１及びＴＮＭ２を取得し、内部の上位ドメイン名サーバＤＳを用いて、前記電話番号ＴＮＭ２から前記宛先端末Ｍ２との通信に関わるアドレス情報を取得し、前記アドレス情報は前記無線基地局Ｂ２の外部ＩＰアドレスＥＡＢ２、前記論理端子ＬＰＢ２の識別情報としての内部ＩＰアドレスＩＡＢ２であり、
前記ＩＰ網は前記端末Ｍ１と端末認証用情報を交換して前記端末Ｍ１の正当性を確認し、
前記ＩＰ網は前記電話番号ＴＮＭ１及びＴＮＭ２から回線番号ＣＮＭ１Ｍ２を定め、前記電話番号ＴＮＭ１及びＴＮＭ２、前記回線番号ＣＮＭ１Ｍ２の組を回線管理表ＣＭに記録し、
前記ＩＰ網は、前記着信通知を含む内部パケット２ａを送信し、前記内部パケット２ａは前記網ノード装置Ｎ２で前記通信レコードＲ２が参照され外部ＩＰパケット２ａに変換されて前記無線基地局Ｂ２に到達し、前記無線基地局Ｂ２は無線通信路ＲＣ２を確保し、前記ＩＰ網は前記無線基地局Ｂ２及び前記無線通信路ＲＣ２経由で前記端末Ｍ２と端末認証用情報を交換して前記端末Ｍ２の正当性を確認し、前記端末Ｍ２は前記着信通知を受信し、
前記端末Ｍ２は応答準備開始を知らせる呼出中通知を前記無線基地局Ｂ２に送信し、前記無線基地局Ｂ２は前記呼出中通知を含む外部ＩＰパケット３を形成して送信し、前記外部ＩＰパケット３は、その内部に含まれるＩＰアドレスと、前記通信レコードＲ２に含まれるＩＰアドレスとを比較してアドレス条件が判定され、前記アドレス条件が満たされると、内部パケット３になって前記ＩＰ網に入力し、
前記ＩＰ網は、前記呼出中通知を含む内部パケット４を送信すると、前記内部パケット４は前記網ノード装置Ｎ１で前記通信レコードＲ１が参照され、外部ＩＰパケット４に変換されて前記無線基地局Ｂ１に到達し、前記無線基地局Ｂ１は前記呼出中通知を前記無線通信路ＲＣ１経由で前記端末Ｍ１に送信し、
前記端末Ｍ２は応答を知らせる応答通知を前記無線基地局Ｂ２に送信し、前記無線基地局Ｂ２は前記応答通知を含む外部ＩＰパケット５を形成して送信し、前記外部ＩＰパケット５に含まれるＩＰアドレスと、前記通信レコードＲ２に含まれるＩＰアドレスとを比較してアドレス条件が判定され、前記アドレス条件が満たされると内部パケット５となって前記ＩＰ網に入力し、
前記ＩＰ網は前記応答通知及び前記外部ＩＰアドレスＥＡＢ２を含む内部パケット６を形成して送信し、前記内部ＩＰパケット６は前記網ノード装置Ｎ１で前記通信レコードＲ１が参照され、外部ＩＰパケット６に変換されて前記無線基地局Ｂ１に到達し、前記無線基地局Ｂ１は前記外部ＩＰアドレスＥＡＢ２を保持し、前記応答通知を前記無線通信路ＲＣ１経由で端末Ｍ１に送信し、
前記端末Ｍ１への前記応答通知の送信により、端末間通信用の通信レコードの設定が可能となり、前記ＩＰ網は前記網ノード装置Ｎ１に通信レコードＲ１２を設定し、前記網ノード装置Ｎ２に通信レコードＲ２１を設定し、前記通信レコードＲ１２及びＲ２１は前記網ノード装置Ｎ１及びＮ２の間に内部ＩＰパケットが転送される通信パスＰ１２を定めており、
前記端末Ｍ１は音声又はデータを無線基地局Ｂ１に送信し、前記無線基地局Ｂ１は前記音声又はデータを含み、前記無線基地局Ｂ２の外部ＩＰアドレスＥＡＢ２を宛先アドレスとするＩＰパケット７を形成して送信し、前記外部ＩＰパケット７に含まれるＩＰアドレスと、前記論理端子ＬＰＢ１により識別される前記通信レコードＲ１２に含まれるＩＰアドレスとを比較してアドレス条件が判定され、
前記アドレス条件が満たされるとＩＰカプセル化され、前記内部ＩＰアドレスＩＡＢ２を宛先アドレスとする内部ＩＰパケット７に変換されて前記通信パスＰ１２を転送され、前記網ノード装置Ｎ２で前記通信レコードＲ２１が参照され、逆ＩＰカプセル化されて復元された前記外部ＩＰパケット７が前記無線基地局Ｂ２に到達し、前記無線基地局Ｂ２は前記外部ＩＰパケット７から取得した前記音声又はデータを前記無線通信路ＲＣ２経由して前記端末Ｍ２に送信し、
前記端末Ｍ１は通信解放通知を前記無線基地局Ｂ１へ送信し、前記無線基地局Ｂ１は前記通信解放通知含む外部ＩＰパケット９を形成して前記ＩＰ網に送信すると、前記外部ＩＰパケット９は前記網ノード装置Ｎ１で前記通信解放通知を含む内部ＩＰパケット９になって前記ＩＰ網に入力し、
前記ＩＰ網は解放指示を含む内部パケット１０を前記無線基地局Ｂ２に向けて送信し、前記無線基地局Ｂ２は解放指示を含む外部ＩＰパケットを受信し、前記解放指示を前記端末Ｍ２に向けて送信し、前記ＩＰ網は前記通信レコードＲ１２及びＲ２１を抹消し、
ＩＰ網は接続要求毎にＩＰ網内に通信パスを設定し、移動端末が送信した外部ＩＰパケットは内部パケットとなって前記通信パスを転送され、通信終了後は前記通信パスが解放され、ＩＰ網は通信レコードが定めるアドレス条件を満たさない外部ＩＰパケットを廃棄して安全性を確保し、電話番号を用いた移動端末間通信を可能としたことを特徴とするＩＰ網を用いた通信システム。
【請求項５０】
ＩＰ網は複数の網ノード装置を含み、無線基地局Ｂ１は通信回線Ｌ１を経て論理端子ＬＰＢ１で網ノード装置Ｎ１に接続され、固定端末Ｔ２は通信回線Ｌ２を経て論理端子ＬＰＴ２で網ノード装置Ｎ２に接続され、
前記網ノード装置Ｎ１は内部の装置制御表Ｈ１内に前記論理端子ＬＰＢ１を識別する識別情報を含む通信レコードＲ１を設定しており、前記網ノード装置Ｎ２は内部の装置制御表Ｈ２内に前記論理端子ＬＰＴ２を識別する識別情報を含む通信レコードＲ２を設定しており、
前記網ノード装置Ｎ１又はＮ２は、前記論理端子ＬＰＢ１又はＬＰＢ２から入力する外部ＩＰパケットに含まれるＩＰアドレスと、前記通信レコードＲ１又はＲ２に含まれるＩＰアドレスとを比較してアドレス条件を判定し、前記アドレス条件が満たされると、前記外部ＩＰパケットをＩＰカプセル化した内部ＩＰパケットを前記ＩＰ網に入力する機能を有し、
移動端末Ｍ１は前記無線基地局Ｂ１と通信して無線通信路ＲＣ１を確保し、電話番号を用いて固定端末Ｔ２に接続要求するため、接続要求、前記端末Ｍ１の電話番号ＴＮＭ１及び前記端末Ｔ２の電話番号ＴＮＴ２を含む外部ＩＰパケット１を形成して前記無線基地局Ｂ１経由でＩＰ網へ送信し、前記外部ＩＰパケット１は内部ＩＰパケット１となって前記ＩＰ網に入力し、
前記ＩＰ網は前記内部ＩＰパケット１から前記電話番号ＴＮＭ１及びＴＮＴ２を取得し、内部の上位ドメイン名サーバＤＳを用いて前記電話番号ＴＮＴ２から前記宛先端末Ｔ２との通信に関わるアドレス情報を取得し、前記アドレス情報は前記端末Ｔ２の外部ＩＰアドレスＥＡＴ２、前記論理端子ＬＰＴ２の識別情報としての内部ＩＰアドレスＩＡＴ２であり、
前記ＩＰ網は前記端末Ｍ１と端末認証用情報を交換して前記端末Ｍ１の正当性を確認し、
前記ＩＰ網は前記電話番号ＴＮＭ１及びＴＮＴ２から回線番号ＣＮＭ１Ｔ２を定め、少なくとも前記電話番号ＴＮＭ１及びＴＮＴ２、前記回線番号ＣＮＭ１Ｔ２の組を回線管理表ＣＭに記録し、
前記端末Ｔ２が着信可能であれば、前記ＩＰ網は着信通知を含む内部ＩＰパケット２を前記端末Ｔ２に向けて送信し、前記端末Ｔ２は前記着信通知を含む外部ＩＰパケット２を受信し、
前記端末Ｔ２は応答準備開始を知らせる呼出中通知を含む外部ＩＰパケット３を送信し、前記外部ＩＰパケット３は、その内部に含まれるＩＰアドレスと、前記通信レコードＲ２に含まれるＩＰアドレスとを比較してアドレス条件が判定され、前記アドレス条件が満たされると、内部ＩＰパケット３となって前記ＩＰ網に入力し、
前記ＩＰ網は前記呼出中通知を含む内部ＩＰパケット４を送信し、前記内部ＩＰパケット４は前記網ノード装置Ｎ１で前記通信レコードＲ１が参照され外部ＩＰパケット４となって前記端末Ｍ１に到達し、
前記端末Ｔ２は応答を知らせる応答通知含む外部ＩＰパケット５を送信すると、その内部に含まれるＩＰアドレスと、前記通信レコードＲ２に含まれるＩＰアドレスとを比較してアドレス条件が判定され、前記アドレス条件が満たされると内部ＩＰパケット５となって前記ＩＰ網に入力し、
前記ＩＰ網は前記応答通知及び前記端末Ｔ２の外部ＩＰアドレスＥＡＴ２を含む内部ＩＰパケット６を送信し、前記内部ＩＰパケット６は前記網ノード装置Ｎ１で前記通信レコードＲ１が参照され外部ＩＰパケット６に変換されて前記無線基地局Ｂ１経由で前記端末Ｍ１に到達し、
前記端末Ｍ１への前記応答通知の送信により、端末間通信用の通信レコードの設定が可能となり、前記ＩＰ網は前記網ノード装置Ｎ１に通信レコードＲ１２を設定し、前記網ノード装置Ｎ２に通信レコードＲ２１を設定し、前記通信レコードＲ１２及びＲ２１は前記網ノード装置Ｎ１及びＮ２の間に内部ＩＰパケットが転送される通信パスＰ１２を定めており、
前記端末Ｍ１が前記端末Ｔ２の外部ＩＰアドレスＥＡＴ２を宛先アドレスとするＩＰパケット７を送信すると、前記外部ＩＰパケット７に含まれるＩＰアドレスと、前記論理端子ＬＰＢ１により識別される前記通信レコードＲ１２に含まれるＩＰアドレスとを比較してアドレス条件が判定され、
前記アドレス条件が満たされると、ＩＰカプセル化されて前記内部ＩＰアドレスＩＡＴ２を宛先アドレスとする内部ＩＰパケット７となって前記通信パスＰ１２を転送され、前記網ノード装置Ｎ２で前記通信レコードＲ２１が参照され、逆ＩＰカプセル化されて復元された前記外部ＩＰパケット７が前記端末Ｔ２に到達し、
前記端末Ｍ１が通信解放通知を含む外部ＩＰパケット９を前記ＩＰ網に向けて送信すると、前記ＩＰ網は解放指示を含む内部ＩＰパケット１０を前記端末Ｔ２に向けて送信し、前記ＩＰ網は前記通信レコードＲ１２及びＲ２１を抹消し、
ＩＰ網は接続要求毎にＩＰ網内に通信パスを設定し、移動端末が送信した外部ＩＰパケットは内部ＩＰパケットとなって前記通信パスを転送され、通信終了後前記通信パスは抹消され、ＩＰ網は通信レコードが定めるアドレス条件を満たさない外部ＩＰパケットを廃棄して安全性を確保し、電話番号を用いた移動端末から固定端末への通信を可能としたことを特徴とするＩＰ網を用いた通信システム。
【請求項５１】
ＩＰ網は複数の網ノード装置を含み、無線基地局Ｂ１は通信回線Ｌ１を経て論理端子ＬＰＢ１で網ノード装置Ｎ１に接続され、固定端末Ｔ２は通信回線Ｌ２を経て論理端子ＬＰＴ２で網ノード装置Ｎ２に接続され、
前記網ノード装置Ｎ１は内部の装置制御表Ｈ１内に前記論理端子ＬＰＢ１を識別する識別情報を含む通信レコードＲ１を設定しており、前記網ノード装置Ｎ２は内部の装置制御表Ｈ２内に前記論理端子ＬＰＴ２を識別する識別情報を含む通信レコードＲ２を設定しており、
前記網ノード装置Ｎ１又はＮ２は、前記論理端子ＬＰＢ１又はＬＰＴ２から入力する外部ＩＰパケットに含まれるＩＰアドレスと、前記通信レコードＲ１又はＲ２に含まれるＩＰアドレスとを比較してアドレス条件を判定し、前記アドレス条件が満たされると、前記外部ＩＰパケットをＩＰカプセル化した内部ＩＰパケットを前記ＩＰ網に入力する機能を有し、
移動端末Ｍ１は前記無線基地局Ｂ１と通信して無線通信路ＲＣ１を確保し、電話番号を用いて固定端末Ｔ２に接続要求するため、前記端末Ｔ２の電話番号ＴＮＴ２を含む接続要求を前記無線基地局Ｂ１に送信し、前記無線基地局Ｂ１は、前記接続要求、前記端末Ｍ１の電話番号ＴＮＭ１及び前記電話番号ＴＮＴ２を含む外部ＩＰパケット１を形成してＩＰ網へ送信し、前記外部ＩＰパケット１は内部ＩＰパケット１となって前記ＩＰ網に入力し、
前記ＩＰ網は前記内部ＩＰパケット１から前記電話番号ＴＮＭ１及びＴＮＴ２を取得し、内部の上位ドメイン名サーバＤＳを用いて、前記電話番号ＴＮＴ２から前記宛先端末Ｔ２との通信に関わるアドレス情報を取得し、前記アドレス情報は前記端末Ｔ２の外部ＩＰアドレスＥＡＴ２、前記論理端子ＬＰＴ２の識別情報としての内部ＩＰアドレスＩＡＴ２であり、
前記ＩＰ網は前記端末Ｍ１と端末認証用情報を交換して前記端末Ｍ１の正当性を確認し、
前記ＩＰ網は前記電話番号ＴＮＭ１及びＴＮＴ２から回線番号ＣＮＭ１Ｔ２を定め、少なくとも前記電話番号ＴＮＭ１及びＴＮＴ２、前記回線番号ＣＮＭ１Ｔ２の組を回線管理表ＣＭに記録し、
前記ＩＰ網は、前記端末Ｔ２が着信可能であれば着信通知を含む内部ＩＰパケット２を前記端末Ｔ２へ向けて送信し、前記端末Ｔ２は前記着信通知を含む外部ＩＰパケット２を受信し、
前記端末Ｔ２は応答準備開始を知らせる呼出中通知を含む外部ＩＰパケット３を送信し、前記外部ＩＰパケット３は、その内部に含まれるＩＰアドレスと、前記通信レコードＲ２に含まれるＩＰアドレスとを比較してアドレス条件が判定され、
前記アドレス条件が満たされると内部ＩＰパケット３となって前記ＩＰ網に入力し、
前記ＩＰ網は前記呼出中通知を含む内部ＩＰパケット４を送信すると、前記内部ＩＰパケット４は前記網ノード装置Ｎ１で前記通信レコードＲ１が参照され外部ＩＰパケット４となって前記無線基地局Ｂ１に到達し、前記無線基地局Ｂ１は呼出中通知を前記無線通信路ＲＣ１経由で前記端末Ｍ１に送信し、
前記固定端末Ｔ２は応答を知らせる応答通知を含む外部ＩＰパケット５を送信し、前記外部ＩＰパケット５は、その内部に含まれるＩＰアドレスと、前記通信レコードＲ２に含まれるＩＰアドレスとを比較してアドレス条件が判定され、
前記アドレス条件が満たされると内部ＩＰパケット５となって前記ＩＰ網に入力し、
前記ＩＰ網は前記応答通知及び前記端末Ｔ２の外部ＩＰアドレスＥＡＴ２を含む内部ＩＰパケット６を送信し、前記内部ＩＰパケット６は前記網ノード装置Ｎ１で前記通信レコードＲ１が参照され外部ＩＰパケット６となって前記無線基地局Ｂ１に到達し、前記無線基地局Ｂ１は前記外部ＩＰアドレスＥＡＴ２を保持すると共に前記応答通知を前記無線通信路ＲＣ１経由で前記端末Ｍ１に送信し、
前記端末Ｍ１への前記応答通知の送信により、端末間通信用の通信レコードの設定が可能となり、前記ＩＰ網は前記網ノード装置Ｎ１に通信レコードＲ１２を設定し、前記網ノード装置Ｎ２に通信レコードＲ２１を設定し、前記通信レコードＲ１２及びＲ２１は前記網ノード装置Ｎ１及びＮ２の間に内部ＩＰパケットが転送される通信パスＰ１２を定めており、
前記端末Ｍ１は音声又はデータを無線基地局Ｂ１に送信し、前記無線基地局Ｂ１は前記音声又はデータを含み、前記端末Ｔ２の外部ＩＰアドレスＥＡＴ２を宛先アドレスとするＩＰパケット７を形成して送信すると、前記外部ＩＰパケット７に含まれるＩＰアドレスと、前記論理端子ＬＰＢ１により識別される前記通信レコードＲ１２に含まれるＩＰアドレスとを比較してアドレス条件が判定され、前記アドレス条件が満たされるとＩＰカプセル化されて前記内部ＩＰアドレスＩＡＴ２を宛先アドレスとする内部ＩＰパケット７となり、前記通信パスＰ１２を送信され、前記網ノード装置Ｎ２で前記通信レコードＲ２１が参照され逆ＩＰカプセル化されて復元された前記外部ＩＰパケット７が前記端末Ｔ２に到達し、
前記端末Ｍ１から前記無線基地局Ｂ１経由で通信解放通知を前記ＩＰ網へ送信し、前記ＩＰ網は解放指示を前記端末Ｔ２へ送信し、
前記ＩＰ網は前記通信レコードＲ１２及びＲ２１を抹消し、
ＩＰ網は接続要求毎にＩＰ網内に通信パスが設定し、移動端末が送信した外部ＩＰパケットは内部ＩＰパケットとなって前記通信パスを転送され、通信終了後前記通信パスは抹消され、ＩＰ網は通信レコードが定めるアドレス条件を満たさない外部ＩＰパケットを廃棄して安全性を確保し、電話番号を用いた移動端末から固定端末への通信を可能としたことを特徴とするＩＰ網を用いた通信システム。
【請求項５２】
前記ＩＰ網が前記通信レコードＲ１２を設定するとき、前記通信レコードＲ１２にプロトコル制御レコードＰＲ１を付与して設定しており、前記網ノード装置Ｎ１は、前記外部ＩＰパケット７に含まれるＩＰアドレスと、前記通信レコードＲ１２に含まれるＩＰアドレスとを比較してアドレス条件を判定し、
前記アドレス条件が満たされると、第１の比較として、前記外部ＩＰパケット７内のプロトコル種別と前記プロトコル制御レコードＰＲ１内の発信許容プロトコル種別とが比較され、
比較の結果として選択された前記外部ＩＰパケット７がＩＰカプセル化されて前記内部ＩＰパケット７となり、選択されない前記外部ＩＰパケット７は廃棄され、
第２の比較として、前記外部ＩＰパケット７内のプロトコル種別と前記プロトコル制御レコードＰＲ１内の発信抑止プロトコル種別とが比較され，抑止対象として選択された前記外部ＩＰパケット７が廃棄され、抑止対象でない前記外部ＩＰパケット７はＩＰカプセル化されて前記内部ＩＰパケット７となり、
前記第１の比較又は第２の比較のいずれかを実施するようになっている４８乃至５１のいずれかに記載のＩＰ網を用いた通信システム。
【請求項５３】
前記ＩＰ網が前記通信レコードＲ２１を設定するとき、前記通信レコードＲ２１にプロトコル制御レコードＰＲ２を付与して設定しており、前記網ノード装置Ｎ２は、前記外部ＩＰパケット７に含まれるＩＰアドレスと、前記通信レコードＲ２１に含まれるＩＰアドレスとを比較してアドレス条件を判定し、
前記アドレス条件が満たされると、第１の比較として、前記内部ＩＰパケット７内の前記外部ＩＰパケット７内のプロトコル種別と前記プロトコル制御レコードＰＲ２内の着信許容プロトコル種別とが比較され、比較の結果として選択された前記内部ＩＰパケット７は前記通信レコードＲ２１が参照されて逆ＩＰカプセル化されて前記外部ＩＰパケット７となり、選択されない前記内部ＩＰパケット７は廃棄され、
第２の比較として、前記内部ＩＰパケット７内の前記外部ＩＰパケット７内のプロトコル種別と前記プロトコル制御レコードＰＲ２内の着信抑止プロトコル種別とが比較され、抑止対象として選択された前記内部ＩＰパケット７が廃棄され、抑止対象でない前記内部ＩＰパケット７は前記通信レコードＲ２１が参照されて逆ＩＰカプセル化されて前記外部ＩＰパケット７となり、
前記第１の比較又は第２の比較のいずれかを実施するようになっているようになっている４８乃至５１のいずれかに記載のＩＰ網を用いた通信システム。
【請求項５４】
前記ＩＰ網が前記通信レコードＲ１２を設定するとき、前記通信レコードＲ１２にポート制御レコードＰＴ１を付与して設定しており、
前記外部ＩＰパケット７が前記論理端子ＬＰＢ１から前記網ノード装置Ｎ１に入力し、前記網ノード装置Ｎ１は、前記外部ＩＰパケット７に含まれるＩＰアドレスと、前記通信レコードＲ１２に含まれるＩＰアドレスとを比較してアドレス条件を判定し、
前記アドレス条件が満たされると、第１の比較として、前記外部ＩＰパケット７内のソースポート番号が、前記ポート制御レコードＰＴ１に含まれる発信許容指定のソースポート番号と比較され、比較の結果として選択された前記外部ＩＰパケット７がＩＰカプセル化されて内部ＩＰパケット７となり、
第２の比較として、前記外部ＩＰパケット７内の宛先ポート番号が、前記ポート制御レコードＰＴ１に含まれる発信許容指定の宛先ポート番号と比較され、比較の結果として選択された前記外部ＩＰパケット７がＩＰカプセル化されて前記内部ＩＰパケット７となり、
前記第１の比較又は第２の比較の少なくとも一方が実施され、前記内部ＩＰパケット７は前記網ノード装置Ｎ１から送出されて前記通信パスＰ１２を転送されるようになっている４８乃至５１のいずれかに記載のＩＰ網を用いた通信システム。
【請求項５５】
前記ＩＰ網が前記通信レコードＲ１２を設定するとき、前記通信レコードＲ１２にポート制御レコードＰＴ１を付与して設定しており、
前記外部ＩＰパケット７が前記論理端子ＬＰＢ１から前記網ノード装置Ｎ１に入力し、前記網ノード装置Ｎ１は、前記外部ＩＰパケット７に含まれるＩＰアドレスと、前記通信レコードＲ１２に含まれるＩＰアドレスとを比較してアドレス条件を判定し、
前記アドレス条件が満たされると、第１の比較として、前記外部ＩＰパケット７内のソースポート番号が、前記ポート制御レコードＰＴ１に含まれる発信抑止指定のソースポート番号と比較され，抑止対象として選択された前記外部ＩＰパケット７は廃棄され、抑止対象でない前記外部ＩＰパケット７はＩＰカプセル化されて内部ＩＰパケット７となり、
第２の比較として、前記外部ＩＰパケット７内の宛先ポート番号が、前記ポート制御レコードＰＴ１に含まれる発信抑止指定の宛先ポート番号と比較され、抑止対象として選択された前記外部ＩＰパケット７は廃棄され、抑止対象でない前記外部ＩＰパケット７はＩＰカプセル化されて内部ＩＰパケット７となり、
前記第１の比較又は第２の比較の少なくとも一方が実施され、
前記内部ＩＰパケット７は前記網ノード装置Ｎ１から送出されて前記通信パスＰ１２を転送されるようになっている４８乃至５１のいずれかに記載のＩＰ網を用いた通信システム。
【請求項５６】
前記ＩＰ網が前記通信レコードＲ２１を設定するとき、前記通信レコードＲ２１にポート制御レコードＰＴ２を付与して設定しており、
前記網ノード装置Ｎ２は、前記内部ＩＰパケット７内の前記外部ＩＰパケット７に含まれるＩＰアドレスと、前記通信レコードＲ２１に含まれるＩＰアドレスとを比較してアドレス条件を判定し、
前記アドレス条件が満たされると、第１の比較として、前記内部ＩＰパケット７内の前記外部ＩＰパケット７のソースポート番号が、前記ポート制御レコードＰＴ２に含まれる着信許容指定のソースポート番号とが比較され，比較の結果として選択された前記内部ＩＰパケット７は逆ＩＰカプセル化されて前記外部ＩＰパケット７が復元され、
第２の比較として、前記内部ＩＰパケット７内の前記外部ＩＰパケット７の宛先ポート番号が、前記ポート制御レコードＰＴ２に含まれる着信許容指定の宛先ポート番号とが比較され、比較の結果として選択された前記内部ＩＰパケット７は逆ＩＰカプセル化されて前記外部ＩＰパケット７が復元され、
前記第１の比較又は第２の比較の少なくとも一方が実施され、前記外部ＩＰパケット７は前記通信回線Ｌ２に送出されるようになっている４８乃至５１のいずれかに記載のＩＰ網を用いた通信システム。
【請求項５７】
前記ＩＰ網が前記通信レコードＲ２１を設定するとき、前記通信レコードＲ２１にポート制御レコードＰＴ２を付与して設定しており、
前記網ノード装置Ｎ２は、前記内部ＩＰパケット７内の前記外部ＩＰパケット７に含まれるＩＰアドレスと、前記通信レコードＲ２１に含まれるＩＰアドレスとを比較してアドレス条件を判定し、
前記アドレス条件が満たされると、第１の比較として、前記内部ＩＰパケット７内の前記外部ＩＰパケット７のソースポート番号が、前記ポート制御レコードＰＴ１に含まれる着信抑止指定のソースポート番号とが比較され、抑止対象として選択された前記内部ＩＰパケット７は廃棄され、抑止対象でない前記内部ＩＰパケット７は逆ＩＰカプセル化されて前記外部ＩＰパケット７に復元され、
第２の比較として、前記内部ＩＰパケット７内の前記外部ＩＰパケット７の宛先ポート番号が、前記ポート制御レコードＰＴ２に含まれる着信抑止指定の宛先ポート番号とが比較され、比較の結果として抑止対象として選択された前記内部ＩＰパケット７は廃棄され、抑止対象でない前記内部ＩＰパケット７は逆ＩＰカプセル化されて前記外部ＩＰパケット７が復元され、
前記第１の比較又は第２の比較の少なくとも一方が実施され、前記外部ＩＰパケット７は前記通信回線Ｌ２に送出されるようになっている４８乃至５１のいずれかに記載のＩＰ網を用いた通信システム。
【請求項５８】
前記外部ＩＰパケット７内のソースポート番号又は宛先ポート番号と、前記ポート制御レコードＰＴ１に含まれる発信許容指定のソースポート番号又は発信許容指定の宛先ポート番号とを比較して内部ＩＰパケット７を形成する請求項５４に記載の機能と、或いは、
前記外部ＩＰパケット７内のソースポート番号又は宛先ポート番号と前記ポート制御レコードＰＴ１に含まれる発信抑止指定のソースポート番号又は発信抑止指定の宛先ポート番号とを比較して抑止対象として選択した前記外部ＩＰパケット７を廃棄し、抑止対象でない前記外部ＩＰパケット７から内部ＩＰパケット７を形成する請求項５５に記載の機能との少なくとも一方を、前記網ノードＮ１内のポートフィルタ機能回路又はポートフィルタ機能プログラムモジュールにより実施するようになっていることを特徴とするＩＰ網を用いた通信システム。
【請求項５９】
前記内部ＩＰパケット７に含まれる前記外部ＩＰパケット７内のソースポート番号又は宛先ポート番号と、前記ポート制御レコードＰＴ２に含まれる着信許容指定のソースポート番号又は着信許容指定の宛先ポート番号とを比較して内部ＩＰパケット７から前記外部ＩＰパケット７を復元する請求項５６に記載の機能と、或いは、
前記内部ＩＰパケット７に含まれる前記外部ＩＰパケット７内のソースポート番号又は宛先ポート番号と、前記ポート制御レコードＰＴ１に含まれる着信抑止指定のソースポート番号又は着信抑止指定の宛先ポート番号とを比較して抑止対象として選択した前記内部ＩＰパケット７を廃棄し、抑止対象でない前記内部ＩＰパケット７から前記外部ＩＰパケット７を復元する請求項５７に記載の機能との少なくとも一方を
前記網ノードＮ２内のポートフィルタ機能回路又はポートフィルタ機能プログラムモジュールにより実施するようになっていることを特徴とするＩＰ網を用いた通信システム。
【請求項６０】
前記ＩＰ網は前記通信レコードＲ１２に署名制御レコードＤ１を付与して設定し、前記通信レコードＲ２１に署名制御レコードＤ２を付与して設定しており、
外部ＩＰパケット７が前記通信回線Ｌ１経由で前記網ノード装置Ｎ１に入力すると、前記通信レコードＲ１２及び前記署名制御レコードＤ１が用いられて外部ＩＰパケット７に発信時署名が付与され、前記署名が付与された前記外部ＩＰパケット７が内部ＩＰパケット７となって前記通信パスＰ１２を転送され、前記網ノード装置Ｎ２において、前記通信レコードＲ２１及び前記署名制御レコードＤ２が用いられて前記内部ＩＰパケット７内の前記外部ＩＰパケットに着信時署名が付与され、署名が付与された外部ＩＰパケット７に復元するようになっている４８乃至５１のいずれかに記載のＩＰ網を用いた通信システム。
【請求項６１】
前記外部ＩＰパケット７に発信時署名又は着信時署名の一方のみを付与するようになっている請求項６０に記載のＩＰ網を用いた通信システム。
【請求項６２】
前記ＩＰ網内の網ノード装置Ｘは、その装置制御表Ｘ内部の通信レコードＲ内のメモリ保護ビットを保護有りに表示して前記通信レコードＲの書換えを禁止し、或いは前記通信レコードＲのメモリ保護ビットを保護無しに表示して前記通信レコードの書換えを許可し、前記装置制御表内の通信レコードの書き換え管理を確実にしている４８乃至５１のいずれかに記載のＩＰ網を用いた通信システム。
【請求項６３】
前記宛先端末Ｍ２又はＴ２はＷＷＷサーバ又は電子メールサーバであり、前記端末Ｍ１が前記宛先端末Ｍ２又はＴ２に向けて送出した前記外部ＩＰパケット７内のソースポート番号又は宛先ポート番号が、ＷＷＷ機能を指定するポート番号又は電子メール機能を規定するポート番号であり、ＷＷＷサーバ又は電子メールサーバに向けて送出された前記外部ＩＰパケット又は内部ＩＰパケットを網ノード装置で通過又は廃棄するようになっている請求項４８乃至５１のいずれかに記載のＩＰ網を用いた通信システム。
【請求項６４】
前記網ノード装置Ｎ１又はＮ２は、入力した外部ＩＰパケット内ＩＰアドレスと当該網ノード装置内の通信レコード内ＩＰアドレスとを比較してアドレス条件を判定し、
前記アドレス条件が満たされると、第１の機能として、前記外部ＩＰパケットをＩＰカプセル化せずにそのまま内部ＩＰパケットとし、第２の機能として、前記外部ＩＰパケットをＩＰカプセル化して内部ＩＰパケットとし、前記第１の機能及び第２の機能を通信レコード毎に選択できるようになっており、
前記通信レコードＲ１及びＲ２は前記第１の機能を実施し、前記通信レコードＲ１２及びＲ２１は前記第２の機能を実施し、
前記網ノード装置Ｎ１又はＮ２は、入力した外部ＩＰパケット内ＩＰアドレスと当該網ノード装置内の通信レコードＲ１２又はＲ２１内ＩＰアドレスとを比較してアドレス条件を判定し、前記アドレス条件外の外部ＩＰパケットを廃棄し、前記通信レコードＲ１２又はＲ２１を参照し、前記内部ＩＰパケットを逆ＩＰカプセル化して外部パケットを復元して前記ＩＰ網外部の前記通信回線Ｌ１又はＬ２に送信するようになっている請求項４８乃至５１のいずれかに記載のＩＰ網を用いたＩＰ通信システム。
【請求項６５】
前記ＩＰ網内は前記内部ＩＰパケットが転送されずに、代わって前記ＩＰパケットに簡易ヘッダを付加する簡易カプセル化により得られる簡易ヘッダ付内部パケットが転送されるようになっており、前記簡易ヘッダは宛先アドレスを含んでいるが送信元アドレスを含んでおらず、前記ＩＰ網内の網ノード装置は前記ＩＰカプセル化に代わって前記簡易カプセル化を行い、前記逆ＩＰカプセル化に代わって前記簡易逆カプセル化を行うようになっており、前記簡易逆カプセル化は前記簡易ヘッダ付内部パケットから前記簡易ヘッダを除くことにより達成され、前記論理端子ＬＰＢ２及びＬＰＴ２の識別情報としての内部ＩＰアドレスＩＡＢ２又はＩＡＴ２は、それぞれ前記論理端子ＬＰＢ２又はＬＰＴ２の識別情報としての前記簡易ヘッダに設定するためのアドレスＩＡＢ２ｘ又はＩＡＴ２ｘである請求項４８乃至５１のいずれかに記載のＩＰ網を用いたＩＰ通信システム。
【請求項６６】
前記ＩＰ網内は前記内部ＩＰパケットが転送されずに、代わって前記ＩＰパケットに拡張タグを付加するカプセル化により得られる拡張タグを含む内部パケットが転送されるようになっており、前記拡張タグは宛先アドレス及び送信元アドレスを含み、前記ＩＰ網内の網ノード装置は前記ＩＰカプセル化に代わって前記拡張タグカプセル化を行い、前記逆ＩＰカプセル化に代わって前記拡張タグ逆カプセル化を行うようになっており、前記拡張タグ逆カプセル化は拡張タグを含む内部パケットから前記拡張タグを除くことにより達成され、前記論理端子ＬＰＢ２及びＬＰＴ２の識別情報としての内部ＩＰアドレスＩＡＢ２又はＩＡＴ２は、それぞれ前記論理端子ＬＰＢ２又はＬＰＴ２の識別情報としての拡張タグに設定するためのアドレスＩＡＢ２ｙ又はＩＡＴ２ｙである請求項４９乃至５１のいずれかに記載のＩＰ網を用いたＩＰ通信システム。
【請求項６７】
前記ＩＰ網は、前記上位ドメイン名サーバＤＳを用いて前記電話番号ＴＮＴ２から前記端末Ｔ２のＣＰＧ・ＡＮＭ省略指定を取得し、前記着信通知を含む外部ＩＰパケット２を前記端末Ｔ２へ送信し、前記端末Ｔ２は、前記端末Ｔ２自身が前記ＣＰＧ・ＡＮＭ省略指定であるのを承知しているので、呼出中通知を含む前記外部ＩＰパケット３及び応答通知を含む前記外部ＩＰパケット５を前記ＩＰ網へ送信せず、前記ＩＰ網は、前記端末Ｔ２がＣＰＧ・ＡＮＭ省略指定であることを根拠に、呼出中通知を含む外部ＩＰパケット４を生成して前記端末Ｔ２へ送信し、更に前記応答通知と前記端末Ｔ２の外部ＩＰアドレスＥＡＴ２とを含む外部ＩＰパケット６を前記端末Ｔ２へ送信するようになっている請求項請求項５０又は５１に記載のＩＰ網を用いた通信システム。
【請求項６８】
前記ＩＰ網は、回線番号ＣＮＭ１Ｍ２又はＣＮＭ１Ｔ２を前記回線管理表ＣＭに始めて記録するときにその時点の時刻を記録し、前記解放メッセージ又は解放完了メッセージを送信又は受信する時点の時刻を記録するようにしており、前記回線管理表ＣＭが、前記端末間通信が行われた開始時刻又は終了時刻及び電話番号を含む課金情報として用いられるようになっており、或いは前記ＩＰ網内の網ノード装置Ｎ１又はＮ２は、その装置制御表Ｈ１又はＨ２内の通信レコードｍ（ｍ＝１，２，・・・）内のレコードＩＤｍに、前記通信レコードｍの利用者の識別情報を記録しておき、前記レコードＩＤｍ情報を用いて前記通信レコードｍの利用者を特定して通信料に対する課金情報として用いるようにしている請求項４８乃至５１のいずれかに記載のＩＰ網を用いた通信システム。
【請求項６９】
外部ＩＰアドレスＥＡ１ｘである端末Ｔ１ｘが通信回線Ｌ１ｘを経て論理端子ＬＰ１ｘで前記網ノード装置Ｎ１に接続され、外部ＩＰアドレスＥＡ２ｘである端末Ｔ２ｘが通信回線Ｌ２ｘを経て論理端子ＬＰ２ｘで前記網ノード装置Ｎ２に接続され、前記網ノード装置Ｎ１は前記論理端子ＬＰ１ｘを識別する識別情報を含む通信レコードＲ１ｘを設定しており、前記網ノード装置Ｎ２は前記論理端子ＬＰ２ｘを識別する識別情報を含む通信レコードＲ２ｘを設定しており、前記端末Ｔ１ｘが送信元外部ＩＰアドレスＥＡ１ｘ、宛先外部ＩＰアドレスＥＡ２ｘである外部ＩＰパケットを送出すると、前記外部ＩＰパケットに含まれるＩＰアドレスと、前記論理端子ＬＰ１ｘにより識別される前記通信レコードＲ１ｘに含まれるＩＰアドレスとを比較してアドレス条件が判定され、
前記アドレス条件が満たされるとＩＰカプセル化され、内部ＩＰパケットとなって前記ＩＰ網内部を転送され、前記網ノード装置Ｎ２において前記通信レコードＲ２ｘが参照されて復元した前記外部ＩＰパケットが前記端末Ｔ２ｘに到達するようになっており、前記端末Ｔ１ｘ及び端末Ｔ２ｘの間で電話番号を用いずにＩＰパケットを送受する通信が可能である請求項４８乃至５１のいずれかに記載のＩＰ網を用いた通信システム。
【請求項７０】
前記通信レコード通信レコードＲ１ｘ内部のレコード有効指定ビットを一時的にレコード無効指定ビットに切替え、前記端末Ｔ１ｘから外部ＩＰパケットを送出し、前記外部ＩＰパケットが前記網ノード装置Ｎ１でＩＰカプセル化されずに廃棄されるようにし、前記端末Ｔ１ｘ及び端末Ｔ２ｘ間の外部ＩＰパケットを送受する通信を一時的に抑止できるようにしている請求項６９に記載のＩＰ網を用いた通信システム。
【請求項７１】
ＩＰ網は複数の網ノード装置を含み、
端末Ｔ１は通信回線Ｌ１を経由し論理端子ＬＰ１で網ノード装置Ｎ１に接続され、端末Ｔ２は通信回線Ｌ２を経由し論理端子ＬＰ２で網ノード装置Ｎ１に接続され、端末Ｔ３は通信回線Ｌ３を経由し論理端子ＬＰ３で網ノード装置Ｎ３に接続され、端末Ｔ４は通信回線Ｌ４を経由し論理端子ＬＰ４で網ノード装置Ｎ３に接続され、
前記端末Ｔ１は電話番号を用いて前記端末Ｔ３に接続要求し、前記ＩＰ網は前記網ノード装置Ｎ１の装置制御表Ｈ１内に前記論理端子ＬＰ１を識別する識別情報を含む通信レコードＲ１３を設定し、前記網ノード装置Ｎ３の装置制御表Ｈ３内に前記論理端子ＬＰ３を識別する識別情報を含む通信レコードＲ３１を設定し、前記通信レコードＲ１３は優先制御レコードＹ１３を付与され、前記通信レコードＲ１３及びＲ３１は前記網ノード装置Ｎ１及びＮ３の間に内部ＩＰパケットが転送される通信パスＰ１３を定めており、
前記端末Ｔ１及び前記端末Ｔ３は、前記通信回線Ｌ１、前記通信パスＰ１３、前記通信回線Ｌ３を経て外部ＩＰパケットを送受する端末間通信を行っており、
前記端末Ｔ２は電話番号を用いて前記端末Ｔ４に接続要求し、前記ＩＰ網は前記装置制御表Ｈ１内に前記論理端子ＬＰ２を識別する識別情報を含む通信レコードＲ２４を設定し、前記装置制御表Ｈ３内に前記論理端子ＬＰ４を識別する識別情報を含む通信レコードＲ４２を設定し、前記通信レコードＲ２４は優先制御レコードＹ２４を付与され、前記通信レコードＲ２４及びＲ４２は前記網ノード装置Ｎ１及びＮ３の間に内部ＩＰパケットが転送される通信パスＰ２４を定めており、
前記端末Ｔ２及び前記端末Ｔ４は、前記通信回線Ｌ２、前記通信パスＰ２４、前記通信回線Ｌ４を経て外部ＩＰパケットを送受する端末間通信を行っており、前記端末Ｔ１から前記端末Ｔ３に向けて外部ＩＰパケット１３が送信され、前記端末Ｔ２から前記端末Ｔ４に向けて外部ＩＰパケット２４が送信され、前記外部ＩＰパケット１３及び前記外部ＩＰパケット２４が近接した時刻に前記網ノード装置Ｎ１に到達し、
前記網ノード装置Ｎ１は前記外部ＩＰパケット１３に含まれるアドレスと前記通信レコードＲ１３に含まれるアドレスとを比較してアドレス条件を判定し、前記外部ＩＰパケット２４に含まれるアドレスと前記通信レコードＲ２４に含まれるアドレスとを比較してアドレス条件を判定し、前記優先制御レコードＹ１３及びＹ２４を参照して、前記外部ＩＰパケット１３又は外部ＩＰパケット２４のうち優先度が高い外部ＩＰパケットを識別し、前記優先度が高い順番に外部ＩＰパケットから内部ＩＰパケットを形成し、前記順番により前記内部ＩＰパケットを前記通信パスＰ１３又はＰ２４に送出するようになっている端末間通信で発信優先制御を行い得ることを特徴とするＩＰ網を用いた通信システム。
【請求項７２】
前記端末Ｔ２は撤去され、無線基地局Ｂ２が通信回線Ｌ２を経由し論理端子ＬＰＢ２で前記網ノード装置Ｎ１に接続され、
前記端末Ｔ２及び前記端末Ｔ４の間の端末間通信に代わり、移動端末Ｍ２が、電話番号を用いて前記無線基地局Ｂ２を経由して前記端末Ｔ４に接続要求し、前記ＩＰ網は前記網ノード装置Ｎ１の前記装置制御表Ｈ１内に通信レコードＲ２４ｍを設定し、前記網ノード装置Ｎ３の装置制御表Ｈ３内に通信レコードＲ４２ｍを設定し、前記通信レコードＲ２４ｍは優先制御レコードＹ２４ｍを付与され、前記通信レコードＲ２４ｍ及びＲ４２ｍは前記網ノード装置Ｎ１及びＮ３の間に内部ＩＰパケットが転送される通信パスＰ２４ｍを定めており、
前記端末Ｔ１から前記端末Ｔ３に向けて外部ＩＰパケット１３が送信され、前記移動端末Ｍ２から前記端末Ｔ４に向けて外部ＩＰパケット２４ｍが送信され、前記外部ＩＰパケット１３及び前記外部ＩＰパケット２４ｍが近接した時刻に前記網ノード装置Ｎ１に到達すると、
前記網ノード装置Ｎ１は前記外部ＩＰパケット１３に含まれるアドレスと前記通信レコードＲ１３に含まれるアドレスとを比較してアドレス条件を判定し、前記外部ＩＰパケット２４ｍに含まれるアドレスと前記通信レコードＲ２４ｍに含まれるアドレスとを比較してアドレス条件を判定し、前記優先制御レコードＹ１３及びＹ２４ｍを参照して、前記外部ＩＰパケット１３又は外部ＩＰパケット２４ｍのうち優先度が高い外部ＩＰパケットを識別し、前記優先度が高い順番に外部ＩＰパケットから内部ＩＰパケットを形成し、前記順番により前記内部ＩＰパケットを前記通信パスＰ１３又はＰ２４ｍに送出するようになっている請求項７１に記載のＩＰ網を用いた通信システム。
【請求項７３】
ＩＰ網は複数の網ノード装置を含み、
無線基地局Ｂ１は通信回線Ｌ１を経由し論理端子ＬＰ１で網ノード装置Ｎ１に接続され、無線基地局Ｂ２は通信回線Ｌ２を経由し論理端子ＬＰ２で網ノード装置Ｎ１に接続され、無線基地局Ｂ３は通信回線Ｌ３を経由し論理端子ＬＰ３で網ノード装置Ｎ３に接続され、無線基地局Ｂ４は通信回線Ｌ４を経由し論理端子ＬＰ４で網ノード装置Ｎ３に接続され、
移動端末Ｍ１が電話番号を用い、前記無線基地局Ｂ１経由で移動端末Ｍ３に接続要求した結果として、前記ＩＰ網は前記網ノード装置Ｎ１内の装置制御表Ｈ１内に前記論理端子ＬＰ１を識別する識別情報を含む通信レコードＲ１３を設定しており、前記網ノード装置Ｎ３内の装置制御表Ｈ３内に前記論理端子ＬＰ３を識別する識別情報を含む通信レコードＲ３１を設定しており、前記通信レコードＲ１３は優先制御レコードＹ１３を付与され、前記通信レコードＲ１３及びＲ３１は前記網ノード装置Ｎ１及びＮ３の間に内部パケットが転送される通信パスＰ１３を定めており、
他方、移動端末Ｍ２が電話番号を用い、前記無線基地局Ｂ２経由で移動端末Ｍ４に接続要求した結果として、前記ＩＰ網は前記装置制御表Ｈ１内に前記論理端子ＬＰ２を識別する識別情報を含む通信レコードＲ２４を設定しており
前記網ノード装置Ｎ３内の装置制御表Ｈ３内に前記論理端子ＬＰ４を識別する識別情報を含む通信レコードＲ４２を設定しており、前記通信レコードＲ２４は優先制御レコードＹ２４を付与され、前記通信レコードＲ２４及びＲ４２は前記網ノード装置Ｎ１及びＮ３の間に内部パケットが転送される通信パスＰ２４を定めており、
前記端末Ｍ１から前記端末Ｍ３に向けて外部ＩＰパケット１３が送信され、前記端末Ｍ２から前記端末Ｍ４に向けて外部ＩＰパケット２４が送信され、
前記外部ＩＰパケット１３及び前記外部ＩＰパケット２４が近接した時刻に前記網ノード装置Ｎ１に到達し、
前記網ノード装置Ｎ１は、前記外部ＩＰパケット１３に含まれるＩＰアドレスと、前記通信レコードＲ１３に含まれるＩＰアドレスとを比較してアドレス条件を判定し、前記アドレス条件が満たされると、前記外部ＩＰパケット１３をカプセル化して内部パケット１３を形成し、
前記網ノード装置Ｎ１は、前記外部ＩＰパケット２４に含まれるＩＰアドレスと、前記通信レコードＲ２４に含まれるＩＰアドレスとを比較してアドレス条件を判定し、前記アドレス条件が満たされると、前記外部ＩＰパケット２４をカプセル化して内部パケット２４を形成し、
前記網ノード装置Ｎ１は前記優先制御レコードＹ１３及びＹ２４を参照して、前記２つの内部パケットのうち優先度が高い内部パケットを優先して、前記通信パスＰ１３又はＰ２４に送出することを特徴とするＩＰ網を用いた通信システム。
【請求項７４】
ＩＰ網は複数の網ノード装置を含み、
端末Ｔ１は通信回線Ｌ１を経由し論理端子ＬＰ１で網ノード装置Ｎ１に接続され、端末Ｔ２は通信回線Ｌ２を経由し論理端子ＬＰ２で網ノード装置Ｎ２に接続され、ルータＲＴは通信回線Ｌ３を経由し論理端子ＬＰ３で網ノード装置Ｎ３に接続され、端末Ｔ３は通信回線Ｃ３を経て、端末Ｔ４は通信回線Ｃ４を経てそれぞれ前記ルータＲＴに接続されており、
前記端末Ｔ１は電話番号を用いて前記端末Ｔ３に接続要求し、前記ＩＰ網は前記網ノード装置Ｎ１の装置制御表Ｈ１内に前記論理端子ＬＰ１を識別する識別情報を含む通信レコードＲ１３を設定し、前記網ノード装置Ｎ３の装置制御表Ｈ３内に前記論理端子ＬＰ３を識別する識別情報を含む通信レコードＲ３１を設定し、前記通信レコードＲ３１は優先制御レコードＹ３１を付与され、前記通信レコードＲ１３及びＲ３１は前記網ノード装置Ｎ１及びＮ３の間に内部ＩＰパケットが転送される通信パスＰ１３を定めており、
前記端末Ｔ１及び前記端末Ｔ３は、前記通信回線Ｌ１、前記通信パスＰ１３、前記通信回線Ｌ３、前記ルータＲＴ及び前記通信回線Ｃ３を経てＩＰパケットを送受する端末間通信を行っており、
前記端末Ｔ２は電話番号を用いて前記端末Ｔ４に接続要求し、前記ＩＰ網は前記網ノード装置Ｎ２の装置制御表Ｈ２内に前記論理端子ＬＰ２を識別する識別情報を含む通信レコードＲ２４を設定し、前記装置制御表Ｈ３内に前記論理端子ＬＰ３を識別する識別情報を含む通信レコードＲ４２を設定し、前記通信レコードＲ４２は優先制御レコードＹ４２を付与され、前記通信レコードＲ２４及びＲ４２は前記網ノード装置Ｎ２及びＮ３の間に内部ＩＰパケットが転送される通信パスＰ２４を定めており、
前記端末Ｔ２及び前記端末Ｔ４は、前記通信回線Ｌ２、前記通信パスＰ２４、前記通信回線Ｌ３、前記ルータＲＴ及び前記通信回線Ｃ４を経てＩＰパケットを送受する端末間通信を行っており、
前記端末Ｔ１から前記端末Ｔ３に向けて送信した外部ＩＰパケット１３が内部ＩＰパケット１３となって前記通信パス１３を転送されており、前記端末Ｔ２から前記端末Ｔ４に向けて送信した外部ＩＰパケット２４が内部ＩＰパケット２４となって前記通信パス２４を転送されており、
前記内部ＩＰパケット１３及び内部ＩＰパケット２４が近接した時刻に前記網ノード装置Ｎ３に到達すると、前記網ノード装置Ｎ３は前記優先制御レコードＹ３１及びＹ４２を比較して、前記内部ＩＰパケット１３又は前記内部ＩＰパケット２４のうち優先度が高い内部ＩＰパケットを識別し、前記優先度が高い順番に内部ＩＰパケットから外部ＩＰパケットを復元し、前記順番により前記外部ＩＰパケットを前記通信回線Ｌ３へ送出するようになっている電話番号を用いた端末間通信で着信優先制御を行うことを特徴とするＩＰ網を用いた通信システム。
【請求項７５】
ＩＰ網は複数の網ノード装置を含み、
無線基地局Ｂ１は通信回線Ｌ１を経由し論理端子ＬＰ１で網ノード装置Ｎ１に接続され、端末Ｔ２は通信回線Ｌ２を経由し論理端子ＬＰ２で網ノード装置Ｎ２に接続され、端末Ｔ３は通信回線Ｌ３を経由し論理端子ＬＰ３で網ノード装置Ｎ３に接続され、
移動端末Ｍ１は電話番号を用いて前記無線基地局Ｂ１経由で前記端末Ｔ２に接続要求し、ＩＰ網は前記網ノード装置Ｎ１の装置制御表Ｈ１内に前記論理端子ＬＰ１を識別する識別情報を含む通信レコードＲ１２を設定し、ＩＰ網は前記網ノード装置Ｎ２の装置制御表Ｈ２内に前記論理端子ＬＰ２を識別する識別情報を含む通信レコードＲ２１を設定し、前記通信レコードＲ１２は優先制御レコードＹ１２を付与され、前記通信レコードＲ１２及びＲ２１は前記網ノード装置Ｎ１及びＮ２の間に内部ＩＰパケットが転送される通信パスＰ１２を定めており、前記端末Ｍ１及び前記端末Ｔ２は、無線基地局Ｂ１、前記通信回線Ｌ１、前記通信パスＰ１２、前記通信回線Ｌ２を経てＩＰパケットを送受する端末間通信を行っており、
移動端末Ｍ０は電話番号を用いて前記無線基地局Ｂ１経由で前記端末Ｔ３に接続要求し、前記ＩＰ網は前記網ノード装置Ｎ１の装置制御表Ｈ１内に前記論理端子ＬＰ１を識別する識別情報を含む通信レコードＲ０３を設定し、前記網ノード装置Ｎ３の装置制御表Ｈ３内に前記論理端子ＬＰ３を識別する識別情報を含む通信レコードＲ３０を設定し、前記通信レコードＲ０３は優先制御レコードＹ０３を付与され、前記通信レコードＲ０３及びＲ３０は前記網ノード装置Ｎ１及びＮ３の間に内部ＩＰパケットが転送される通信パスＰ０３を定めており、前記端末Ｍ０及び前記端末Ｔ３は、無線基地局Ｂ１、前記通信回線Ｌ１、前記通信パスＰ０３、前記通信回線Ｌ３を経てＩＰパケットを送受する端末間通信を行っており、
前記端末Ｔ２から前記端末Ｍ１に向けて送信した外部ＩＰパケット２１が前記網ノード装置Ｎ２で内部ＩＰパケット２１となって前記通信パス１２を前記網ノード装置Ｎ１に向けて転送されており、前記端末Ｔ３から前記端末Ｍ０に向けて送信した外部ＩＰパケット３０が前記網ノード装置Ｎ３で内部ＩＰパケット３０となって前記通信パス３４を前記網ノード装置Ｎ１に向けて転送されており、
前記内部ＩＰパケット２１及び内部ＩＰパケット３０が近接した時刻に前記網ノード装置Ｎ１に到達すると、前記網ノード装置Ｎ１は前記優先制御レコードＹ１２及びＹ０３を比較して、前記内部ＩＰパケット２１又は前記内部ＩＰパケット３０のうち優先度が高い内部ＩＰパケットを識別し、前記優先度が高い順番に内部ＩＰパケットから外部ＩＰパケットを復元し、前記順番により前記外部ＩＰパケットを前記通信回線Ｌ１へ送出するようになっている端末間通信で着信優先制御を行うことを特徴とするＩＰ網を用いた通信システム。
【請求項７６】
ＩＰ網は複数の網ノード装置を含み、
無線基地局Ｂ１は通信回線Ｌ１を経由し論理端子ＬＰ１で網ノード装置Ｎ１に接続され、無線基地局Ｂ２は通信回線Ｌ２を経由し論理端子ＬＰ２で網ノード装置Ｎ２に接続され、無線基地局Ｂ３は通信回線Ｌ３を経由し論理端子ＬＰ３で網ノード装置Ｎ３に接続され、
移動端末Ｍ１が電話番号を用い、前記無線基地局Ｂ１経由で移動端末Ｍ３Ｘに接続要求した結果として、前記無線基地局Ｂ３と移動端末Ｍ３Ｘとの間に無線通信路ＲＣ３Ｘが確保され、前記ＩＰ網は前記網ノード装置Ｎ１内の装置制御表Ｈ１内に前記論理端子ＬＰ１を識別する識別情報を含む通信レコードＲ１３を設定し、前記網ノード装置Ｎ３内の装置制御表Ｈ３内に前記論理端子ＬＰ３を識別する識別情報を含む通信レコードＲ３１を設定し、前記通信レコードＲ３１は優先制御レコードＹ３１を付与され、前記通信レコードＲ１３及びＲ３１は前記網ノード装置Ｎ１及びＮ３の間に内部パケットが転送される通信パスＰ１３を定めており、
移動端末Ｍ２が電話番号を用い、前記無線基地局Ｂ２を経て移動端末Ｍ３Ｙに接続要求した結果として、前記無線基地局Ｂ３と移動端末Ｍ３Ｙとの間に無線通信路ＲＣ３Ｙが確保され、前記ＩＰ網は装置制御表Ｈ１内に前記論理端子ＬＰ２を識別する識別情報を含む通信レコードＲ２３を設定し、前記装置制御表Ｈ３内に前記論理端子ＬＰ３を識別する識別情報を含む通信レコードＲ３２を設定し、前記通信レコードＲ３２は優先制御レコードＹ３２を付与され、前記通信レコードＲ２３及びＲ３２は前記網ノード装置Ｎ１及びＮ３の間に内部パケットが転送される通信パスＰ２３を定めており、
前記端末Ｍ１から前記端末Ｍ３Ｘに向けて送信された外部ＩＰパケット１３Ｘが前記網ノード装置Ｎ１に入力し、前記網ノード装置Ｎ１は、前記外部ＩＰパケット１３Ｘに含まれるＩＰアドレスと、前記通信レコードＲ１３に含まれるＩＰアドレスとを比較してアドレス条件を判定し、前記アドレス条件を満たした前記外部ＩＰパケット１３Ｘは内部パケット１３Ｘに変換されて前記通信パスＰ１３を転送されており、
前記端末Ｍ２から前記端末Ｍ３Ｙに向けて送信された外部ＩＰパケット２３Ｙが前記網ノード装置Ｎ２に入力し、前記網ノード装置Ｎ２は、前記外部ＩＰパケット２３Ｙに含まれるＩＰアドレスと、前記通信レコードＲ２３に含まれるＩＰアドレスとを比較してアドレス条件を判定し、前記アドレス条件を満たした前記外部ＩＰパケット２３Ｙは内部パケット２３Ｙに変換されて前記通信パスＰ２３を転送されており、
前記内部パケット１３Ｘと内部パケット２３Ｙとが近接した時刻に前記網ノード装置Ｎ３に到達し、前記内部パケット１３は前記通信レコードＲ３１が参照されて前記外部ＩＰパケット１３Ｘに復元され、前記内部パケット２３Ｙは前記通信レコードＲ３２が参照されて前記外部ＩＰパケット２３Ｙに復元され、
前記網ノード装置Ｎ３は前記優先制御レコードＹ３１及びＹ３２を参照して、前記２つの外部ＩＰパケットのうち優先度が高い外部ＩＰパケットを優先して、前記通信回線Ｌ３に送出するようになっていることを特徴とするＩＰ網を用いた通信システム。
【請求項７７】
ＩＰ網は内部網Ａ及び内部網Ｂを含み、複数の網ノード装置を含み、外部ＩＰパケット送受可能な通信装置Ｕ１が通信回線Ｌ１を経由し論理端子ＬＰ１で網ノード装置Ｎ１に接続し、外部ＩＰパケット送受可能な通信装置Ｕ２が通信回線Ｌ２を経由し論理端子ＬＰ２で網ノード装置Ｎ２に接続し、
前記通信装置Ｕ１及びＵ２は外部ＩＰパケットの送受機能を有する固定端末又は無線基地局であり、前記通信装置Ｕ１は外部ＩＰアドレスＥＡ１を有し、前記通信装置Ｕ２は外部ＩＰアドレスＥＡ２を有し、
網ノード装置Ｎ１は前記論理端子ＬＰ１を識別する識別情報を含む通信レコードＲ１Ａ及びＲ１Ｂを含み、
前記通信レコードＲ１Ａはポートフィルタ制御レコードＰ１Ａを付与され、前記通信レコードＲ１Ｂはポートフィルタ制御レコードＰ１Ｂを付与され、
網ノード装置Ｎ２は前記論理端子ＬＰ２を識別する識別情報を含む通信レコードＲ２Ａ及びＲ２Ｂを含み、
前記通信レコードＲ２Ａはポートフィルタ制御レコードＰ２Ａを付与され、前記通信レコードＲ２Ｂはポートフィルタ制御レコードＰ２Ｂを付与されており、
前記通信レコードＲ１Ａ及びＲ２Ａは前記網ノード装置Ｎ１及びＮ２の間に内部ＩＰパケットが転送される通信パスＰ１２Ａを定めており、
前記通信レコードＲ１Ｂ及びＲ２Ｂは前記網ノード装置Ｎ１及びＮ２の間に内部ＩＰパケットが転送される通信パスＰ１２Ｂを定めており、
前記通信装置Ｕ１は、前記外部ＩＰアドレスＥＡ１を送信元アドレス、前記外部ＩＰアドレスＥＡ２を宛先アドレス、ポート番号Ｐ１Ａを送信元ポート番号、ポート番号Ｐ２Ａを宛先ポート番号とする外部ＩＰパケットＡを送信し、前記外部ＩＰパケットＡは前記通信回線Ｌ１を転送されて前記網ノード装置Ｎ１に入力し、前記網ノード装置Ｎ１は、前記外部ＩＰパケットＡに含まれるＩＰアドレスと、前記通信レコードＲ１Ａに含まれるＩＰアドレスとを比較してアドレス条件を判定し、
前記アドレス条件が満たされると、前記外部ＩＰパケットＡに含まれるポート番号と前記ポート制御レコードＰ１Ａに含まれるポート条件を比較してポート条件を判定し、前記ポート条件が満たされると、前記外部ＩＰパケットＡはＩＰカプセル化されて内部ＩＰパケットＡとなり、
前記内部ＩＰパケットＡは前記内部網Ａ内を経由する前記通信パスＰ１２Ａを転送されて前記網ノード装置Ｎ２に到達し、前記内部ＩＰパケットＡは、前記網ノード装置Ｎ２において、前記通信レコードＲ２Ａが参照され、前記外部ＩＰパケットＡに復元され、復元された前記外部ＩＰパケットＡが通信回線Ｌ２経由で前記通信装置Ｕ２に到達し、
前記通信装置Ｕ１は、前記外部ＩＰアドレスＥＡ１を送信元アドレス、前記外部ＩＰアドレスＥＡ２を宛先アドレス、ポート番号Ｐ１Ｂを送信元ポート番号、ポート番号Ｐ２Ｂを宛先ポート番号とする外部ＩＰパケットＢを形成して送信し、
前記ポート番号Ｐ１Ｂ及びポート番号Ｐ２Ｂは前記ポート番号Ｐ１Ａ及びポート番号Ｐ２Ａの何れとも異なっており、
前記外部ＩＰパケットＢは前記通信回線Ｌ１を転送されて前記網ノード装置Ｎ１に入力し、前記網ノード装置Ｎ１は、前記外部ＩＰパケットＢに含まれるＩＰアドレスと、前記通信レコードＲ１Ｂに含まれるＩＰアドレスとを比較してアドレス条件を判定し、
前記アドレス条件が満たされると、前記外部ＩＰパケットＢはＩＰカプセル化されて内部ＩＰパケットＢとなり、前記内部ＩＰパケットＢは前記内部網Ｂ内を経由する前記通信パスＰ１２Ｂを転送されて前記網ノード装置Ｎ２に到達し、前記内部ＩＰパケットＢは、前記網ノード装置Ｎ２において、前記通信レコードＲ２Ｂが参照されて前記外部ＩＰパケットＢに復元され、復元された前記外部ＩＰパケットＢが通信回線Ｌ２経由で前記通信装置Ｕ２に到達し、
前記通信装置Ｕ２から、前記通信装置Ｕ１へ向けて外部ＩＰパケットを送信することも前記同様であり、このとき前記ポート制御レコードＰ２Ａ又は前記ポート制御レコードＰ２Ｂが用いられてポート条件が判定され、
前記通信装置Ｕ１又はＵ２が外部ＩＰパケットを送信すると、前記外部ＩＰパケットは、前記網ノード装置Ｎ１又はＮ２で、通信レコードが定めるアドレス条件及びポートフィルタ制御レコードが定めるポート条件を満たすとＩＰカプセル化されて内部ＩＰパケットとなり、前記外部ＩＰパケット内のポート番号に応じて異なる内部ＩＰ網に転送されることを特徴とするＩＰ網を用いた通信システム。
【請求項７８】
前記内部網Ａは内部ＩＰパケット転送遅延時間が少ない内部網であり、前記内部網Ｂは遅延時間が大きいが通信コスト抑止を重視している内部網である請求項７７に記載のＩＰ網を用いた通信システム。
【請求項７９】
ＩＰ網は内部網Ａ及び内部網Ｂを含み、複数の網ノード装置を含み、
端末Ｔ１は通信回線Ｌ１を経由し論理端子ＬＰ１で網ノード装置Ｎ１に接続され、端末Ｔ２は通信回線Ｌ２を経由し論理端子ＬＰ２で網ノード装置Ｎ２に接続され、端末Ｔ３は通信回線Ｌ３を経由し論理端子ＬＰ３で網ノード装置Ｎ２に接続され、
網ノード装置Ｎ１は前記論理端子ＬＰ１を識別する識別情報を含む通信レコードＲ１ＡとＲ１Ｂとを含み、前記通信レコードＲ１Ａはポート制御レコードＰ１Ａを付与され、前記通信レコードＲ１Ｂはポート制御レコードＰ１Ｂを付与され、
網ノード装置Ｎ２は前記論理端子ＬＰ２を識別する識別情報を含む通信レコードＲ２Ａと前記論理端子ＬＰ３を識別する識別情報を含む通信レコードＲ２Ｂとを含み、前記通信レコードＲ１Ａ及びＲ２Ａは前記網ノード装置Ｎ１及びＮ２の間に内部パケットが転送される通信パスＰ１２Ａを定めており、前記通信パスＰ１２Ａは前記内部網Ａに含まれ、
前記通信レコードＲ１Ｂ及びＲ２Ｂは前記網ノード装置Ｎ１及びＮ２の間に内部パケットが転送される通信パスＰ１２Ｂを定めており、前記通信パスＰ１２Ｂは前記内部網Ｂに含まれ、
前記端末Ｔ１から、宛先ポート番号がポート番号Ｐ２ａである外部ＩＰパケットＡが送出され、前記外部ＩＰパケットＡは前記通信回線Ｌ１を転送されて前記論理端子ＬＰ１から前記網ノード装置Ｎ１に入力し、前記網ノード装置Ｎ１は、前記外部ＩＰパケットＡに含まれるＩＰアドレスと、前記通信レコードＲ１Ａとに含まれるＩＰアドレスとを比較してアドレス条件を判定し、前記アドレス条件が満たされると、前記網ノード装置Ｎ１は、前記外部ＩＰパケットＡに含まれる前記宛先ポート番号Ｐ１ａと前記ポート制御レコードＰ１Ａに含まれるポート条件を比較してポート条件を判定し、前記ポート条件が満たされると、前記外部ＩＰパケットＡはＩＰカプセル化されて内部パケットＡとなり、
前記内部パケットＡは前記内部網Ａ内を経由する前記通信パスＰ１２Ａを転送されて前記網ノード装置Ｎ２に到達し、前記内部パケットＡは、前記網ノード装置Ｎ２において、前記通信レコードＲ２Ａが参照されて前記外部ＩＰパケットＡに復元され、復元された前記外部ＩＰパケットＡが通信回線Ｌ２経由で前記端末Ｔ２に送信され、
前記端末Ｔ１から、宛先ポート番号がポート番号Ｐ２ｂである外部ＩＰパケットＢが送出され、前記外部ＩＰパケットＢは前記通信回線Ｌ１を転送されて前記論理端子ＬＰ１から前記網ノード装置Ｎ１に入力し、前記網ノード装置Ｎ１は、前記外部ＩＰパケットＢに含まれるＩＰアドレスと、前記通信レコードＲ１Ｂとに含まれるＩＰアドレスとを比較してアドレス条件を判定し、
前記アドレス条件が満たされると、前記網ノード装置Ｎ１は、前記外部ＩＰパケットＢに含まれるポート番号Ｐ１ｂと前記ポート制御レコードＰ１Ｂとに含まれるポート番号とを比較してポート条件を判定し、前記ポート条件が満たされると
前記外部ＩＰパケットＢはＩＰカプセル化されて内部パケットＢとなり、
前記内部パケットＢは前記内部網Ｂ内を経由する前記通信パスＰ１２Ｂを転送されて前記網ノード装置Ｎ２に到達し、前記内部パケットＢは、前記網ノード装置Ｎ２において、前記通信レコードＲ２Ｂが参照されて前記外部ＩＰパケットＢに復元され、復元された前記外部ＩＰパケットＢが通信回線Ｌ３経由で前記端末Ｔ３に送信され、
外部ＩＰパケットは、網ノード装置に入力すると、通信レコードが定めるアドレス条件及びポート制御レコードが定めるポート条件を満たすとＩＰカプセル化されて内部パケットとなり、前記内部パケットが前記外部ＩＰパケット内の宛先ポート番号に応じて異なる内部ＩＰ網に転送されることを特徴とするＩＰ網を用いた通信システム。
【請求項８０】
前記内部網Ａは内部パケット転送遅延時間が少ない電話音声通信向きの内部網であり、前記内部網Ｂは遅延時間が大きいが通信コスト抑止を重視している大量データ転送向き内部網である請求項７９に記載のＩＰ網を用いた通信システム。
【請求項８１】
ＩＰ網は複数の網ノード装置を含み、無線基地局Ｂ１は通信回線Ｌ１を経て論理端子ＬＰ１で網ノード装置Ｎ１に接続され、無線基地局Ｂ２は通信回線Ｌ２を経て論理端子ＬＰ２で網ノード装置Ｎ２に接続され、端末Ｍ１及びＭ２は無線通信路ＲＣ１又はＲＣ２を経て無線基地局Ｂ１又はＢ２に接続され、
前記網ノード装置Ｎ１及びＮ２は前記ＩＰ網内部の通信回線で接続され、網ノード装置は、通信回線終端の論理端子ＬＰｘから入力する外部ＩＰパケットに含まれるＩＰアドレスと、前記論理端子ＬＰｘを識別する識別情報を含む前記網ノード装置内部の通信レコードに含まれるＩＰアドレスとを比較してアドレス条件を判定し、
前記アドレス条件が満たされると、前記外部ＩＰパケットをカプセル化した内部パケットを前記ＩＰ網に入力する機能及び内部パケットから前記外部ＩＰパケットを復元して前記通信回線Ｌｘに送信する機能を有し、
前記端末Ｍ１は電話番号を用いて前記端末Ｍ２に接続を要求するため、接続要求及び前記宛先端末Ｍ２の電話番号ＴＮＭ２を前記無線基地局Ｂ１経由で前記ＩＰ網に送信し、前記ＩＰ網は前記接続要求に基づく着信通知を前記端末Ｍ２に送信し、
前記端末Ｍ２が呼出中通知を前記ＩＰ網に送信すると、前記ＩＰ網は前記網ノード装置Ｎ２で受信した前記呼出中通知を、前記網ノード装置Ｎ１から前記端末Ｍ１に向けて送信し、
前記端末Ｍ２は応答通知を前記ＩＰ網に送信し、前記ＩＰ網は受信した前記応答通知を前記端末Ｍ１に送信し、
前記端末Ｍ１への前記応答通知の送信により、端末間通信用の通信レコードの設定が可能となり、前記ＩＰ網は前記論理端子ＬＰ１を識別する情報を含む通信レコードＲ１２を前記網ノード装置Ｎ１に設定し、前記論理端子ＬＰ２を識別する情報を含む通信レコードＲ２１を前記網ノード装置Ｎ２に設定し、前記通信レコードＲ１２及びＲ２１により前記論理端子ＬＰ１とＬＰ２の間の通信パスＰ１２が設定され、前記ＩＰ網が前記通信レコードＲ１２を前記設定するとき、前記通信レコードＲ１２にプロトコル制御レコードＰＲ１を付与して設定しており、
前記端末Ｍ１が音声又はデータを無線基地局Ｂ１に送信すると、前記無線基地局Ｂ１は前記音声又はデータを含む外部ＩＰパケットＧＰを前記網ノード装置Ｎ１に送信し、
前記網ノード装置Ｎ１は、前記外部ＩＰパケットＧＰに含まれるＩＰアドレスと、前記通信レコードＲ１２に含まれるＩＰアドレスとを比較してアドレス条件を判定し、
前記判定が満たされると、前記ＩＰパケットＧＰ１内のプロトコル種別と前記プロトコル制御レコードＰＲ１内の発信許容プロトコル種別とを比較し、前記比較の結果として選択された前記外部ＩＰパケットＮＰ１はカプセル化されて内部パケットＮＰとなり、前記内部パケットＮＰは前記通信パスＰ１２を転送され、前記網ノード装置Ｎ２で前記通信レコードＲ２１が参照されて前記外部ＩＰパケットＧＰに復元され、復元された前記外部ＩＰパケットＧＰは前記通信回線Ｌ２を経て前記無線基地局Ｂ２に転送され、前記無線基地局Ｂ２は前記外部ＩＰパケットＧＰに含まれる前記音声又はデータを前記無線通信路ＲＣ２を経て前記端末Ｍ２に送信し、
前記ＩＰ網は、前記端末Ｍ１又はＭ２からの通信切断要求を基に前記通信レコードＲ１２及びＲ２１を消去し、前記通信パスＰ１２が抹消され、
前記ＩＰ網は前記端末からの通信接続の要求を基に網ノード装置内に通信レコードおよびプロトコル制御レコードを設定して、前記ＩＰ網内に通信パスを設定し、前記端末からの通信切断要求を基に前記通信パスを抹消し、前記通信レコードＲ１２が定めるアドレス条件及びプロトコル条件を共に満たさない外部ＩＰパケットを廃棄して前記条件外の外部ＩＰパケットがＩＰ網に侵入するのを阻止して前記ＩＰ網の安全性を向上し、前記無線基地局を経由した端末間通信を可能としたことを特徴とするＩＰ網を用いた通信システム。
【請求項８２】
ＩＰ網は複数の網ノード装置を含み、無線基地局Ｂ１は通信回線Ｌ１を経て論理端子ＬＰ１で網ノード装置Ｎ１に接続され、無線基地局Ｂ２は通信回線Ｌ２を経て論理端子ＬＰ２で網ノード装置Ｎ２に接続され、端末Ｍ１及びＭ２は無線通信路ＲＣ１又はＲＣ２を経て無線基地局Ｂ１又はＢ２に接続され、
前記網ノード装置Ｎ１及びＮ２は前記ＩＰ網内部の通信回線で接続され、
網ノード装置は、通信回線終端の論理端子ＬＰｘから入力する外部ＩＰパケットに含まれるＩＰアドレスと、前記論理端子ＬＰｘを識別する識別情報を含む前記網ノード装置内部の通信レコードに含まれるＩＰアドレスとを比較してアドレス条件を判定し、前記アドレス条件が満たされると、前記外部ＩＰパケットをカプセル化した内部パケットを前記ＩＰ網に入力する機能及び内部パケットから前記外部ＩＰパケットを復元して前記通信回線Ｌｘに送信する機能を有し、
前記端末Ｍ１は電話番号を用いて前記端末Ｍ２に接続を要求するため、接続要求及び前記宛先端末Ｍ２の電話番号ＴＮＭ２を前記無線基地局Ｂ１経由で前記ＩＰ網に送信し、前記ＩＰ網は前記接続要求に基づく着信通知を前記端末Ｍ２に送信し、
前記端末Ｍ２が呼出中通知を前記ＩＰ網に送信すると、前記ＩＰ網は前記網ノード装置Ｎ２で受信した前記呼出中通知を前記網ノード装置Ｎ１から前記端末Ｍ１に向けて送信し、
前記端末Ｍ２は応答通知を前記ＩＰ網に送信し、前記ＩＰ網は受信した前記応答通知を前記端末Ｍ１に送信し、
前記端末Ｍ１への前記応答通知の送信により、端末間通信用の通信レコードの設定が可能となり、前記ＩＰ網は前記論理端子ＬＰ１を識別する情報を含む通信レコードＲ１２を前記網ノード装置Ｎ１に設定し、前記論理端子ＬＰ２を識別する情報を含む通信レコードＲ２１を前記網ノード装置Ｎ２に設定し、前記通信レコードＲ１２及びＲ２１により前記論理端子ＬＰ１とＬＰ２の間の通信パスＰ１２が設定され、前記ＩＰ網が前記通信レコードＲ２１を前記設定するとき、前記通信レコードＲ２１にプロトコル制御レコードＰＲ２を付与して設定しており、
前記端末Ｍ１が音声又はデータを無線基地局Ｂ１に送信すると、前記無線基地局Ｂ１は前記音声又はデータを含む外部ＩＰパケットＧＰを前記網ノード装置Ｎ１に送信し、
前記網ノード装置Ｎ１は、前記外部ＩＰパケットＧＰに含まれるＩＰアドレスと、前記通信レコードＲ１２に含まれるＩＰアドレスとを比較してアドレス条件を判定し、
前記アドレス条件が満たされると、前記外部ＩＰパケットＧＰがカプセル化されて内部パケットＮＰとなり、前記内部パケットＮＰは前記通信パスＰ１２を転送され、前記宛先側網ノード装置Ｎ２において、前記内部ＩＰパケットＮ内の前記ＩＰパケットＧＰ１内のプロトコル種別と前記プロトコル制御レコードＰＲ２内の着信許容プロトコル種別とが比較され、比較の結果として選択された前記内部ＩＰパケットＮは、前記通信レコードＲ２１が参照されて前記外部ＩＰパケットＧＰに復元され、復元された前記外部ＩＰパケットＧＰは前記通信回線Ｌ２を経て前記無線基地局Ｂ２に転送され、前記無線基地局Ｂ２は、前記外部ＩＰパケットＧＰに含まれる前記音声又はデータを前記無線通信路ＲＣ２を経て前記端末Ｍ２に送信し、
前記ＩＰ網は、前記端末Ｍ１又はＭ２からの通信切断要求を基に前記通信レコードＲ１２及びＲ２１を消去し、前記通信パスＰ１２が抹消され、
端末からの通信接続の要求を基に網ノード装置内に通信レコードおよびプロトコル制御レコードを設定して前記ＩＰ網内に内部パケットを転送する通信パスを設定し、端末からの通信切断要求を基に前記通信パスを抹消し、無線基地局を経由した端末間通信を可能とし前記内部パケットの着信側網ノード装置でプロトコル種別を判定して通信安全性を向上させることを特徴とするＩＰ網を用いた通信システム。
【請求項８３】
ＩＰ網は複数の網ノード装置を含み、無線基地局Ｂ１は通信回線Ｌ１を経て論理端子ＬＰ１で網ノード装置Ｎ１に接続され、無線基地局Ｂ２は通信回線Ｌ２を経て論理端子ＬＰ２で網ノード装置Ｎ２に接続され、端末Ｍ１及びＭ２は無線通信路ＲＣ１又はＲＣ２を経て無線基地局Ｂ１又はＢ２に接続され、
前記網ノード装置Ｎ１及びＮ２は前記ＩＰ網内部の通信回線で接続され、網ノード装置は、通信回線終端の論理端子ＬＰｘから入力する外部ＩＰパケットに含まれるＩＰアドレスと、前記論理端子ＬＰｘを識別する識別情報を含む前記網ノード装置内部の通信レコードに含まれるＩＰアドレスとを比較してアドレス条件を判定し、前記アドレス条件が満たされると、前記外部ＩＰパケットをカプセル化した内部パケットを前記ＩＰ網に入力する機能及び内部パケットから前記外部ＩＰパケットを復元して前記通信回線Ｌｘに送信する機能を有し、
前記端末Ｍ１は電話番号を用いて前記端末Ｍ２に接続を要求するため、接続要求及び前記宛先端末Ｍ２の電話番号ＴＮＭ２を前記無線基地局Ｂ１経由で前記ＩＰ網に送信し、前記ＩＰ網は前記接続要求に基づく着信通知を前記端末Ｍ２に送信し、
前記端末Ｍ２が呼出中通知を前記ＩＰ網に送信すると、前記ＩＰ網は前記網ノード装置Ｎ２で受信した前記呼出中通知を前記網ノード装置Ｎ１から前記端末Ｍ１に向けて送信し、
前記端末Ｍ２は応答通知を前記ＩＰ網に送信し、前記ＩＰ網は受信した前記応答通知を前記端末Ｍ１に送信し、
前記端末Ｍ１への前記応答通知の送信により、端末間通信用の通信レコードの設定が可能となり、前記ＩＰ網は前記論理端子ＬＰ１を識別する情報を含む通信レコードＲ１２を前記網ノード装置Ｎ１に設定し、前記論理端子ＬＰ２を識別する情報を含む通信レコードＲ２１を前記網ノード装置Ｎ２に設定し、前記通信レコードＲ１２及びＲ２１により前記論理端子ＬＰ１とＬＰ２の間の通信パスＰ１２が設定され、前記ＩＰ網が前記通信レコードＲ１２を前記設定するとき、前記通信レコードＲ１２にポート制御レコードＰＴ１を付与して設定しており、
前記端末Ｍ１が音声又はデータを無線基地局Ｂ１に送信すると、前記無線基地局Ｂ１は前記音声又はデータを含む外部ＩＰパケットＧＰを前記網ノード装置Ｎ１に送信し、
前記網ノード装置Ｎ１は、前記外部ＩＰパケットＧＰに含まれるＩＰアドレスと、前記通信レコードＲ１２に含まれるＩＰアドレスとを比較してアドレス条件を判定し、
前記アドレス条件が満たされると、前記外部ＩＰパケットＧＰ内の宛先ポート番号と前記ポート制御レコードＰＴ１内の発信許容宛先ポート番号とが比較され，
比較の結果として選択された前記外部ＩＰパケットＧＰがカプセル化されて内部パケットＮＰとなり、前記内部パケットＮＰは前記通信パスＰ１２を転送され、前記網ノード装置Ｎ２で前記通信レコードＲ２１が参照され、前記外部ＩＰパケットＧＰに復元され、復元された前記外部ＩＰパケットＧＰは前記通信回線Ｌ２を経て前記無線基地局Ｂ２に転送され、前記無線基地局Ｂ２は、前記外部ＩＰパケットＧＰに含まれる前記音声又はデータを前記無線通信路ＲＣ２を経て前記端末Ｍ２に送信し、
前記ＩＰ網は、前記端末Ｍ１又はＭ２からの通信切断要求を基に前記通信レコードＲ１２及びＲ２１を消去し、前記通信パスＰ１２が抹消され、
前記ＩＰ網は、前記端末からの通信接続の要求を基に網ノード装置内に通信レコードおよびプロトコル制御レコードを設定して、前記ＩＰ網内に通信パスを設定し、前記端末からの通信切断要求を基に前記通信パスを抹消し、前記通信レコードＲ１２のアドレス規定を満たさない外部ＩＰパケットを廃棄して規定外の外部ＩＰパケットがＩＰ網に侵入するのを阻止してＩＰ網の安全性を向上し、無線基地局を経由した端末間通信を可能としたことを特徴とするＩＰ網を用いた通信システム。
【請求項８４】
ＩＰ網は複数の網ノード装置を含み、無線基地局Ｂ１は通信回線Ｌ１及び論理端子ＬＰ１を経て網ノード装置Ｎ１に接続され、無線基地局Ｂ２は通信回線Ｌ２及び論理端子ＬＰ２を経て網ノード装置Ｎ２に接続され、端末Ｍ１及びＭ２は無線通信路ＲＣ１又はＲＣ２を経て無線基地局Ｂ１又はＢ２に接続され、
前記網ノード装置Ｎ１及びＮ２は前記ＩＰ網内部の通信回線で接続され、
網ノード装置は、通信回線終端の論理端子ＬＰｘから入力する外部ＩＰパケットに含まれるＩＰアドレスと、前記論理端子ＬＰｘを識別する識別情報を含む前記網ノード装置内部の通信レコードに含まれるＩＰアドレスとを比較してアドレス条件を判定し、前記アドレス条件が満たされると、前記外部ＩＰパケットをカプセル化した内部パケットを前記ＩＰ網に入力する機能及び内部パケットから前記外部ＩＰパケットを復元して前記通信回線Ｌｘに送信する機能を有し、
前記端末Ｍ１は電話番号を用いて前記端末Ｍ２に接続を要求するため、接続要求及び前記宛先端末Ｍ２の電話番号ＴＮＭ２を前記無線基地局Ｂ１経由で前記ＩＰ網に送信し、前記ＩＰ網は前記接続要求に基づく着信通知を前記端末Ｍ２に送信し、
前記端末Ｍ２が呼出中通知を前記ＩＰ網に送信すると、前記ＩＰ網は前記網ノード装置Ｎ２で受信した前記呼出中通知を前記網ノード装置Ｎ１から前記端末Ｍ１に向けて送信し、
前記端末Ｍ２は応答通知を前記ＩＰ網に送信し、前記ＩＰ網は受信した前記応答通知を前記端末Ｍ１に送信し、
前記端末Ｍ１への前記応答通知の送信により、端末間通信用の通信レコードの設定が可能となり、前記ＩＰ網は前記論理端子ＬＰ１を識別する情報を含む通信レコードＲ１２を前記網ノード装置Ｎ１に設定し、前記論理端子ＬＰ２を識別する情報を含む通信レコードＲ２１を前記網ノード装置Ｎ２に設定し、前記通信レコードＲ１２及びＲ２１により前記論理端子ＬＰ１とＬＰ２の間の通信パスＰ１２が設定され、前記ＩＰ網が前記通信レコードＲ２１を前記設定するとき、前記通信レコードＲ２１にポート制御レコードＰＴ２を付与して設定しており、
前記端末Ｍ１が音声又はデータを無線基地局Ｂ１に送信すると、前記無線基地局Ｂ１は前記音声又はデータを含む外部ＩＰパケットＧＰを前記網ノード装置Ｎ１に送信し、
前記外部ＩＰパケットＧＰは前記網ノード装置Ｎ１で前記通信レコードＲ１２が定めるアドレス条件を満たすかを調べられ、前記外部ＩＰパケットＧＰが前記アドレス規定を満たすには、前記外部ＩＰパケットＧＰが含む少なくとも宛先アドレスが、前記通信レコードＲ１が規定するアドレス範囲内にあることを要し、
前記外部ＩＰパケットＧＰがカプセル化されて内部パケットＮＰとなり、前記内部パケットＮＰは前記通信パスＰ１２を転送され、前記網ノード装置Ｎ２で前記通信レコードＲ２１が定めるアドレス条件を満たすかを調べられ、
前記内部ＩＰパケットＮ内の前記ＩＰパケットＧＰ１内の宛先ポート番号と前記ポート制御レコードＰＴ２内の着信許容宛先ポート番号とが比較され、比較の結果として選択された前記内部ＩＰパケットＮが前記外部ＩＰパケットＧＰに復元され、復元された前記外部ＩＰパケットＧＰは前記通信回線Ｌ２を経て前記無線基地局Ｂ２に転送され、前記無線基地局Ｂ２は、前記外部ＩＰパケットＧＰに含まれる前記音声又はデータを前記無線通信路ＲＣ２を経て前記端末Ｍ２に送信し、
前記ＩＰ網は、前記端末Ｍ１又はＭ２からの通信切断要求を基に前記通信レコードＲ１２及びＲ２１を消去し、前記通信パスＰ１２が抹消され、
前記ＩＰ網は、前記端末からの通信接続の要求を基に網ノード装置内に通信レコード及びプロトコル制御レコードを設定して前記ＩＰ網内に通信パスを設定し、前記端末からの通信切断要求を基に前記通信パスを抹消し、無線基地局を経由した端末間通信を可能としたことを特徴とするＩＰ網を用いた通信システム。
【請求項８５】
前記無線基地局Ｂ２が撤去されており、代わりに端末Ｔ２が通信回線Ｌ２及び論理端子ＬＰ２を経て網ノード装置Ｎ２に接続され、
前記端末Ｍ１及び前記端末Ｍ２間の端末間通信に代わり、前記端末Ｍ１及び前記端末Ｔ２間の端末間通信が行われ、
前記端末Ｍ１から送信された前記音声又はデータを含む外部ＩＰパケットＧＰが前記網ノード装置Ｎ１に入力し、少なくとも前記通信レコードＲ１２が用いられて内部パケットＮＰとなり、前記通信パスＰ１２を転送され、前記網ノード装置Ｎ２で、少なくとも前記通信レコードＲ２１が用いられて前記内部パケットＮＰから前記外部ＩＰパケットＧＰが復元され、前記外部ＩＰパケットＧＰは前記通信回線Ｌ２を経て前記端末Ｔ２に送信され、前記カプセル化又は逆カプセル化において、プロトコル制御レコードＰＲ１又はＰＲ２、ポート制御レコードＰＴ１又はＰＴ２のいずれか１つの制御レコードが更に用いられる請求項８１乃至８４のいずれかに記載のＩＰ網を用いた通信システム。
【請求項８６】
前記宛先端末Ｔ２はＷＷＷサーバ又は電子メールサーバであり、前記ポート制御レコードＰＴ２内の着信許容宛先ポート番号が、ＷＷＷ機能を指定するポート番号又は電子メール機能を規定するポート番号であり、ＷＷＷサーバ又は電子メールサーバに向けて送出された外部ＩＰパケットＧＰを含む内部ＩＰパケットＮを前記網ノード装置Ｎ２で通過又は廃棄するようになっている請求項８５に記載のＩＰ網を用いた通信システム。
【請求項８７】
ＩＰ網は複数の網ノード装置を含み、無線基地局Ｂ１は通信回線Ｌ１及び論理端子ＬＰ１を経て網ノード装置Ｎ１に接続され、端末Ｔ２は通信回線Ｌ２及び論理端子ＬＰ２を経て網ノード装置Ｎ２に接続され、端末Ｍ１は無線通信路ＲＣ１を経て無線基地局Ｂ１に接続され、
前記網ノード装置Ｎ１及びＮ２は前記ＩＰ網内部の通信回線で接続され、
網ノード装置は、通信回線終端の論理端子ＬＰｘから入力する外部ＩＰパケットに含まれるＩＰアドレスと、前記論理端子ＬＰｘを識別する識別情報を含む前記網ノード装置内部の通信レコードに含まれるＩＰアドレスとを比較してアドレス条件を判定し、前記アドレス条件が満たされると、前記外部ＩＰパケットをカプセル化した内部パケットを前記ＩＰ網に入力する機能及び内部パケットから前記外部ＩＰパケットを復元して前記通信回線Ｌｘに送信する機能を有し、
前記端末Ｍ１は電話番号を用いて前記端末Ｔ２に接続を要求するため、接続要求及び前記宛先端末Ｔ２の電話番号ＴＮＴ２を前記無線基地局Ｂ１経由で前記ＩＰ網に送信し、前記ＩＰ網は前記接続要求に基づく着信通知を前記端末Ｔ２に送信し、
前記端末Ｔ２が呼出中通知を前記ＩＰ網に送信すると、前記ＩＰ網は前記網ノード装置Ｎ２で受信した前記呼出中通知を前記網ノード装置Ｎ１から前記端末Ｍ１に向けて送信し、
前記端末Ｔ２は応答通知を前記ＩＰ網に送信し、前記ＩＰ網は受信した前記応答通知を前記端末Ｍ１に送信し、
前記端末Ｍ１への前記応答通知の送信により、端末間通信用の通信レコードの設定が可能となり、前記ＩＰ網は前記論理端子ＬＰ１を識別する情報を含む通信レコードＲ１２を前記網ノード装置Ｎ１に設定し、前記論理端子ＬＰ２を識別する情報を含む通信レコードＲ２１を前記網ノード装置Ｎ２に設定し、前記通信レコードＲ１２及びＲ２１により前記論理端子ＬＰ１とＬＰ２の間の通信パスＰ１２が設定され、
前記端末Ｍ１が音声又はデータを無線基地局Ｂ１に送信すると、前記無線基地局Ｂ１は前記音声又はデータを含む外部ＩＰパケットＧＰを前記網ノード装置Ｎ１に送信し、
前記網ノード装置Ｎ１は、前記外部ＩＰパケットＧＰに含まれるＩＰアドレスと、前記通信レコードＲ１２に含まれるＩＰアドレスとを比較してアドレス条件を判定し、前記判定が満たされると前記外部ＩＰパケットＮＰ１はカプセル化されて内部パケットＮＰとなり、前記内部パケットＮＰは前記通信パスＰ１２を転送され、前記網ノード装置Ｎ２で前記通信レコードＲ２１が定めるアドレス条件を満たすかを調べられ、前記外部ＩＰパケットＧＰに復元され、復元された前記外部ＩＰパケットＧＰは前記通信回線Ｌ２を経て前記端末Ｔ２に送信され、
前記ＩＰ網は、前記端末Ｍ１又はＴ２からの通信切断要求を基に前記通信レコードＲ１２及びＲ２１を消去し、前記通信パスＰ１２が抹消され、
前記ＩＰ網は、前記網ノード装置Ｎ１又は網ノード装置Ｎ２内の通信レコードｍ（ｍ＝１、２、・・・）内のレコードＩＤｍに、前記通信レコードｍの利用者の識別情報を記録しておき、前記レコードＩＤｍ情報を用いて、前記通信レコードｍの利用者を特定して通信料に対する課金情報として用いるようにしており、
前記ＩＰ網は前記端末からの通信接続の要求を基に網ノード装置内に通信レコードを設定することにより前記ＩＰ網内に通信パスを設定し、前記端末からの通信切断要求を基に前記通信パスを抹消し、通信レコード内のレコードＩＤｍ情報を課金情報に用い前記無線基地局を経由した端末間通信を可能としたことを特徴とするＩＰ網を用いた通信システム。
【請求項８８】
前記網ノード装置Ｎ１又はＮ２は、その内部の通信レコードＲ内のメモリ保護ビットを保護有りに表示して前記通信レコードＲの書換えを禁止し、或いは前記通信レコードＲのメモリ保護ビットを保護無しに表示して前記通信レコードの書換えを許可し、前記網ノード装置Ｎ１又はＮ２の通信レコードの書き換え管理を確実にしている請求項８１乃至８４、又は請求項８７のいずれかに記載のＩＰ網を用いた通信システム。
【請求項８９】
前記外部ＩＰパケットＧＰ内の宛先ポート番号と前記ポート制御レコードＰＴ１に含まれる発信許容指定の宛先ポート番号とを比較し、内部ＩＰパケットＮを形成する請求項８１又は８５に記載の機能を前記網ノードＮ１内のポートフィルタ機能回路又はポートフィルタ機能プログラムモジュールにより実施するようになっていることを特徴とするＩＰ網を用いた通信システム。
【請求項９０】
前記内部ＩＰパケットＮに含まれる前記外部ＩＰパケットＧＰ内の宛先ポート番号と、前記ポート制御レコードＰＴ２に含まれる着信許容指定の宛先ポート番号とを比較して内部ＩＰパケットＮから前記外部ＩＰパケットＧＰを復元する請求項８１又は８５のいずれかに記載の機能を前記網ノードＮ２内のポートフィルタ機能回路又はポートフィルタ機能プログラムモジュールにより実施するようになっていることを特徴とするＩＰ網を用いた通信システム。
【請求項９１】
前記ＩＰ網は前記通信レコードＲ１２に署名制御レコードＤ１を付与して設定し、前記通信レコードＲ２１に署名制御レコードＤ２を付与して設定しており、
外部ＩＰパケットＧＰが前記通信回線Ｌ１経由で前記網ノード装置Ｎ１に入力すると、前記通信レコードＲ１２及び前記署名制御レコードＤ１が用いられて外部ＩＰパケットＧＰに発信時署名が付与され、前記署名が付与された前記外部ＩＰパケットＧＰが内部ＩＰパケットＮとなって前記通信パスＰ１２を転送され、前記網ノード装置Ｎ２において、前記通信レコードＲ２１及び前記署名制御レコードＤ２が用いられて前記内部ＩＰパケット７内の前記外部ＩＰパケットに着信時署名が付与され、署名が付与された外部ＩＰパケットＧＰに復元するようになっている請求項８１乃至８４のいずれかに記載のＩＰ網を用いた通信システム。
【請求項９２】
前記外部ＩＰパケット７に発信時署名又は着信時署名の一方のみを付与するようになっている請求項９１に記載のＩＰ網を用いた通信システム。
【請求項９３】
前記電話番号に替えてホスト名を用いる請求項４８乃至９２のいずれかに記載のＩＰ網を用いた通信システム。
【請求項９４】
ＩＰ網は複数の網ノード装置を含み、前記複数の網ノード装置は通信回線で直接又は間接的に接続され、端末Ｔ１は通信回線Ｌ１を経て論理端子ＬＰ１で網ノード装置Ｎ１に接続され、端末Ｔ２は通信回線Ｌ２を経て論理端子ＬＰ２で網ノード装置Ｎ２に接続され、
前記端末Ｔ１は電話番号又はホスト名を用いて前記端末Ｔ２に接続を要求するため、接続要求及び前記端末Ｔ２の電話番号又はホスト名ＴＮ２を含む外部ＩＰパケットを前記ＩＰ網に送信し、前記ＩＰ網は、前記ＩＰ網内部のドメイン名サーバを用いて、前記宛先端末Ｔ２との通信に用いる前記網ノード装置Ｎ２を特定し、前記接続要求に基づく着信通知を含む外部ＩＰパケットを前記網ノード装置Ｎ２経由で前記端末Ｔ２に送信し、
前記端末Ｔ２は、応答準備開始を知らせる呼出中通知を含む外部ＩＰパケットを前記ＩＰ網に送信し、前記ＩＰ網は前記呼出中通知を含む外部ＩＰパケットを前記端末Ｔ１に送信し、
前記端末Ｔ２は応答を知らせる応答通知を含む外部ＩＰパケットを前記ＩＰ網に送信し、前記ＩＰ網は前記応答通知を含む外部ＩＰパケットを前記端末Ｔ１に送信し、
前記端末Ｔ１への前記応答通知の送信により、端末間通信用の通信レコードの設定が可能となり、前記網ノード装置Ｎ１は前記論理端子ＬＰ１及びＬＰ２を識別する識別情報を含む通信レコードＲ１２をその内部に設定し、前記網ノード装置Ｎ２は、前記論理端子ＬＰ２及びＬＰ１を識別する識別情報を含む通信レコードＲ２１をその内部に設定し、前記通信レコードＲ１２及びＲ２１により前記論理端子ＬＰ１及びＬＰ２の間に通信パスＰ１２が設定され、
前記端末Ｔ１は音声又はデータを含む外部ＩＰパケットＧＰを前記ＩＰ網へ送信すると、前記外部ＩＰパケットＧＰは前記論理端子ＬＰ１から前記網ノード装置Ｎ１に入力し、
前記網ノード装置Ｎ１は、前記外部ＩＰパケットＧＰに含まれるＩＰアドレスと、前記論理端子ＬＰ１により識別される前記通信レコードＲ１２に含まれるＩＰアドレスとを比較してアドレス条件を判定し、前記アドレス条件が満たされると前記外部ＩＰパケットＧＰを含む内部パケットＮＰを形成し、
前記内部パケットＮＰは前記通信パスＰ１２を経て前記網ノード装置Ｎ２に送信され、前記網ノード装置Ｎ２は前記通信レコードＲ２１を参照して前記内部パケットＮＰから前記外部ＩＰパケットＧＰを復元し、復元された前記外部ＩＰパケットＧＰを前記論理端子ＬＰ２経由で前記端末Ｔ２に送信し、
前記網ノード装置Ｎ１又はＮ２は、前記端末Ｔ１又はＴ２からの通信切断要求を含む外部ＩＰパケットを基に前記通信レコードＲ１２又はＲ２１を消去し、前記通信パスＰ１２は抹消され、
端末からの接続要求を基に接続要求側及び宛先側網ノード装置に通信レコードを設定して前記網ノード装置間に通信パスを設定し、端末からの通信切断要求を基に前記２つの通信レコードを消去して前記通信パスを抹消する端末間通信を可能としたことを特徴とするＩＰ網を用いた通信システム。
【請求項９５】
ＩＰ網は複数の網ノード装置を含み、前記複数の網ノード装置は通信回線で直接又は間接的に接続され、
無線基地局Ｂ１は通信回線Ｌ１を経て論理端子ＬＰ１で網ノード装置Ｎ１に接続され、無線基地局Ｂ２は通信回線Ｌ２を経て論理端子ＬＰ２で網ノード装置Ｎ２に接続され、
移動端末Ｍ１及びＭ２はＩＰアドレスを有し、外部ＩＰパケットを送受可能であり、
前記端末Ｍ１は電話番号又はホスト名を用いて前記端末Ｍ２に接続を要求するため、前記無線基地局Ｂ１と通信して無線通信路ＲＣ１を確保し、
接続要求及び前記端末Ｍ２の電話番号又はホスト名ＴＮ２を含む外部ＩＰパケットを、前記無線通信路ＲＣ１及び無線基地局Ｂ１経由で前記ＩＰ網に送信し、前記ＩＰ網は、前記ＩＰ網内部の上位ドメイン名サーバを用いて、前記宛先端末Ｍ２との通信に用いる前記網ノード装置Ｎ２及び前記無線基地局Ｂ２とを特定し、前記接続要求に基づく着信通知を含む外部ＩＰパケットを前記網ノード装置Ｎ２から前記無線基地局Ｂ２に送信し、前記無線基地局Ｂ２は前記端末Ｍ２と通信して無線通信路ＲＣ２を確保すると、前記着信通知を含む前記外部ＩＰパケットを前記端末Ｍ２に送信し、
前記端末Ｍ２は、応答準備開始を知らせる呼出中通知を含む外部ＩＰパケットを前記ＩＰ網に送信し、前記ＩＰ網は前記呼出中通知を含む外部ＩＰパケットを前記無線基地局Ｂ１経由で前記端末Ｍ１に送信し、
前記端末Ｍ２は応答を知らせる応答通知を含む外部ＩＰパケットを前記ＩＰ網に送信し、前記ＩＰ網は前記応答通知を含む外部ＩＰパケットを前記端末Ｍ１に送信し、
前記端末Ｍ１への前記応答通知の送信により、端末間通信用の通信レコードの設定が可能となり、前記網ノード装置Ｎ１は前記論理端子ＬＰ１及びＬＰ２を識別する識別情報を含む通信レコードＲ１２をその内部に設定し、前記網ノード装置Ｎ２は、前記論理端子ＬＰ２及びＬＰ１を識別する識別情報を含む通信レコードＲ２１をその内部に設定し、前記通信レコードＲ１２及びＲ２１により前記論理端子ＬＰ１及びＬＰ２の間に通信パスＰ１２が設定され、
前記端末Ｍ１は音声又はデータを含む外部ＩＰパケットＧＰを前記ＩＰ網へ送信すると、前記外部ＩＰパケットＧＰは前記論理端子ＬＰ１から前記網ノード装置Ｎ１に入力し、
前記網ノード装置Ｎ１は、前記外部ＩＰパケットＧＰに含まれるＩＰアドレスと、前記論理端子ＬＰ１により識別される前記通信レコードＲ１２に含まれるＩＰアドレスとを比較してアドレス条件を判定し、前記アドレス条件が満たされると前記外部ＩＰパケットＧＰを含む内部パケットＮＰを形成し、
前記内部パケットＮＰは前記通信パスＰ１２を経て前記網ノード装置Ｎ２に送信され、前記網ノード装置Ｎ２は前記通信レコードＲ２１を参照して前記内部パケットＮＰから前記外部ＩＰパケットＧＰを復元し、復元された前記外部ＩＰパケットＧＰを送信し、前記外部ＩＰパケットＧＰは前記無線基地局Ｂ２、前記無線通信路ＲＣ２を経て前記端末Ｍ２に到達し、
前記網ノード装置Ｎ１又はＮ２は、前記端末Ｍ１又はＭ２からの通信切断の要求を含む外部ＩＰパケットを基に前記通信レコードＲ１２又はＲ２１を消去し、前記通信パスＰ１２は抹消され、
端末からの接続要求を基に接続要求側及び宛先側網ノード装置に通信レコードを設定して前記網ノード装置間に通信パスを設定し、端末からの通信切断要求を基に前記２つの通信レコードを消去して前記通信パスを抹消し、無線通信路及び無線基地局を経由した端末間通信を可能としたことを特徴とするＩＰ網を用いた通信システム。
【請求項９６】
ＩＰ網は複数の網ノード装置を含み、前記複数の網ノード装置は通信回線で直接又は間接的に接続され、無線基地局Ｂ１は通信回線Ｌ１を経て論理端子ＬＰ１で網ノード装置Ｎ１に接続され、無線基地局Ｂ２は通信回線Ｌ２を経て論理端子ＬＰ２で網ノード装置Ｎ２に接続され、
移動端末Ｍ１は電話番号又はホスト名を用いて移動端末Ｍ２に接続を要求するため、
前記無線基地局Ｂ１と通信して無線通信路ＲＣ１を確保すると、記無線通信路ＲＣ１経由で、接続要求及び前記端末Ｍ２の電話番号又はホスト名ＴＮ２を前記無線基地局Ｂ１に送信し、前記無線基地局Ｂ１は前記接続要求及び前記電話番号又はホスト名ＴＮ２含む外部ＩＰパケットを前記ＩＰ網に送信し、前記ＩＰ網は、前記ＩＰ網内部の上位ドメイン名サーバを用いて、前記宛先端末Ｍ２との通信に用いる前記網ノード装置Ｎ２及び前記無線基地局Ｂ２とを特定し、前記接続要求に基づく着信通知を含む外部ＩＰパケットを、前記網ノード装置Ｎ２経由で前記無線基地局Ｂ２に送信し、前記無線基地局Ｂ２は前記端末Ｍ２と通信して無線通信路ＲＣ２を確保すると、前記着信通知を前記端末Ｍ２に送信し、
前記端末Ｍ２は、応答準備開始を知らせる呼出中通知を前記無線基地局Ｂ２へ送信し、前記無線基地局Ｂ２は前記呼出中通知を含む外部ＩＰパケットを前記ＩＰ網に送信し、前記ＩＰ網は前記呼出中通知を含む外部ＩＰパケットを前記無線基地局Ｂ１に送信し、前記無線基地局Ｂ１は前記呼出中通知を前記端末Ｍ１に送信し、
前記端末Ｍ２は応答を知らせる応答通知を前記無線基地局Ｂ２へ送り、前記無線基地局Ｂ２は応答通知を含む外部ＩＰパケットを前記ＩＰ網に送信し、前記ＩＰ網は前記応答通知を含む外部ＩＰパケットを前記無線基地局Ｂ１へ送り、前記無線基地局Ｂ１は前記応答通知を前記端末Ｍ１に送信し、前記端末Ｍ１への前記応答通知の送信により、端末間通信用の通信レコードの設定が可能となり、前記網ノード装置Ｎ１は前記論理端子ＬＰ１及びＬＰ２を識別する識別情報を含む通信レコードＲ１２をその内部に設定し、前記網ノード装置Ｎ２は、前記論理端子ＬＰ２及びＬＰ１を識別する識別情報を含む通信レコードＲ２１をその内部に設定し、前記通信レコードＲ１２及びＲ２１により前記論理端子ＬＰ１及びＬＰ２の間に通信パスＰ１２が設定され、
前記端末Ｍ１は音声又はデータを含む外部ＩＰパケットＧＰを前記ＩＰ網へ送信すると、前記外部ＩＰパケットＧＰは前記論理端子ＬＰ１から前記網ノード装置Ｎ１に入力し、
前記網ノード装置Ｎ１は、前記外部ＩＰパケットＧＰに含まれるＩＰアドレスと、前記論理端子ＬＰ１により識別される前記通信レコードＲ１２に含まれるＩＰアドレスとを比較してアドレス条件を判定し、前記アドレス条件が満たされると前記外部ＩＰパケットＧＰを含む内部パケットＮＰを形成し、
前記内部パケットＮＰは前記通信パスＰ１２を経て前記網ノード装置Ｎ２に送信され、前記網ノード装置Ｎ２は前記通信レコードＲ２１を参照して前記内部パケットＮＰから前記外部ＩＰパケットＧＰを復元し、復元された前記音声又はデータを含む外部ＩＰパケットＧＰを前記無線基地局Ｂ２に送信し、前記無線基地局Ｂ２は、前記音声又はデータを前記端末Ｍ２に送信し、
前記網ノード装置Ｎ１又はＮ２は、前記端末Ｍ１又はＭ２からの通信切断要求を含む外部ＩＰパケット基に前記通信レコードＲ１２又はＲ２１を消去し、前記通信パスＰ１２は抹消され、
端末からの接続要求を基に接続要求側及び宛先側網ノード装置に通信レコードを設定して前記網ノード装置間に通信パスを設定し、端末からの通信切断要求を基に前記２つの通信レコードを消去して前記通信パスを抹消し無線基地局を経由した端末間通信を可能としたことを特徴とするＩＰ網を用いた通信システム。
【請求項９７】
前記ＩＰ網内部を転送される内部パケットは内部ＩＰパケットであり、
前記網ノード装置Ｎ１又はＮ２は、前記論理端子ＬＰ１又はＬＰ２から入力した外部ＩＰパケットに含まれるＩＰアドレスと前記論理端子ＬＰ１又はＬＰ２を識別する識別情報を含む通信レコードに含まれるＩＰアドレスとを比較してアドレス条件を判定し、前記アドレス条件が満たされるとき、前記外部ＩＰパケットをＩＰカプセル化して内部ＩＰパケットを形成して前記ＩＰ網内部へ送信し、
内部ＩＰパケットを受信すると、当該網ノード装置の通信レコードを参照して前記内部ＩＰパケットを逆ＩＰカプセル化して得られる外部ＩＰパケットを前記ＩＰ網外部の通信回線へ送信するようになっている請求項９４乃至９６のいずれかに記載のＩＰ網を用いた通信システム。
【請求項９８】
前記ＩＰ網内部を転送される内部パケットは簡易ヘッダ付内部パケットであり、前記網ノード装置Ｎ１又はＮ２は、その論理端子ＬＰ１又はＬＰ２から入力した外部ＩＰパケットに含まれるＩＰアドレスと前記論理端子ＬＰ１又はＬＰ２を識別する識別情報を含む通信レコードに含まれるＩＰアドレスとを比較してアドレス条件を判定し、前記アドレス条件が満たされるとき、前記外部ＩＰパケットを簡易カプセル化して簡易ヘッダ付内部パケットを形成して前記ＩＰ網内部へ送信し、前記簡易ヘッダは宛先アドレスを含むが送信元アドレスを含まず、
簡易ヘッダ付内部パケットを受信すると、当該網ノード装置の通信レコードを参照して前記簡易ヘッダ付内部パケットを簡易逆カプセル化して得られる外部ＩＰパケットを前記ＩＰ網外部の通信回線へ送信し、前記簡易逆カプセル化は前記簡易ヘッダ付内部パケットから前記簡易ヘッダを除くことにより達成されるようになっている請求項９４乃至９６のいずれかに記載のＩＰ網を用いた通信システム。
【請求項９９】
前記ＩＰ網内部を転送される内部パケットは外部ＩＰパケットに拡張タグを付加する拡張タグカプセル化により得られる拡張タグ内部パケットが転送されるようになっており、前記拡張タグは送信元アドレス格納域及び宛先アドレス格納域を含み、
前記網ノード装置Ｎ１又はＮ２は、その論理端子ＬＰ１又はＬＰ２から入力した外部ＩＰパケットに含まれるＩＰアドレスと前記論理端子ＬＰ１又はＬＰ２を識別する識別情報を含む通信レコードに含まれるＩＰアドレスとを比較してアドレス条件を判定し、前記アドレス条件が満たされるとき、前記外部ＩＰパケットに拡張タグを付加する拡張タグカプセル化が行われて拡張タグ内部パケットが形成され、拡張タグ内部パケットを受信すると、当該網ノード装置の通信レコードを参照して前記拡張タグ内部パケットから拡張タグを除く、拡張タグ逆カプセル化により得られる外部ＩＰパケットを前記ＩＰ網外部の通信回線へ送信するようになっている請求項９４乃至９６のいずれかに記載のＩＰ網を用いた通信システム。
【請求項１００】
ＩＰ網は複数の網ノード装置を含み、前記複数の網ノード装置は通信回線で直接又は間接的に接続され、端末Ｔ１は通信回線Ｌ１を経て論理端子ＬＰ１で網ノード装置Ｎ１に接続され、端末Ｔ２は通信回線Ｌ２を経て論理端子ＬＰ２で網ノード装置Ｎ２に接続され、
前記端末Ｔ１は電話番号又はホスト名を用いて前記端末Ｔ２に接続を要求するため、接続要求及び前記端末Ｔ２の電話番号又はホスト名ＴＮ２を含む外部ＩＰパケットを前記ＩＰ網に送信し、前記ＩＰ網は、内部のドメイン名サーバを用いて、前記宛先端末Ｔ２との通信に用いる前記網ノード装置Ｎ２を特定し、前記接続要求に基づく着信通知を含む外部ＩＰパケットを前記網ノード装置Ｎ２経由で前記端末Ｔ２に送信し、
前記ＩＰ網は、前記端末Ｔ２から応答通知を受信する受信しないにかかわらず、応答通知を含む外部ＩＰパケットを前記網ノード装置Ｎ１から前記端末Ｔ１に送信し、
前記端末Ｔ１への前記応答通知の送信により、端末間通信用の通信レコードの設定が可能となり、前記網ノード装置Ｎ１はその内部に前記論理端子ＬＰ１を識別する識別情報を含む通信レコードＲ１２設定し、前記網ノード装置Ｎ２は、その内部に前記論理端子ＬＰ２を識別する識別情報を含む通信レコードＲ２１に設定し、前記通信レコードＲ１２及びＲ２１により前記網ノード装置Ｎ１及びＮ２の間に通信パスＰ１２が設定され、
前記端末Ｔ１は外部ＩＰパケットＧＰを前記ＩＰ網へ送信すると、前記外部ＩＰパケットＧＰは前記論理端子ＬＰ１から前記網ノード装置Ｎ１に入力し、
前記網ノード装置Ｎ１は、前記外部ＩＰパケットＧＰに含まれるＩＰアドレスと、前記論理端子ＬＰ１により識別される前記通信レコードＲ１２に含まれるＩＰアドレスとを比較してアドレス条件を判定し、前記アドレス条件が満たされると前記外部ＩＰパケットＧＰを含む内部パケットＮＰを形成し、
前記内部パケットＮＰは前記通信パスＰ１２を経て前記網ノード装置Ｎ２に送信され、前記網ノード装置Ｎ２は前記通信レコードＲ２１を参照して前記内部パケットＮＰから前記外部ＩＰパケットＧＰを復元し、復元された前記外部ＩＰパケットＧＰを前記論理端子ＬＰ２経由で前記端末Ｔ２に送信し、
前記網ノード装置Ｎ１又はＮ２は、前記端末Ｔ１又はＴ２からの通信切断要求を含む外部ＩＰパケットを基に前記通信レコードＲ１２又はＲ２１を消去し、前記通信パスＰ１２は抹消され、
ＩＰ網は接続要求毎に内部に通信パスを設定し、端末が送信した外部ＩＰパケットは内部ＩＰパケットとなって前記通信パスを転送され、通信終了後前記通信パスは抹消され、ＩＰ網は通信レコードが定めるアドレス条件を満たさない外部ＩＰパケットを廃棄して安全性を確保し、電話番号又はホスト名を用いてＩＰパケットを送受する端末間通信を可能としたことを特徴とするＩＰ網を用いた通信システム。
【請求項１０１】
前記端末Ｔ１及び前記通信レコードＲ１が撤去され、無線基地局Ｂ１が通信回線Ｌ１を経て論理端子ＬＰ１で網ノード装置Ｎ１に接続され、
前記網ノード装置Ｎ１はその内部に前記論理端子ＬＰ１を識別する識別情報を含む通信レコードＲ１ｘを設定しており、
移動端末Ｍ１は前記無線基地局Ｂ１と通信して無線通信路ＲＣ１を確保し、電話番号又はホスト名を用いて前記ＩＰ網に対して固定端末Ｔ２への接続を要求し、前記ＩＰ網は前記接続要求に基づく着信通知を含む外部ＩＰパケットを前記網ノード装置Ｎ２経由で前記端末Ｔ２に送信し、
前記ＩＰ網は、前記端末Ｔ２から応答通知を受信する受信しないにかかわらず、応答通知を含む外部ＩＰパケットを網ノード装置Ｎ１及び前記無線基地局Ｂ１経由で前記端末Ｔ１に送信し、
前記網ノード装置Ｎ１は、その内部に前記論理端子ＬＰ１を識別する識別情報を含む通信レコードＲ１２ｘ設定し、前記網ノード装置Ｎ２は、その内部に前記論理端子ＬＰ２を識別する識別情報を含む通信レコードＲ２１ｘに設定し、前記通信レコードＲ１２ｘ及びＲ２１ｘにより前記網ノード装置Ｎ１及びＮ２間に通信パスＰ１２ｘが設定され、
前記端末Ｔ１が、前記無線通信局経由で音声又はデータを含む外部ＩＰパケットＧＰｘを前記ＩＰ網へ送信すると、前記外部ＩＰパケットＧＰｘは前記論理端子ＬＰ１から前記網ノード装置Ｎ１に入力し、前記外部ＩＰパケットＧＰｘは、前記通信レコードＲ１２ｘが用いられて内部パケットＮＰとなり、
前記内部パケットＮＰは前記通信パスＰ１２ｘを経て前記網ノード装置Ｎ２に送信され、前記網ノード装置Ｎ２で前記外部ＩＰパケットＧＰｘに復元されて前記端末Ｔ２に送信される請求項１００に記載のＩＰ網を用いた通信システム。
【請求項１０２】
ＩＰ網は複数の網ノード装置及び複数のルータを含み、前記網ノード装置及びルータは通信回線で直接又は間接的に接続されており、
端末Ｔｋ（ｋ＝０，１，・・・，ｎ）は通信回線Ｌｋを経て論理端子ＬＰｋで網ノード装置Ｎｋに接続され、
前記端末Ｔｋ（ｋは０以上）は固有の外部ＩＰアドレスＥＡｋを付与され、前記論理端子ＬＰｋは前記論理端子ＬＰｋの識別情報としての内部ＩＰアドレスＩＡｋを付与され、
前記網ノード装置Ｎｋ（ｋは０以上）の装置制御表Ｈｋに通信レコードＲｋが設定されており、前記通信レコードＲｋは、前記通信回線Ｌｋを識別する識別情報，前記外部ＩＰアドレスをＥＡｋ及び前記内部ＩＰアドレスＩＡｋを含み、
前記論理端子ＬＰｋ（ｋは１以上）は、前記論理端子ＬＰｋを識別する識別情報として、更に内部ＩＰアドレスＩＭ２を付与され、前記通信レコードＲｋ（ｋは１以上）は前記内部ＩＰアドレスＩＭ２を含み、
マルチキャストデータを送信する前記固定端末Ｔ０が、前記外部ＩＰアドレスＥＡ０を送信元アドレス、前記外部ＩＰアドレスＭ２を宛先アドレスとする外部ＩＰパケットＰを前記通信回線Ｌ０に送信し、前記外部ＩＰパケットＰが論理端子ＬＰ０から前記網ノード装置Ｎ０に入力し、
前記網ノード装置Ｎ０は、前記外部ＩＰパケットＰに含まれるＩＰアドレスと、前記通信レコードＲ０に含まれるＩＰアドレスとを比較してアドレス条件を判定し、前記アドレス条件が満たされると、前記通信レコードＲ０を参照して前記内部ＩＰアドレスＩＭ２を宛先アドレスとする内部ＩＰパケットＰを形成し、前記アドレス条件外の前記外部ＩＰパケットを廃棄し、
前記内部ＩＰパケットＰは、前記通信レコードＲ０に含まれる内部ＩＰパケットＰの送出先通信回線Ｇａ（ａ＝１，２，・・・）の識別情報を参照して１以上の通信回線Ｇａに送出され、前記内部ＩＰパケットＰはルータＲＴｍ（ｍ＝１，２，・・・）に入力するか、又は、前記網ノード装置のいずれかに入力し、
前記ルータＲＴｍは、前記内部ＩＰアドレスＩＭ２を含む経路表のレコードＲｘをその内部に見出し、前記経路表のレコードＲｘが示す１以上の送出先通信回線Ｇｂ（ｂ＝１，２，・・）に、前記内部ＩＰパケットＰ又は前記内部ＩＰパケットＰを複製した内部ＩＰパケットＰを送出し、前記内部ＩＰパケットＰは、更に次段のルータ又は前記網ノード装置のいずれかに入力し、前記次段のルータは前記内部ＩＰパケットＰ又は複製した内部ＩＰパケットＰをその送出先通信回線Ｇｃ（ｃ＝１，２，・・・）に送出し、前記同様の手順が繰り返され、最終的には、前記内部ＩＰパケットＰ又は複製された前記内部ＩＰパケットＰは前記網ノード装置Ｎｋの全てに入力し、
前記網ノード装置Ｎｋ（ｋは１以上）は、内部通信回線から入力した内部ＩＰパケットＰを前記通信レコードＲｋを参照して前記外部ＩＰパケットＰに復元すると共に、前記通信レコードＲｋ内のアドレス変換指定に基づいて、前記外部ＩＰパケットＰの宛先アドレスを前記端末Ｔｋの外部ＩＰアドレスＥＡｋに変換して得られる外部ＩＰパケットＰｋを前記通信回線Ｌｋに送信し、
前記端末Ｔｋ（ｋは１以上）が前記外部ＩＰアドレスＭ２を宛先アドレスとする外部ＩＰパケットＫを前記網ノード装置Ｎｋに送信すると、前記網ノード装置Ｎｋは、前記論理端子ＬＰｋから入力する前記外部ＩＰパケットＫに含まれるＩＰアドレスと前記通信レコードＲｋに含まれるアドレスとを比較するアドレス条件を判定し、この場合前記外部ＩＰアドレスＭ２が宛先アドレスとして許容されていないので、前記外部ＩＰパケットＫを廃棄し、
前記ＩＰ網は、網ノード装置内の装置制御表にマルチキャストデータ配信用の通信レコードを設定してあり、ルータ内にマルチキャストデータ配信用の前記経路表レコードを設定してあり、端末が送信した外部ＩＰパケットは、送信側網ノード装置で通信レコードが定めるアドレス条件を満たすかを検査され、内部ＩＰパケットとなって転送され、受信側網ノード装置で逆ＩＰカプセル化されて外部ＩＰパケットとなり、更にマルチキャスト受信者アドレス変換機能により、宛先アドレスが前記端末Ｔｋの外部ＩＰアドレスに書換えられてマルチキャスト通信を行い得ることを特徴とするＩＰ網を用いたＩＰ通信システム。
【請求項１０３】
ＩＰ網は複数の網ノード装置及び複数のルータを含み、マルチキャスト認証サーバ及び上位ドメイン名サーバを含み、
前記網ノード装置、ルータ及びサーバ類は通信回線で直接又は間接的に接続されており、固定端末Ｔ０が通信回線Ｌ０を経て論理端子ＬＰ０で前記網ノード装置Ｎ０に接続しており、
無線基地局Ｂｋ（ｋ＝１，２，・・・，ｎ）は通信回線Ｌｋを経て論理端子ＬＰｋで網ノード装置Ｎｋに接続され、外部ＩＰアドレスをＥＡＢｋを有し、
前記論理端子ＬＰｋは前記論理端子ＬＰｋを識別する識別情報としての内部ＩＰアドレスＩＡＢｋを付与され、
前記固定端末Ｔ０が、前記外部ＩＰアドレスＥＡ０を送信元アドレス、前記外部ＩＰアドレスＭ２を宛先アドレスとする外部ＩＰパケットＰを前記通信回線Ｌ０に送信すると、前記外部ＩＰパケットＰが論理端子ＬＰ０から前記網ノード装置Ｎ０に入力し、
前記網ノード装置Ｎ０は、前記外部ＩＰパケットＰに含まれるＩＰアドレスと、前記通信レコードＲ０に含まれるＩＰアドレスとを比較してアドレス条件を判定し、前記アドレス条件が満たされると、前記通信レコードＲ０を参照して前記内部ＩＰアドレスＩＭ２を宛先アドレスとする内部ＩＰパケットＰを形成し、前記アドレス条件外の前記外部ＩＰパケットを廃棄し、
前記内部ＩＰパケットＰは、前記通信レコードＲ０に含まれる内部ＩＰパケットＰの送出先通信回線Ｇａ（ａ＝１，２，・・・）の識別情報を参照して１以上の通信回線Ｇａに送出され、前記内部ＩＰパケットＰはルータＲＴｍ（ｍ＝１，２，・・・）に入力するか、又は、前記網ノード装置のいずれかに入力し、
前記ルータＲＴｍは、前記内部ＩＰアドレスＩＭ２を含む経路表のレコードＲｘをその内部に見出し、前記経路表のレコードＲｘが示す１以上の送出先通信回線Ｇｂ（ｂ＝１，２，・・・）に、前記内部ＩＰパケットＰ又は前記内部ＩＰパケットＰを複製した内部ＩＰパケットＰを送出し、前記内部ＩＰパケットＰは、更に次段のルータ又は前記網ノード装置のいずれかに入力し、前記次段のルータは前記内部ＩＰパケットＰ又は複製した内部ＩＰパケットＰをその送出先通信回線Ｇｃ（ｃ＝１，２，・・・）に送出し、前記同様の手順が繰り返され、最終的には、前記内部ＩＰパケットＰ又は複製された前記内部ＩＰパケットＰは前記網ノード装置Ｎｋの全てに入力するようになっており、
前記端末Ｔ０が、前記外部ＩＰアドレスＥＡ０を送信元アドレス、前記外部ＩＰアドレスＭ２を宛先アドレスとし、複数データｍ（ｍ＝１，２，・・・）を含む複数の外部ＩＰパケットＰｍを送信し続けており、前記外部ＩＰパケットＰｍは内部ＩＰパケットＰｍ（ｍ＝１，２，・・・）となって前記網ノード装置Ｎｋに到達し続けており、
移動端末Ｍ１が、前記外部ＩＰパケットＰｍ（ｍ：整数）の少なくとも１つを受信するため、無線基地局Ｂ１と通信して無線通信路ＲＣ１を確保し、前記無線通信路ＲＣ１を経てマルチキャスト受信要求を前記無線基地局Ｂ１へ送信し、前記マルチキャスト受信要求は、前記端末Ｍ１の電話番号又はホスト名ＴＮ１とマルチキャスト受信端末認証情報ＰＩＤ−Ｍ１とを含み、前記無線基地局Ｂ１は前記マルチキャスト受信要求を含む外部ＩＰパケットを形成して送信すると、前記外部ＩＰパケットは前記網ノード装置Ｎ１でマルチキャスト受信要求を含む内部ＩＰパケットとなってマルチキャスト認証サーバＭＳに到達し、前記マルチキャスト認証サーバＭＳは、上位ドメイン名サーバに前記電話番号又はホスト名ＴＮ１とマルチキャスト受信端末認証情報ＰＩＤ−Ｍ１との組を提示し、前記上位ドメイン名サーバは前記マルチキャスト受信端末認証情報ＰＩＤ−Ｍ１の合否判定を前記マルチキャスト認証サーバＭＳに通知し、合否判定が合格であると、マルチキャスト認証サーバＭＳは前記マルチキャスト受信要求を含む外部ＩＰパケットが入力した前記網ノード装置Ｎ１の装置制御表Ｈ１内に通信レコードＲ１の設定を指示し、前記通信レコードＲ１は、前記通信回線Ｌ１を識別する識別情報，前記無線基地局Ｂ１の外部ＩＰアドレスＥＡＢ１及び前記内部ＩＰアドレスＩＡＢ１を含み、
前記通信レコードＲ１の設定により、前記網ノード装置Ｎ１は、前記通信レコードＲ１を参照して内部通信回線から入力した１以上の内部ＩＰパケットＰｘを前記外部ＩＰパケットＰｘに復元すると共に、前記通信レコードＲ１内のアドレス変換指定に基づいて、前記外部ＩＰパケットＰｘの宛先アドレスを前記無線基地局Ｂ１の外部ＩＰアドレスをＥＡＢ１に変換して得られる外部ＩＰパケットＰｘ１を前記通信回線Ｌ１に送信し、前記無線基地局Ｂ１は、受信した前記外部ＩＰパケットＰｘ１内データを前記無線通信路ＲＣ１経由で前記端末Ｍ１に送信し、
移動端末Ｍ１が、マルチキャスト受信終了要求を前記無線基地局Ｂ１経由でマルチマルチキャスト認証サーバＭＳへ送信すると、前記マルチキャスト認証サーバＭＳは、前記網ノード装置Ｎ１に前記通信レコードＲ１の抹消を指示し、
前記同様にして、移動端末Ｍ２が無線基地局Ｂ１又はＢ２と通信して、無線通信路ＲＣ１ｘ又はＲＣ２を確保し、前記無線基地局Ｂ１又はＢ２を経由して、１以上の前記外部ＩＰパケットＰｘを受信することが可能であるマルチキャスト通信を行い得ることを特徴とするＩＰ網を用いたＩＰ通信システム。
【請求項１０４】
ＩＰ網は複数の網ノード装置及び複数のルータを含み、マルチキャスト認証サーバ及び上位ドメイン名サーバを含み、
前記網ノード装置、ルータ及びサーバ類は通信回線で直接又は間接的に接続されており、固定端末Ｔ０が通信回線Ｌ０を経て論理端子ＬＰ０で前記網ノード装置Ｎ０に接続しており、
無線基地局Ｂｋ（ｋ＝１，２，・・・，ｎ）は通信回線Ｌｋを経て論理端子ＬＰｋで網ノード装置Ｎｋに接続され、前記論理端子ＬＰｋは前記論理端子ＬＰｋを識別する識別情報としての内部ＩＰアドレスＩＡＢｋを付与され、
移動端末は外部ＩＰアドレスを有しており、
前記固定端末Ｔ０が、前記外部ＩＰアドレスＥＡ０を送信元アドレス、前記外部ＩＰアドレスＭ２を宛先アドレスとする外部ＩＰパケットＰを前記通信回線Ｌ０に送信すると、前記外部ＩＰパケットＰが論理端子ＬＰ０から前記網ノード装置Ｎ０に入力し、
前記網ノード装置Ｎ０は、前記外部ＩＰパケットＰに含まれるＩＰアドレスと、前記通信レコードＲ０に含まれるＩＰアドレスとを比較してアドレス条件を判定し、前記アドレス条件が満たされると、前記通信レコードＲ０を参照して前記内部ＩＰアドレスＩＭ２を宛先アドレスとする内部ＩＰパケットＰを形成し、前記アドレス条件外の前記外部ＩＰパケットを廃棄し、
前記内部ＩＰパケットＰは、前記通信レコードＲ０に含まれる内部ＩＰパケットＰの送出先通信回線Ｇａ（ａ＝１，２，・・・）の識別情報を参照して１以上の通信回線Ｇａに送出され、前記内部ＩＰパケットＰはルータＲＴｍ（ｍ＝１，２，・・・）に入力するか、又は前記網ノード装置のいずれかに入力し、
前記ルータＲＴｍは、前記内部ＩＰアドレスＩＭ２を含む経路表のレコードＲｘをその内部に見出し、前記経路表のレコードＲｘが示す１以上の送出先通信回線Ｇｂ（ｂ＝１，２，・・・）に、前記内部ＩＰパケットＰ又は前記内部ＩＰパケットＰを複製した内部ＩＰパケットＰを送出し、前記内部ＩＰパケットＰは、更に次段のルータ又は前記網ノード装置のいずれかに入力し、前記次段のルータは前記内部ＩＰパケットＰ又は複製した内部ＩＰパケットＰをその送出先通信回線Ｇｃ（ｃ＝１，２，・・・）に送出し、前記同様の手順が繰り返され、最終的には、前記内部ＩＰパケットＰ又は複製された前記内部ＩＰパケットＰは前記網ノード装置Ｎｋの全てに入力するようになっており、
前記端末Ｔ０が、前記外部ＩＰアドレスＥＡ０を送信元アドレス、前記外部ＩＰアドレスＭ２を宛先アドレスとし、複数データｍ（ｍ＝１，２，・・・）を含む複数の外部ＩＰパケットＰｍを送信し続けており、前記外部ＩＰパケットＰｍは内部ＩＰパケットＰｍ（ｍ＝１，２，・・・）となって前記網ノード装置Ｎｋに到達し続けており、
移動端末Ｍ１が、前記外部ＩＰパケットＰｍ（ｍ：整数）の少なくとも１つを受信するため、無線基地局Ｂ１と通信して無線通信路ＲＣ１を確保し、前記端末Ｍ１の外部ＩＰアドレスＥＡ１を送信元アドレス、マルチキャスト認証サーバＭＳの外部ＩＰアドレスを宛先アドレスとし、マルチキャスト受信要求を含む外部ＩＰパケットを形成して送信し、前記マルチキャスト受信要求は、前記端末Ｍ１の電話番号又はホスト名ＴＮ１とマルチキャスト受信端末認証情報ＰＩＤ−Ｍ１とを含み、前記外部ＩＰパケットは前記網ノード装置Ｎ１でマルチキャスト受信要求を含む内部ＩＰパケットとなってマルチキャスト認証サーバＭＳに到達し、
前記マルチキャスト認証サーバＭＳは、上位ドメイン名サーバに前記電話番号又はホスト名ＴＮ１とマルチキャスト受信端末認証情報ＰＩＤ−Ｍ１との組を提示し、前記上位ドメイン名サーバは前記マルチキャスト受信端末認証情報ＰＩＤ−Ｍ１の合否判定を前記マルチキャスト認証サーバＭＳに通知し、合否判定が合格であると、マルチキャスト認証サーバＭＳは前記マルチキャスト受信要求を含む外部ＩＰパケットが入力した前記網ノード装置Ｎ１の装置制御表Ｈ１内に通信レコードＲ１の設定を指示し、前記通信レコードＲ１は、前記通信回線Ｌ１を識別する識別情報，前記移動端末Ｍ１又の外部ＩＰアドレスＥＡ１及び前記論理端子ＬＰＢ１の識別情報としての前記内部ＩＰアドレスＩＡＢ１を含み、
前記通信レコードＲ１の設定により、前記網ノード装置Ｎ１は、前記通信レコードＲ１を参照して内部通信回線から入力した１以上の内部ＩＰパケットＰｘを前記外部ＩＰパケットＰｘに復元すると共に、前記通信レコードＲ１内のアドレス変換指定に基づいて、前記外部ＩＰパケットＰｘの宛先アドレスを前記端末Ｔ１の外部ＩＰアドレスＥＡ１に変換して得られる外部ＩＰパケットＰｘ１を前記通信回線Ｌ１に送信すると、前記外部ＩＰパケットＰｘは前記無線基地局Ｂ１及び前記無線通信路ＲＣ１経由で前記端末Ｍ１に到達し、
移動端末Ｍ１が、マルチキャスト受信終了要求を前記無線基地局Ｂ１経由でマルチマルチキャスト認証サーバＭＳへ送信すると、前記マルチキャスト認証サーバＭＳは、前記網ノード装置Ｎ１に前記通信レコードＲ１の抹消を指示し、前記同様にして、移動端末Ｍ２が無線基地局Ｂ１又はＢ２と通信して、無線通信路ＲＣ１ｘ又はＲＣ２を確保し、前記無線基地局Ｂ１又はＢ２を経由して、１以上の前記外部ＩＰパケットＰｘを受信することが可能であるマルチキャスト通信を行い得ることを特徴とするＩＰ網を用いたＩＰ通信システム。
【請求項１０５】
前記端末Ｔ１は電話番号又はホスト名を用いて前記端末Ｔ２に接続要求するため、接続要求及び前記端末Ｔ２の電話番号又はホスト名ＴＮ２を含む外部ＩＰパケットを送信すると前記外部ＩＰパケットは前記網ノード装置Ｎ１から前記ＩＰ網に入力し、前記ＩＰ網は着信通知を前記網ノード装置Ｎ２経由で前記端末Ｔ２に送信し、
前記端末Ｔ２が応答準備開始を知らせる呼出中通知を送信すると、前記外部ＩＰパケットは前記網ノード装置Ｎ２から前記ＩＰ網に入力し、前記ＩＰ網は、前記呼出中通知を前記網ノード装置Ｎ１経由で前記端末Ｔ１に送信し、
前記端末Ｔ２が応答を知らせる応答通知を送信すると、前記外部ＩＰパケットは前記網ノード装置Ｎ２から前記ＩＰ網に入力し、前記ＩＰ網は、前記応答通知を前記網ノード装置Ｎ１経由で前記端末Ｔ１に送信し、
前記端末Ｔ１への前記応答通知の送信により、端末間通信用の通信レコードの設定が可能となり、前記ＩＰ網は前記網ノード装置Ｎ１に対して通信レコードＲ１２の設定を指示し、前記網ノード装置Ｎ２に対して通信レコードＲ２１の設定を指示し、前記通信レコードＲ１２及びＲ２１は前記網ノード装置Ｎ１及びＮ２の間に内部ＩＰパケットが転送される通信パスＰ１２を定めており、前記端末Ｔ１が音声又はデータを含む外部ＩＰパケットを送信すると、
前記外部ＩＰパケットは前記網ノード装置Ｎ１に入力し、前記外部ＩＰパケットに含まれるＩＰアドレスと、前記通信レコードＲ１２に含まれるＩＰアドレスとを比較してアドレス条件が判定され、ＩＰカプセル化され、内部ＩＰパケットに変換されて前記通信パスＰ１２を転送され、前記網ノード装置Ｎ２で前記通信レコードＲ２１が参照されて逆ＩＰカプセル化されて復元された前記外部ＩＰパケットが前記端末Ｔ２に送信されるようになっている請求項１０２に記載のＩＰ網を用いた通信システム。
【請求項１０６】
前記端末Ｔ１は電話番号又はホスト名を用いて前記端末Ｔ２に接続要求するため、前記無線基地局Ｂ１と通信して無線通信路ＲＸ１を確保し、接続要求及び前記端末Ｔ２の電話番号又はホスト名ＴＮ２を前記無線通信路ＲＸ１経由で前記無線基地局Ｂ１に送信し、前記無線基地局Ｂ１は前記接続要求及び前記端末Ｔ２の電話番号又はホスト名ＴＮ２を含む外部ＩＰパケットを形成して送信すると、前記外部ＩＰパケットは、前記通信回線Ｌ１を経由して前記網ノード装置Ｎ１から前記ＩＰ網に入力し、前記ＩＰ網は着信通知を含む外部ＩＰパケットを前記網ノード装置Ｎ２経由で前記無線基地局Ｂ２に送信し、前記無線基地局Ｂ２は、前記端末Ｔ２と通信して無線通信路ＲＸ２を確保し、前記着信通知を前記端末Ｔ２に送信し、
前記端末Ｔ２が応答準備開始を知らせる呼出中通知を前記無線基地局Ｂ２に送信し、前記無線基地局Ｂ２は前記呼出中通知を含む外部ＩＰパケットを形成して送信し、前記外部ＩＰパケットは前記網ノード装置Ｎ２から前記ＩＰ網に入力し、前記ＩＰ網は、前記呼出中通知を含む外部ＩＰパケットを前記網ノード装置Ｎ１経由で前記無線基地局Ｂ１に送信し、前記無線基地局Ｂ１は前記呼出中通知を前記端末Ｔ１に送信し、
前記端末Ｔ２が応答を知らせる応答通知を含む外部ＩＰパケットを前記無線基地局Ｂ２に送信すると、前記無線基地局Ｂ２は前記応答通知を含む外部ＩＰパケットを形成して送信し、前記外部ＩＰパケットは前記網ノード装置Ｎ２から前記ＩＰ網に入力し、前記ＩＰ網は、前記応答通知を含む外部ＩＰパケットを前記網ノード装置Ｎ１経由で前記無線基地局Ｂ１に送信し、前記無線基地局Ｂ１は前記応答通知を前記端末Ｔ１に送信し、
前記端末Ｔ１への前記応答通知を含む前記外部ＩＰパケットの送信により、端末間通信用の通信レコードの設定が可能となり、前記ＩＰ網は前記網ノード装置Ｎ１に対して通信レコードＲ１２の設定を指示し、前記網ノード装置Ｎ２に対して通信レコードＲ２１の設定を指示し、前記通信レコードＲ１２及びＲ２１は前記網ノード装置Ｎ１及びＮ２の間に内部ＩＰパケットが転送される通信パスＰ１２を定めており、前記端末Ｔ１が音声又はデータを含む前記無線基地局Ｂ１へ送信すると、前記無線基地局Ｂ１は前記音声又はデータを含む外部ＩＰパケットは形成して送信し、前記外部ＩＰパケットは前記網ノード装置Ｎ１に入力し、前記外部ＩＰパケットに含まれるＩＰアドレスと、前記通信レコードＲ１２に含まれるＩＰアドレスとを比較してアドレス条件が判定され、ＩＰカプセル化され、内部ＩＰパケットに変換されて前記通信パスＰ１２を転送され、前記網ノード装置Ｎ２で前記通信レコードＲ２１が参照されて逆ＩＰカプセル化されて復元された前記外部ＩＰパケットが前記無線基地局Ｂ２へ送信され、前記無線基地局Ｂ２は前記外部ＩＰパケットから取得した音声又はデータを前記端末Ｔ２に送信するようになっている請求項１０３に記載のＩＰ網を用いた通信システム。
【請求項１０７】
前記端末Ｔ１は電話番号又はホスト名を用いて前記端末Ｔ２に接続要求するため、前記無線基地局Ｂ１と通信して無線通信路ＲＸ１を確保し、接続要求及び前記端末Ｔ２の電話番号又はホスト名ＴＮ２を含む外部ＩＰパケットを送信し、前記外部ＩＰパケットは、前記無線通信路ＲＸ１、前記無線基地局Ｂ１を経由して、前記網ノード装置Ｎ１から前記ＩＰ網に入力し、前記ＩＰ網は着信通知を含む外部ＩＰパケットを前記網ノード装置Ｎ２経由で前記無線基地局Ｂ２に送信すると、前記無線基地局Ｂ２は、前記端末Ｔ２と通信して無線通信路ＲＸ２を確保し、前記着信通知を含む外部ＩＰパケットを前記端末Ｔ２に送信し、
前記端末Ｔ２が応答準備開始を知らせる呼出中通知を含む外部ＩＰパケットを送信すると、前記外部ＩＰパケットは、前記無線基地局Ｂ２を経て前記網ノード装置Ｎ２から前記ＩＰ網に入力し、前記ＩＰ網は、前記呼出中通知を含む外部ＩＰパケットを前記網ノード装置Ｎ１及び前記無線基地局Ｂ１経由で前記端末Ｔ１に送信し、
前記端末Ｔ２が応答を知らせる応答通知を含む外部ＩＰパケットを送信すると、前記外部ＩＰパケットは前記無線基地局Ｂ２を経て前記網ノード装置Ｎ２から前記ＩＰ網に入力し、前記ＩＰ網は、前記応答通知を含む外部ＩＰパケットを前記網ノード装置Ｎ１及び前記無線基地局Ｂ１経由で前記端末Ｔ１に送信し、
前記端末Ｔ１への前記応答通知の送信により、端末間通信用の通信レコードの設定が可能となり、前記ＩＰ網は前記網ノード装置Ｎ１に対して通信レコードＲ１２の設定を指示し、前記網ノード装置Ｎ２に対して通信レコードＲ２１の設定を指示し、前記通信レコードＲ１２及びＲ２１は前記網ノード装置Ｎ１及びＮ２の間に内部ＩＰパケットが転送される通信パスＰ１２を定めており、前記端末Ｔ１が音声又はデータを含む外部ＩＰパケットを送信すると、
前記外部ＩＰパケットは前記無線基地局Ｂ１で前記網ノード装置Ｎ１に入力し、前記外部ＩＰパケットに含まれるＩＰアドレスと、前記通信レコードＲ１２に含まれるＩＰアドレスとを比較してアドレス条件が判定され、ＩＰカプセル化され、内部ＩＰパケットに変換されて前記通信パスＰ１２を転送され、前記網ノード装置Ｎ２で前記通信レコードＲ２１が参照されて逆ＩＰカプセル化されて復元された前記外部ＩＰパケットが前記無線基地局Ｂ２経由で前記端末Ｔ２に送信されるようになっている請求項１０４に記載のＩＰ網を用いた通信システム。
【請求項１０８】
外部ＩＰアドレスＥＡ１ｘである端末Ｔ１ｘが通信回線Ｌ１ｘを経て論理端子ＬＰ１ｘで前記網ノード装置Ｎ１に接続され、外部ＩＰアドレスＥＡ２ｘである端末Ｔ２ｘが通信回線Ｌ２ｘを経て論理端子ＬＰ２ｘで前記網ノード装置Ｎ２に接続され、前記網ノード装置Ｎ１は前記論理端子ＬＰ１ｘを識別する識別情報を含む通信レコードＲ１ｘを設定しており、前記網ノード装置Ｎ２は論理端子ＬＰ２ｘを識別する識別情報を含む通信レコードＲ２ｘを設定しており、前記通信レコードＲ１ｘ及びＲ２ｘは前記網ノード装置Ｎ１及びＮ２の間に内部ＩＰパケットが転送される通信パスＰ１２ｘを定めており、
前記端末Ｔ１ｘが送信元外部ＩＰアドレスＥＡ１ｘ，宛先外部ＩＰアドレスＥＡ２ｘである外部ＩＰパケットを送出すると、前記外部ＩＰパケットは論理端子ＬＰ１ｘから前記網ノード装置Ｎ１に入力し、前記外部ＩＰパケットに含まれるＩＰアドレスと、前記通信レコードＲ１ｘに含まれるＩＰアドレスとを比較してアドレス条件を判定し、前記アドレス条件が満たされるとＩＰカプセル化され、内部ＩＰパケットとなって前記通信パスＰ１２ｘを転送され、前記網ノード装置Ｎ２において前記通信レコードＲ２ｘが参照され、逆ＩＰカプセル化されて復元した前記外部ＩＰパケットが前記端末Ｔ２ｘに到達するようになっており、前記端末Ｔ１ｘ及び端末Ｔ２ｘの間で電話番号又はホスト名を用いずにＩＰパケットを送受する通信が可能である請求項１０２乃至１０４のいずれかに記載のＩＰ網を用いた通信システム。
【請求項１０９】
前記固定端末Ｔ０及び前記通信回線Ｌ０が撤去され、代わりに、無線基地局Ｂ０が通信回線Ｌ０を経て論理端子ＬＰ０で前記網ノード装置Ｎ０に接続しており、
外部ＩＰアドレスＥＡ０を有する移動端末が前記無線基地局Ｂ０と通信して無線通信路ＲＣ０を確保した後、送信元アドレスを前記外部ＩＰアドレスＥＡ０、宛先アドレスを前記マルチキャストアドレスＭ２とする外部ＩＰパケットＰを、前記無線通信路ＲＣ０及び前記無線基地局Ｂ０経由で前記網ノード装置Ｎ０に送信できるようになっており、前記網ノード装置Ｎｋ（ｋは０以上）は前記通信レコードＲｋと前記ルータは前記経路表レコードＲｘとが前記同様に用いられて、前記外部ＩＰパケットＰが前記網ノード装置Ｎ０で内部ＩＰパケットＰに変換されて、複数の前記ルータを転送されて、網ノード装置Ｎｋ（ｋは１以上）に到達すると、前記アドレス変換指定に基づいて前記ＩＰアドレスＥＡｋを宛先アドレスとする前記外部ＩＰパケットＰｋに変換されて前記端末Ｔｋに送信される請求項１０２乃至１０４のいずれかに記載のＩＰ網を用いたＩＰ通信システム。
【請求項１１０】
前記ＩＰ網はトリー構築サーバを含み、前記トリー構築サーバは、マルチキャスト技法による内部ＩＰパケットの転送経路であるマルチキャスト木構造状通信路を決定する機能を有し、前記マルチキャスト木構造状通信路は、内部ＩＰパケットが転送される木構造状に見える通信路であり、
内部ＩＰパケットが送信される起点の通信装置は前記網ノード装置Ｎ０であり、内部ＩＰパケットが単一の内部通信回線又は２以上の内部通信回線に分岐されて転送される通信装置は前記複数のルータであり、内部ＩＰパケットが最終的に到達する通信装置は前記複数の網ノード装置Ｎｋ（ｋ＝１，２，・・・，ｎ）であり、
前記マルチキャスト木構造状通信路を特定する機能は、網ノード装置の装置制御表内に設定する通信レコードに設定される内部パケット又は外部パケットの送出先通信回線を特定する機能と、ルータ内の経路表のレコードに設定される内部パケットの送出先通信回線を特定する機能とを含み、
前記トリー構築サーバは、前記マルチキャスト木構造状通信路の構築に関わる前記複数網ノード装置の装置制御表追加情報及び前記複数のルータの経路表追加情報を形成して、前記網ノード装置又は前記ルータに送信し、
或いは受信端末が増加又は減少して、前記マルチキャスト木構造を変更するケースでは、前記トリー構築サーバは装置制御表変更情報及び経路表変更情報を前記網ノード装置又は前記ルータに送信し、前記マルチキャスト木構造を抹消するケースでは、前記トリー構築サーバは装置制御表解放情報及び経路表解放情報を前記網ノード装置又は前記ルータに送信する請求項１０２乃至１０４のいずれかに記載のＩＰ網を用いたＩＰ通信システム。
【請求項１１１】
前記固定端末Ｔ０が送信した外部ＩＰパケットＥ０に格納されたデータ、音声又は画像は暗号化されており、
前記端末Ｔ１乃至Ｔｎ（ｎは１以上の整数）は復号化鍵Ｋを保持しており、前記端末Ｔ１乃至Ｔｎを除く他の端末は復号化鍵Ｋを保持しておらず、
前記端末Ｔ１乃至Ｔｎは、前記外部ＩＰパケットＥ０を受信すると、前記復号化鍵Ｋを用いて暗号化前のデータ、音声又は画像を復元可能であり、
前記端末Ｔ１乃至Ｔｎを除く他の端末は前記外部ＩＰパケットＥ０を受信した場合でも、暗号化前のデータ、音声又は画像のいずれも復元できないようになっている請求項１０２乃至１０４のいずれかに記載のＩＰ網を用いたＩＰ通信システム。
【請求項１１２】
前記端末Ｔ１乃至Ｔｎ（ｎは１以上の整数）はパスワードＰＷを保持しており、前記端末Ｔ１乃至Ｔｎを除く他の端末はパスワードＰＷを保持しておらず、前記端末Ｔ１乃至Ｔｎは前記外部ＩＰパケットＥ０を受信すると、前記パスワードＰＷを用いて前記外部ＩＰパケットＥ０に格納されているデータ、音声又は画像を取得し、
前記端末Ｔ１乃至Ｔｎを除く他の端末は、前記外部ＩＰパケットを電気信号の形態として受信した場合でも、前記パスワードＰＷを保持していない理由により、前記外部ＩＰパケットに格納されているデータ、音声又は画像のいずれも取得できない請求項１０２乃至１０４のいずれかに記載のＩＰ網を用いたＩＰ通信システム。
【請求項１１３】
ＩＰ網は複数の網ノード装置、接続サーバ、代理接続サーバ及びドメイン名サーバを含み、前記ＩＰ網に複数の端末が接続されており、
端末Ｔ１は通信回線Ｌ１を経て論理端子ＬＰ１で網ノード装置Ｎ１に接続され、端末Ｔ２は通信回線Ｌ２を経て論理端子ＬＰ２で網ノード装置Ｎ２に接続され、
前記論理端子ＬＰ１の識別情報を含む通信レコードＲ８１が前記網ノード装置Ｎ１に設定されており、前記論理端子ＬＰ２の識別情報を含む通信レコードＲ８２が前記網ノード装置Ｎ２に設定されており、
前記端末Ｔ１は、電話番号を用いて前記端末Ｔ２に接続するために、接続要求、電話番号ＴＮ１及びＴＮ２を含み、代理接続サーバＰＳ１の外部ＩＰアドレスＥＡ８１を宛先アドレスとする外部ＩＰパケット１を送信し、前記外部ＩＰパケット１は前記論理端子ＬＰ１から前記網ノード装置Ｎ１に入力し、前記網ノード装置Ｎ１は、前記論理端子ＬＰ１の識別情報を含む通信レコードＲ８１の規定に従って、前記外部ＩＰパケット１内の外部ＩＰアドレスが満たすべきＩＰアドレス条件を調べ、前記条件を満たさない前記外部ＩＰパケット１を廃棄し、
前記条件が満たされると、前記網ノード装置Ｎ１は、前記外部ＩＰパケット１をＩＰカプセル化して前記代理接続サーバＰＳ１の内部ＩＰアドレスＩＡ８１を宛先アドレスとする第１形式の内部ＩＰパケット１１を形成して送信し、前記代理接続サーバＰＳ１は、前記内部ＩＰパケット１１を第２形式の内部ＩＰパケット１２に変換して接続サーバＳ１へ送信し、
前記接続サーバＳ１は、前記内部ＩＰパケット１２から前記電話番号ＴＮ１及びＴＮ２、前記外部ＩＰアドレスＥＡ１を取得し、前記宛先端末２の電話番号ＴＮ２をドメイン名サーバＤＳ１に提示し、前記端末Ｔ２の外部ＩＰアドレスＥＡ２、前記論理端子ＬＰ２の識別情報である内部ＩＰアドレスＩＡ２、前記端末Ｔ２の接続制御を担う接続サーバＳ２の内部ＩＰアドレスＩＡ９２を取得し、
前記接続サーバＳ１は、前記接続要求を含む初期アドレスメッセージを前記接続サーバＳ２へ送信し、前記接続サーバＳ２は、前記初期アドレスメッセージから前記電話番号ＴＮ１及びＴＮ２、前記外部ＩＰアドレスＥＡ１及びＥＡ２、前記内部ＩＰアドレスＩＡ１及びＩＡ２を取得し、前記接続サーバＳ２は、前記着信通知及び前記電話番号ＴＮ１を含む第２形式の内部ＩＰパケット２１を送信すると、前記代理接続サーバＰＳ２は、受信した前記内部ＩＰパケット２１から前記着信通知を含む第１形式の内部ＩＰパケット２２を形成して送信し、前記内部ＩＰパケット２２は、前記網ノード装置２で前記着信通知を含む外部ＩＰパケット２に変換され、前記外部ＩＰパケット２は前記通信回線Ｌ２を経て前記端末２に到達し、前記端末Ｔ２は前記着信通知及び前記電話番号ＴＮ１を取得し、前記接続サーバＳ２は接続要求確認通知を含むアドレス完了メッセージを前記接続サーバＳ１へ送信し、
前記端末Ｔ２は、応答準備開始を知らせる呼出中通知を含み、代理接続サーバＰＳ２の外部ＩＰアドレスＥＡ８２を宛先アドレスとする外部ＩＰパケット３を送信し、前記外部ＩＰパケット３は、前記網ノード装置Ｎ２で前記通信レコードＲ８２が定めるＩＰアドレス条件に従って判定され、前記呼出中通知を含む第１形式の内部ＩＰパケット３１となり、第２形式の内部ＩＰパケット３２に変換されて前記接続サーバＳ２に到達し、前記接続サーバＳ２は前記呼出中通知を含む呼経過メッセージを形成して前記接続サーバＳ１へ送信し、前記接続サーバＳ１は前記呼出中通知を含む第２形式の内部ＩＰパケット４１を送信し、前記内部ＩＰパケット４１は第１形式の内部ＩＰパケット４２に変換され、前記網ノード装置１で外部ＩＰパケット４に変換されて前記端末Ｔ１に到達し、
前記端末Ｔ２は応答を知らせる応答通知を含む外部ＩＰパケット５を送信し、前記外部ＩＰパケット５は、前記網ノード装置Ｎ２で前記通信レコードＲ８２が定めるＩＰアドレス条件に従って判定され、前記応答通知を含む第１形式の内部ＩＰパケット５１となり、第２形式の内部ＩＰパケット５２に変換されて前記接続サーバＳ２に到達し、前記接続サーバＳ２は前記応答通知を含む応答メッセージを形成して前記接続サーバＳ１へ送信し、前記接続サーバＳ１は、前記応答通知及び前記端末２の外部ＩＰアドレスＥＡ２を含む第２形式の内部ＩＰパケット６１を送信し、前記内部ＩＰパケット６１は第１形式の内部ＩＰパケット６２に変換され、前記網ノード装置１で前記応答通知を含む外部ＩＰパケット６に変換され、前記応答通知及び前記端末２の外部ＩＰアドレスＥＡ２を含む前記外部ＩＰパケット６は前記端末Ｔ１に到達し、
前記接続サーバＳ２は、前記網ノード装置Ｎ２に対して前記論理端子ＬＰ２の識別情報を含む通信レコードＲ２の設定を指示し、前記接続サーバＳ１は、前記網ノード装置Ｎ１に対して前記論理端子ＬＰ１の識別情報を含む通信レコードＲ１の設定を指示し、
前記通信レコードＲ１及びＲ２は、前記網ノード装置Ｎ１及びＮ２の間に内部ＩＰパケットが転送される通信パスＰ１２を定めており、
前記端末Ｔ１が、前記外部ＩＰアドレスＥＡ１を送信元アドレス，前記端末２の外部ＩＰアドレスＥＡ２を宛先アドレスとする外部ＩＰパケット７を送信すると、前記外部ＩＰパケット７は、前記網ノード装置Ｎ１で前記通信レコードＲ１が定めるＩＰアドレス条件に従って判定され、前記判定に合格するとＩＰカプセル化され、前記内部ＩＰアドレスＩＡ２を宛先アドレスとする内部ＩＰパケット７に変換されて前記通信パスＰ１２を転送され、前記網ノード装置Ｎ２で逆ＩＰカプセル化されて復元された前記外部ＩＰパケット７が前記端末Ｔ２に送信され、
前記端末Ｔ１が、通信切断要求を含み、前記代理接続サーバＰＳ１の外部ＩＰアドレスＥＡ８１を宛先アドレスとする外部ＩＰパケット９を送信すると、前記外部ＩＰパケット９は、前記通信切断要求を含む内部ＩＰパケット９になって前記接続サーバＳ１に到達し、前記接続サーバＳ１及びＳ２は、前記通信切断要求通知若しくは切断通知受信報告を含む解放メッセージ若しくは解放完了メッセージを送受し、前記通信レコードＲ１及びＲ２の抹消を指示し、
接続要求毎にＩＰ網内に通信パスが設定され、端末が送信した外部ＩＰパケットはＩＰカプセル化され内部ＩＰパケットとなって前記通信パスを転送され、通信終了後前記通信パスは抹消され、通信レコードのアドレス条件を満たさない外部ＩＰパケットを廃棄して安全性を確保し、電話番号を用いた端末間通信を可能としたことを特徴とするＩＰ網を用いた通信システム。
【請求項１１４】
ＩＰ網は複数の網ノード装置を含み、前記ＩＰ網に複数の端末が接続されており、端末Ｔ１は通信回線Ｌ１を経て論理端子ＬＰ１で網ノード装置Ｎ１に接続され、端末Ｔ２は通信回線Ｌ２を経て論理端子ＬＰ２で網ノード装置Ｎ２に接続され、
前記論理端子ＬＰ１の識別情報を含む通信レコードＲ８１が前記網ノード装置Ｎ１内に設定されており、前記論理端子ＬＰ２の識別情報を含む通信レコードＲ８２が前記網ノード装置Ｎ２内に設定されており、
前記端末Ｔ１は、電話番号を用いて前記端末Ｔ２に接続を要求するため、接続要求、電話番号ＴＮ１及びＴＮ２を含み、接続制御要求用の外部ＩＰアドレスＥＡ８１とする外部ＩＰパケット１を前記ＩＰ網に送信し、前記接続制御要求用の各アドレスは、前記網ノード装置Ｎ１から前記ＩＰ網に接続制御用外部ＩＰパケットを送信するためのアドレスであり、前記外部ＩＰパケット１は前記論理端子ＬＰ１から前記網ノード装置Ｎ１に入力し、前記網ノード装置Ｎ１は、前記論理端子ＬＰ１の識別情報を含む通信レコードＲ８１が定める条件に従って、前記外部ＩＰパケット１内の外部ＩＰアドレスが満たすべきＩＰアドレス条件を調べ、前記ＩＰアドレス条件を満たさない前記外部ＩＰパケット１を廃棄し、
前記ＩＰアドレス条件が満たされると、前記網ノード装置Ｎ１は、前記外部ＩＰパケット１をＩＰカプセル化してＩＰ網内部に入力し、
前記ＩＰ網は、前記内部ＩＰパケット１から前記電話番号ＴＮ１及びＴＮ２、前記外部ＩＰアドレスＥＡ１を取得し、前記ＩＰ網内部のドメイン名サーバを用いて、前記宛先端末２の電話番号ＴＮ２から前記端末Ｔ２の外部ＩＰアドレスＥＡ２及び論理端子ＬＰ２の識別情報である内部ＩＰアドレスＩＡ２を取得し、
前記ＩＰ網は、前記接続要求に基づく前記着信通知及び前記電話番号ＴＮ１を含み、前記着信通知を含む内部ＩＰパケット２を形成して送信し、前記内部ＩＰパケット２は前記網ノード装置２で前記着信通知を含む外部ＩＰパケット２に変換され、前記外部ＩＰパケット２は前記通信回線Ｌ２を経て前記端末２に到達し、前記端末Ｔ２は前記着信通知及び前記電話番号ＴＮ１を取得し、
前記端末Ｔ２は、応答準備開始を知らせる呼出中通知を含み、接続制御要求アドレスＥＡ８２をとする外部ＩＰパケット３を前記ＩＰ網に送信し、前記外部ＩＰパケット３は、前記網ノード装置Ｎ２で前記通信レコードＲ８２が定めるＩＰアドレス条件に従って判定され、前記ＩＰアドレス条件を満たすと内部ＩＰパケット３に変換されて前記ＩＰ通信網に入力し、前記ＩＰ通信網は前記呼出中通知を含む内部ＩＰパケット４を形成して送信し、前記網ノード装置１で外部ＩＰパケット４に変換されて前記端末Ｔ１に到達し、
前記端末Ｔ２は応答を知らせる応答通知及び前記端末Ｔ２のポート番号ＰＮ２を含む外部ＩＰパケット５を送信し、前記外部ＩＰパケット５は、前記網ノード装置Ｎ２で前記通信レコードＲ８２が定めるＩＰアドレス条件に従って判定され、前記ＩＰアドレス条件を満たすと内部ＩＰパケット５に変換されて前記ＩＰ通信網に入力し、前記ＩＰ通信網は、前記応答通知及び前記端末２の外部ＩＰアドレスＥＡ２及び前記端末Ｔ２のポート番号ＰＮ２を含む第２形式の内部ＩＰパケット６を形成して送信し、前記内部ＩＰパケット６は前記網ノード装置１で、前記応答通知及び前記端末Ｔ２のポート番号ＰＮ２を含む外部ＩＰパケット６に変換され、前記応答通知、前記端末２の外部ＩＰアドレスＥＡ２及び前記端末Ｔ２のポート番号ＰＮ２を含む前記外部ＩＰパケット６は前記端末Ｔ１に到達し、
前記ＩＰ通信網は、前記網ノード装置Ｎ２に対して前記論理端子ＬＰ２の識別情報を含む通信レコードＲ２の設定を指示し、前記網ノード装置Ｎ１に対して前記論理端子ＬＰ１の識別情報を含む通信レコードＲ１の設定を指示し、
前記通信レコードＲ１及びＲ２は、前記網ノード装置Ｎ１及びＮ２の間に内部ＩＰパケットが転送される通信パスＰ１２を定めており、
前記端末Ｔ１が、前記外部ＩＰアドレスＥＡ１を送信元アドレス，前記端末２の外部ＩＰアドレスＥＡ２を、前記ポート番号ＰＮ２を宛先ポート番号とする外部ＩＰパケット７を送信すると、前記外部ＩＰパケット７は、前記網ノード装置Ｎ１で前記通信レコードＲ１の管理の基にＩＰアドレス条件に従って判定され、前記判定に合格するとＩＰカプセル化され、前記内部ＩＰアドレスＩＡ２をとする内部ＩＰパケット７に変換されて前記通信パスＰ１２を転送され、前記網ノード装置Ｎ２で逆ＩＰカプセル化されて復元された前記外部ＩＰパケット７が前記端末Ｔ２に送信され、
前記端末Ｔ１が、通信切断要求を含み、前記接続制御要求用の外部ＩＰアドレスＥＡ８１とする外部ＩＰパケット９を送信すると、前記外部ＩＰパケット９は前記通信切断要求を含む内部ＩＰパケット９になって前記ＩＰ網に入力し、前記ＩＰ網前記通信レコードＲ１及びＲ２の抹消を指示し、
接続要求毎にＩＰ網内に通信パスが設定され、端末が送信した外部ＩＰパケットはＩＰカプセル化され内部ＩＰパケットとなって前記通信パスを転送され、通信終了後前記通信パスは抹消され、通信レコードのアドレス条件を満たさない外部ＩＰパケットを廃棄して安全性を確保し、電話番号を用いた端末間通信を可能としたことを特徴とするＩＰ網を用いた通信システム。
【請求項１１５】
ＩＰ網は複数の網ノード装置を含み、端末Ｔ１は通信回線Ｌ１を経て論理端子ＬＰＴ１で網ノード装置Ｎ１に接続され、端末Ｔ２は通信回線Ｌ２を経て論理端子ＬＰＴ２で網ノード装置Ｎ２に接続され、
前記網ノード装置Ｎ１は通信レコードＲ１を設定しており、前記網ノード装置Ｎ２は通信レコードＲ２を設定しており、前記網ノード装置Ｎ１及びＮ２は、前記通信回線Ｌ１又はＬ２から入力する外部ＩＰパケットが、前記通信レコードＲ１又はＲ２のアドレス入力条件を満たすとＩＰカプセル化して内部ＩＰパケットに変換して前記ＩＰ網に入力する機能を有し、前記アドレス入力条件を満たさない外部ＩＰパケットは廃棄され、
外部ＩＰパケットが通信レコードＲのアドレス入力条件を満たすとは、前記外部ＩＰパケットが入力する論理端子ＬＰを識別する識別情報及び前記外部ＩＰパケット内の宛先外部ＩＰアドレスの２組が前記通信レコードＲに含まれることであり、
前記端末Ｔ１は電話番号又はホスト名を用いて前記端末Ｔ２に接続要求するため、接続要求及び前記端末Ｔ２の電話番号又はホスト名ＴＮＴ２を含む外部ＩＰパケットを前記ＩＰ網に送信し、前記ＩＰ網は、前記電話番号又はホスト名ＴＮＴ２を前記ＩＰ網内部のドメイン名サーバＤＳに入力して、前記端末Ｔ２との通信に関わるアドレス情報を取得し、前記アドレス情報は前記宛先端末Ｔ２の外部ＩＰアドレスＥＡＴ２及び前記論理端子ＬＰＴ２の識別情報としての内部ＩＰアドレスＩＡＴ２を含み、
前記端末Ｔ２が着信可能であれば、前記ＩＰ網は着信通知を含む外部ＩＰパケットを前記端末Ｔ２に送信し、
前記端末Ｔ２は応答準備開始を知らせる呼出中通知を含む外部ＩＰパケットを前記ＩＰ網に送信し、前記ＩＰ網は前記呼出中通知を含む外部ＩＰパケットを前記端末Ｔ１に送信し、
前記端末Ｔ２は応答を知らせる応答通知を含む外部ＩＰパケットを前記ＩＰ網に送信し、前記ＩＰ網は前記応答通知及び前記外部ＩＰアドレスＥＡＴ２を含む外部ＩＰパケットを前記端末Ｔ１に送信し、
前記ＩＰ網は前記網ノード装置Ｎ１に対して通信レコードＲ１２の設定を指示し、前記網ノード装置Ｎ２に対して通信レコードＲ２１の設定を指示し、前記通信レコードＲ１２は前記外部ＩＰアドレスＥＡＴ２及び前記内部ＩＰアドレスＩＡＴ２を含み、前記通信レコードＲ１２及びＲ２１は前記網ノード装置Ｎ１及びＮ２の間に内部ＩＰパケットが転送される通信パスＰ１２を定めており、
前記端末Ｔ１が音声又はデータを含み前記端末Ｔ２の外部ＩＰアドレスＥＡＴ２を宛先アドレスとする外部ＩＰパケット１２を送信し、前記外部ＩＰパケット１２は前記網ノード装置Ｎ１に到達すると、前記通信レコードＲ１２のアドレス入力条件を満たすかが調べられ、前記アドレス入力条件を満たすとＩＰカプセル化され、前記内部ＩＰアドレスＩＡＴ２を宛先アドレスとする内部ＩＰパケット１２に変換されて前記通信パスＰ１２を転送され、前記網ノード装置Ｎ２で逆ＩＰカプセル化されて復元された前記外部ＩＰパケット１２が前記端末Ｔ２に送信され、
前記端末Ｔ１又はＴ２が通信解放通知を含む外部ＩＰパケットを前記ＩＰ網に送信し、前記ＩＰ網は前記通信レコードＲ１２及び前記通信レコードＲ２１の抹消を指示して前記通信パスＰ１２が抹消され、
ＩＰ網は、内部のドメイン名サーバを用いて、宛先端末の電話番号又はホスト名から、宛先端末との通信に関わるアドレス情報を取得してその内部に通信パスを設定して、前記通信パスを経由する端末間通信を可能としたことを特徴とするＩＰ網を用いた通信システム。
【請求項１１６】
外部ＩＰアドレスＥＡ１ｘである端末Ｔ１ｘが通信回線Ｌ１ｘを経て前記網ノード装置Ｎ１に接続され、外部ＩＰアドレスＥＡ２ｘである端末Ｔ２ｘが通信回線Ｌ２ｘを経て前記網ノード装置Ｎ２に接続され、
前記網ノード装置Ｎ１は通信レコードＲ１ｘを設定しており、前記網ノード装置Ｎ２は通信レコードＲ２ｘを設定しており、
前記端末Ｔ１ｘが送信元外部ＩＰアドレスＥＡ１ｘ，宛先外部ＩＰアドレスＥＡ２ｘである外部ＩＰパケットを送出し、前記外部ＩＰパケットは前記網ノード装置Ｎ１で前記通信レコードＲ１ｘのアドレス入力条件を満たすとＩＰカプセル化され、内部ＩＰパケットとなって前記ＩＰ網内部を転送され、前記網ノード装置Ｎ２において前記通信レコードＲ２ｘが用いられて逆ＩＰカプセル化されて復元した前記外部ＩＰパケットが前記端末Ｔ２ｘに到達するようになっており、前記端末Ｔ１ｘ及び端末Ｔ２ｘの間でＩＰパケットを送受する通信が可能である請求項１１５に記載のＩＰ網を用いた通信システム。
【請求項１１７】
前記端末間の通信フェーズにおいて、前記端末Ｔ１及びＴ２が、ポート番号Ｐ１及びＰ２を設定したＩＰパケットを送受する通信Ｐを継続しながら、前記端末Ｔ１及びＴ２は前記通信Ｐと併行して、前記ポート番号Ｐ１及びＰ２と異なるポート番号Ｑ１及びＱ２を設定したＩＰパケットを送受する通信Ｑを実施するようになっている請求項１１５に記載のＩＰ網を用いた通信システム。
【請求項１１８】
前記通信Ｐはデータを送受する通信又は音声を送受する通信であり、前記通信Ｑは静止画像、動画像、音声、動画像、電子文書を送受する通信である請求項１１７に記載のＩＰ網を用いた通信システム。
【請求項１１９】
ＩＰ網は複数の網ノード装置を含み、端末Ｔ１は通信回線Ｌ１経由で網ノード装置Ｎ１に接続され、端末Ｔ２は通信回線Ｌ２経由で網ノード装置Ｎ１に接続され、端末Ｔ３は通信回線Ｌ３経由で網ノード装置Ｎ３に接続され、端末Ｔ４は通信回線Ｌ４経由で網ノード装置Ｎ３に接続され、
外部ＩＰパケットが論理端子ＬＰから網ノード装置に入力すると、前記論理端子ＬＰを識別する識別情報及び前記外部ＩＰパケット内の宛先外部ＩＰアドレスの２組が前記網ノード装置内の通信レコードＲに含まれるかを調べるアドレス入力条件検査が行われるようになっており、
前記端末Ｔ１が電話番号又はホスト名を用いて前記端末Ｔ３に接続要求して、前記ＩＰ網は前記網ノード装置Ｎ１の装置制御表Ｈ１内に通信レコードＲ１３を設定しており、前記網ノード装置Ｎ３の装置制御表Ｈ３内に通信レコードＲ３１を設定し、前記通信レコードＲ１３は優先制御レコードＹ１３を付与され、前記通信レコードＲ１３及びＲ３１は前記網ノード装置Ｎ１及びＮ３の間に内部ＩＰパケットが転送される通信パスＰ１３を定めており、
前記端末Ｔ１及び前記端末Ｔ３は、前記通信回線Ｌ１、前記通信パスＰ１３、前記通信回線Ｌ３を経て音声又はデータを含むＩＰパケットを送受する端末間通信を行っており、
前記端末Ｔ２は電話番号又はホスト名を用いて前記端末Ｔ４に接続要求し、前記ＩＰ網は前記装置制御表Ｈ１内に通信レコードＲ２４を設定し、前記装置制御表Ｈ３内に通信レコードＲ４２を設定し、前記通信レコードＲ２４は優先制御レコードＹ２４を付与され、前記通信レコードＲ２４及びＲ４２は前記網ノード装置Ｎ１及びＮ３の間に内部ＩＰパケットが転送される通信パスＰ２４を定めており、
前記端末Ｔ２及び前記端末Ｔ４は、前記通信回線Ｌ２、前記通信パスＰ２４、前記通信回線Ｌ４を経て音声又はデータを含むＩＰパケットを送受する端末間通信を行っており、
前記端末Ｔ１から前記端末Ｔ３に向けて外部ＩＰパケット１３が送信され、前記端末Ｔ２から前記端末Ｔ４に向けて外部ＩＰパケット２４が送信され、
前記外部ＩＰパケット１３及び前記外部ＩＰパケット２４が近接した時刻に前記網ノード装置Ｎ１に到達すると、前記網ノード装置Ｎ１は前記優先制御レコードＹ１３及びＹ２４を参照して、前記外部ＩＰパケット１３又は外部ＩＰパケット２４のうち優先度が高い外部ＩＰパケットを識別し、前記外部ＩＰパケットから、前記通信レコードＲ１３又は前記通信レコードＲ２４のアドレス入力条件を満たして形成された内部ＩＰパケットを、前記優先度順に前記通信パスＰ１３又はＰ２４に送出するようになっている端末間通信で内部ＩＰパケットの発信優先制御を行うことを特徴とするＩＰ網を用いた通信システム。
【請求項１２０】
前記網ノード装置Ｎ１又はＮ３は、前記通信レコードＲ１３又はＲ３１内のメモリ保護ビットを保護有りに表示して前記通信レコードＲ１３又はＲ３１の書換えを禁止し、或いは前記通信レコードＲ１３又はＲ３１のメモリ保護ビットを保護無しに表示して前記通信レコードの書換えを許可し、装置制御表内の通信レコードの書き換え管理を確実にしている請求項１１９に記載のＩＰ網を用いた通信システム。
【請求項１２１】
前記ＩＰ網は前記通信レコードＲ１３に署名制御レコードＤ１を関連付けて設定し、前記通信レコードＲ３１に署名制御レコードＤ３を関連付けて設定しており、
外部ＩＰパケット１３が前記通信回線Ｌ１経由で前記網ノード装置Ｎ１に入力すると、前記通信レコードＲ１３及び前記署名制御レコードＤ１が用いられて前記外部ＩＰパケット１３に発信時署名が付与され、前記署名が付与された前記外部ＩＰパケット１３が内部ＩＰパケット１３となって前記通信パスＰ１３を転送され、前記網ノード装置Ｎ３において、前記通信レコードＲ３１及び前記署名制御レコードＤ３が用いられて前記内部ＩＰパケット１３内の前記外部ＩＰパケット１３に着信時署名が付与され、署名が付与された外部ＩＰパケット１３に復元するようになっている請求項１１９に記載のＩＰ網を用いた通信システム。
【請求項１２２】
前記外部ＩＰパケット１３に発信時署名又は着信時署名の一方のみを付与するようになっている請求項１２１に記載のＩＰ網を用いた通信システム。
【請求項１２３】
ＩＰ網は複数の網ノード装置を含み、端末Ｔ１は通信回線Ｌ１経由で網ノード装置Ｎ１に接続され、端末Ｔ２は通信回線Ｌ２経由で網ノード装置Ｎ２に接続され、ルータＲＴは通信回線Ｌ３経由で網ノード装置Ｎ３に接続され、端末Ｔ３は通信回線Ｃ３を経て、端末Ｔ４は通信回線Ｃ４を経てそれぞれ前記ルータＲＴに接続されており、
外部ＩＰパケットが論理端子ＬＰから網ノード装置に入力すると、前記論理端子ＬＰを識別する識別情報及び前記外部ＩＰパケット内の宛先外部ＩＰアドレスの２組が前記網ノード装置内の通信レコードＲに含まれるかを調べるアドレス入力条件検査が行われるようになっており、
前記端末Ｔ１は電話番号又はホスト名を用いて前記端末Ｔ３に接続要求し、前記ＩＰ網は前記網ノード装置Ｎ１の装置制御表Ｈ１内に通信レコードＲ１３を設定し、前記網ノード装置Ｎ３の装置制御表Ｈ３内に通信レコードＲ３１を設定し、前記通信レコードＲ３１は優先制御レコードＹ３１を付与され、前記通信レコードＲ１３及びＲ３１は前記網ノード装置Ｎ１及びＮ３の間に内部ＩＰパケットが転送される通信パスＰ１３を定めており、
前記端末Ｔ１及び前記端末Ｔ３は、前記通信回線Ｌ１、前記通信パスＰ１３、前記通信回線Ｌ３、前記ルータＲＴ及び前記通信回線Ｃ３を経て音声又はデータを含むＩＰパケットを送受する端末間通信を行っており、
前記端末Ｔ２は電話番号又はホスト名を用いて前記端末Ｔ４に接続要求し、前記ＩＰ網は前記網ノード装置Ｎ２の装置制御表Ｈ２内に通信レコードＲ２４を設定し、前記装置制御表Ｈ３内に通信レコードＲ４２を設定し、前記通信レコードＲ４２は優先制御レコードＹ４２を付与され、前記通信レコードＲ２４及びＲ４２は前記網ノード装置Ｎ２及びＮ３の間に内部ＩＰパケットが転送される通信パスＰ２４を定めており、
前記端末Ｔ２及び前記端末Ｔ４は、前記通信回線Ｌ２、前記通信パスＰ２４、前記通信回線Ｌ３、前記ルータＲＴ及び前記通信回線Ｃ４を経て音声又はデータを含むＩＰパケットを送受する端末間通信を行っており、
前記端末Ｔ１から前記端末Ｔ３に向けて送信した外部ＩＰパケットが内部ＩＰパケット１３となって前記通信パス１３を転送されており、前記端末Ｔ２から前記端末Ｔ４に向けて送信した外部ＩＰパケットが内部ＩＰパケット２４となって前記通信パス２４を転送されており、
前記内部ＩＰパケット１３及び内部ＩＰパケット２４が近接した時刻に前記網ノード装置Ｎ３に到達すると、前記網ノード装置Ｎ３は前記優先制御レコードＹ３１及びＹ４２を参照して、前記内部ＩＰパケット１３又は前記内部ＩＰパケット２４のうち優先度が高い内部ＩＰパケットを識別し、前記優先度が高い順番に、通信レコードＲ３１又は通信レコードＲ４２を用いて内部ＩＰパケットから外部ＩＰパケットを復元し、前記順番により前記外部ＩＰパケットを前記通信回線Ｌ３へ送出するようになっており、端末間通信で内部ＩＰパケットの着信優先制御を行うことを特徴とするＩＰ網を用いた通信システム。
【請求項１２４】
ＩＰ網は内部網Ａ及び内部網Ｂを含み、複数の網ノード装置を含み、通信装置Ｕ１が通信回線Ｌ１経由で網ノード装置Ｎ１に接続され、通信装置Ｕ２が通信回線Ｌ２経由で網ノード装置Ｎ２に接続され、前記通信装置Ｕ１及びＵ２は固定端末又は無線基地局であり、
外部ＩＰパケットが論理端子ＬＰから網ノード装置に入力すると、前記論理端子ＬＰを識別する識別情報及び前記外部ＩＰパケット内の宛先外部ＩＰアドレスの２組が前記網ノード装置内の通信レコードＲに含まれるかを調べるアドレス入力条件検査が行われるようになっており、
網ノード装置Ｎ１は通信レコードＲ１Ａ及びＲ１Ｂを含み、前記通信レコードＲ１Ａはポート制御レコードＰ１Ａを付与され、前記通信レコードＲ１Ｂはポート制御レコードＰ１Ｂを付与され、
網ノード装置Ｎ２は通信レコードＲ２Ａ及びＲ２Ｂを含み、前記通信レコードＲ１Ａ及びＲ２Ａは前記網ノード装置Ｎ１及びＮ２の間に内部ＩＰパケットが転送される通信パスＰ１２Ａを定めており、前記通信パスＰ１２Ａは前記内部網Ａに含まれ、
前記通信レコードＲ１Ｂ及びＲ２Ｂは前記網ノード装置Ｎ１及びＮ２の間に内部ＩＰパケットが転送される通信パスＰ１２Ｂを定めており、前記通信パスＰ１２Ｂは前記内部網Ｂに含まれ、
前記通信装置Ｕ１から、ポート番号Ｐ１ａを送信元ポート番号、ポート番号Ｐ２ａを宛先ポート番号とする外部ＩＰパケットＡが送出され、前記外部ＩＰパケットＡは前記通信回線Ｌ１を転送されて前記網ノード装置Ｎ１に入力し、前記外部ＩＰパケットＡは前記通信レコードＲ１Ａ又はＲ１Ｂのアドレス入力条件を満たすかを調べられ、
前記通信レコードＲ１Ａのアドレス入力条件を満たすと、前記外部ＩＰパケットＡ内部のポート番号Ｐ１ａ及びＰ２ａが前記ポート制御レコードＰ１Ａの定めるポート条件を満たすかを調べられ、
前記ポート条件が満たされると、前記外部ＩＰパケットＡはＩＰカプセル化されて内部ＩＰパケットＡとなり、
前記内部ＩＰパケットＡは前記内部網Ａ内を経由する前記通信パスＰ１２Ａを転送されて前記網ノード装置Ｎ２に到達し、前記内部ＩＰパケットＡは、前記網ノード装置Ｎ２において、前記通信レコードＲ２Ａが用いられて前記外部ＩＰパケットＡに復元され、復元された前記外部ＩＰパケットＡが通信回線Ｌ２経由で前記通信装置Ｕ２に送信され、
前記通信装置Ｕ１からポート番号Ｐ１ｂを送信元ポート番号、ポート番号Ｐ２ｂを宛先ポート番号とする外部ＩＰパケットＢが送出され、
前記外部ＩＰパケットＢは前記網ノード装置Ｎ１に入力し、前記外部ＩＰパケットＢは前記通信レコードＲ１Ａ又はＲ１Ｂのアドレス入力条件を満たすかを調べられ、
前記通信レコードＲ１Ｂのアドレス入力条件を満たすと、前記外部ＩＰパケットＢ内部のポート番号Ｐ１ｂ及びＰ２ｂが前記ポート制御レコードＰ１Ｂの定めるポート条件を満たすかを調べられ、
前記ポート条件が満たされると、前記外部ＩＰパケットＢはＩＰカプセル化されて内部ＩＰパケットＢとなり、
前記内部ＩＰパケットＢは前記内部網Ｂ内を経由する前記通信パスＰ１２Ｂを転送されて前記網ノード装置Ｎ２に到達し、前記内部ＩＰパケットＢは、前記網ノード装置Ｎ２において、前記通信レコードＲ２Ｂが用いられて前記外部ＩＰパケットＢに復元され、復元された前記外部ＩＰパケットＢが通信回線Ｌ２経由で前記通信装置Ｕ２に送信され、
外部ＩＰパケットは、網ノード装置に入力すると、通信レコードが定めるアドレス入力条件及びポート制御レコードが定めるポート条件を満たすとＩＰカプセル化されて内部ＩＰパケットとなり、前記外部ＩＰパケット内のポート番号に応じて異なる内部ＩＰ網に転送されることを特徴とするＩＰ網を用いた通信システム。
【請求項１２５】
前記内部網Ａは内部ＩＰパケット転送遅延時間が少ない電話音声通信向きの内部網であり、前記内部網Ｂは遅延時間が大きいが通信コスト抑止を重視している大量データ転送向き内部網である請求項１２４に記載のＩＰ網を用いた通信システム。
【請求項１２６】
外部ＩＰアドレスＥＡ１ｘである端末Ｔ１ｘが通信回線Ｌ１ｘを経て前記網ノード装置Ｎ１に接続され、外部ＩＰアドレスＥＡ２ｘである端末Ｔ２ｘが通信回線Ｌ２ｘを経て前記網ノード装置Ｎ２に接続され、
前記網ノード装置Ｎ１は通信レコードＲ１ｘを設定しており、前記網ノード装置Ｎ２は通信レコードＲ２ｘを設定しており、
前記端末Ｔ１ｘが送信元外部ＩＰアドレスＥＡ１ｘ，宛先外部ＩＰアドレスＥＡ２ｘである外部ＩＰパケットを送出すると、前記外部ＩＰパケットは前記網ノード装置Ｎ１で前記通信レコードＲ１ｘのアドレス入力条件に従ってＩＰカプセル化され、内部ＩＰパケットとなって前記ＩＰ網内部を転送され、前記網ノード装置Ｎ２において前記通信レコードＲ２ｘが用いられて逆ＩＰカプセル化されて復元した前記外部ＩＰパケットが前記端末Ｔ２ｘに到達するようになっており、前記端末Ｔ１ｘ及び端末Ｔ２ｘの間でＩＰパケットを送受する通信が可能である請求項１２４に記載のＩＰ網を用いた通信システム。
【請求項１２７】
前記端末間の通信フェーズにおいて、前記端末Ｔ１及びＴ２が、ポート番号Ｐ１及びＰ２を設定したＩＰパケットを送受する通信Ｐを継続しながら、前記端末Ｔ１及びＴ２は前記通信Ｐと併行して、前記ポート番号Ｐ１及びＰ２と異なるポート番号Ｑ１及びＱ２を設定したＩＰパケットを送受する通信Ｑを実施するようになっている請求項１２４に記載のＩＰ網を用いた通信システム。
【請求項１２８】
ＩＰ網は複数の網ノード装置を含み、無線基地局Ｂ１は通信回線Ｌ１及び論理端子ＬＰＢ１を経て網ノード装置Ｎ１に接続され、無線基地局Ｂ２は通信回線Ｌ２及び論理端子ＬＰＢ２を経て網ノード装置Ｎ２に接続され、端末Ｍ１及びＭ２は無線通信路ＲＣ１又はＲＣ２を経て無線基地局Ｂ１又はＢ２に接続され、
前記網ノード装置Ｎ１は装置制御表Ｈ１を含み、前記網ノード装置Ｎ２は装置制御表Ｈ２を含み、前記装置制御表Ｈ１及びＨ２はそれぞれの内部に複数の通信レコードを設定又は消去可能であり、
外部ＩＰパケットが論理端子ＬＰから網ノード装置に入力すると、前記論理端子ＬＰを識別する識別情報及び前記外部ＩＰパケット内の宛先外部ＩＰアドレスの２組が前記網ノード装置内の装置制御表内の通信レコードＲに含まれるかを調べるアドレス入力条件検査が行われ、前記外部ＩＰパケットが内部パケットに変換されるようになっており、
前記端末Ｍ１は電話番号又はホスト名を用いて前記端末Ｍ２に接続を要求するため、接続要求及び前記宛先端末Ｍ２の電話番号又はホスト名ＴＮＭ２を含む外部ＩＰパケットを前記無線基地局Ｂ１経由で前記ＩＰ網に送信し、前記ＩＰ網は前記接続要求に基づく着信通知を含む外部ＩＰパケットを前記端末Ｍ２に送信し、
前記端末Ｍ２が呼出中通知を含む外部ＩＰパケットを前記ＩＰ網に送信すると、前記ＩＰ網は受信した前記呼出中通知を含む外部ＩＰパケットを、前記網ノード装置Ｎ１から前記端末Ｍ１に向けて送信し、
前記端末Ｍ２は応答通知を含む外部ＩＰパケットを前記ＩＰ網に送信し、前記ＩＰ網は受信した前記応答通知を含む外部ＩＰパケットを前記端末Ｍ１に送信し、
前記ＩＰ網は前記論理端子ＬＰＴ２を識別する情報を含む通信レコードＲ１２を前記装置制御表Ｈ１内に設定し、前記論理端子ＬＰＢ1を識別する情報を含む通信レコードＲ２１を前記装置制御表Ｈ２内に設定し、前記通信レコードＲ１２及びＲ２１により前記論理端子ＬＰＢ１とＬＰＢ２の間の通信パスＰ１２が設定され、前記ＩＰ網が前記通信レコードＲ１２を前記設定するとき、前記通信レコードＲ１２にプロトコル制御レコードＰＲ１を関連付けて設定しており、
前記端末Ｍ１が音声又はデータを含む外部ＩＰパケットＧＰ１を前記無線基地局Ｂ１経由で前記ＩＰ網に送信し、
前記外部ＩＰパケットＧＰ１は前記網ノード装置Ｎ１で前記通信レコードＲ１２のアドレス入力条件を満たすかを調べられ、
前記外部ＩＰパケットＧＰ１内のプロトコル種別と前記プロトコル制御レコードＰＲ１内の発信許容プロトコル種別とが比較され、
比較の結果として選択された前記外部ＩＰパケットＧＰ１がカプセル化されて内部パケットＮＰ１となり、前記内部パケットＮＰ１は前記通信パスＰ１２を転送され、前記網ノード装置Ｎ２で前記通信レコードＲ２１が用いられて前記外部ＩＰパケットＧＰ１に復元され、復元された前記外部ＩＰパケットＧＰ１は前記通信回線Ｌ２、前記無線基地局Ｂ２及び前記無線通信路ＲＣ２を経て前記端末Ｍ２に到達し、
前記端末Ｍ１又はＭ２は通信解放通知を含む外部ＩＰパケットを前記ＩＰ網に送信し、前記ＩＰ網は、前記通信レコードＲ１２及びＲ２１を消去し、前記通信パスＰ１２が抹消され、
前記ＩＰ網は前記端末からの通信接続の要求を基に網ノード装置内に通信レコードおよびプロトコル制御レコードを設定して、前記ＩＰ網内に通信パスを設定し、前記端末からの通信解放通知を基に前記通信パスを抹消し、通信レコードによるアドレス条件検査により通信の安全性を高め、選択されたプロトコルを有する外部パケットを内部パケットに変換する発信プロトコル制御を行って端末間通信を行い得るＩＰ網を用いた通信システム。
【請求項１２９】
ＩＰ網は複数の網ノード装置を含み、無線基地局Ｂ１は通信回線Ｌ１及び論理端子ＬＰＢ１を経て網ノード装置Ｎ１に接続され、無線基地局Ｂ２は通信回線Ｌ２及び論理端子ＬＰＢ２を経て網ノード装置Ｎ２に接続され、端末Ｍ１及びＭ２は無線通信路ＲＣ１又はＲＣ２を経て無線基地局Ｂ１又はＢ２に接続され、
前記網ノード装置Ｎ１は装置制御表Ｈ１を含み、前記網ノード装置Ｎ２は装置制御表Ｈ２を含み、前記装置制御表Ｈ１及びＨ２はそれぞれの内部に複数の通信レコードを設定又は消去可能であり、
外部ＩＰパケットが論理端子ＬＰから網ノード装置に入力すると、前記論理端子ＬＰを識別する識別情報及び前記外部ＩＰパケット内の宛先外部ＩＰアドレスの２組が前記網ノード装置内の通信レコードＲに含まれるかを調べるアドレス入力条件検査が行われるようになっており、
前記端末Ｍ１は電話番号又はホスト名を用いて前記端末Ｍ２に接続を要求するため、接続要求及び前記宛先端末Ｍ２の電話番号又はホスト名ＴＮＭ２を含む外部ＩＰパケットを前記無線基地局Ｂ１経由で前記ＩＰ網に送信し、前記ＩＰ網は、前記電話番号又はホスト名ＴＮＴ２を前記ＩＰ網内部のドメイン名サーバＤＳに入力して、前記端末Ｔ２との通信に関わるアドレス情報を取得し、前記ＩＰ網は前記接続要求に基づく着信通知を含む外部ＩＰパケットを前記端末Ｍ２に送信し、
前記端末Ｍ２が呼出中通知を含む外部ＩＰパケットを前記ＩＰ網に送信すると、前記ＩＰ網は受信した前記呼出中通知を含む外部ＩＰパケットを前記網ノード装置Ｎ１から前記端末Ｍ１に向けて送信し、
前記端末Ｍ２は応答通知を含む外部ＩＰパケットを前記ＩＰ網に送信し、前記ＩＰ網は受信した前記応答通知を含む外部ＩＰパケットを前記端末Ｍ１に送信し、
前記ＩＰ網は前記論理端子ＬＰＴ２を識別する情報を含む通信レコードＲ１２を前記装置制御表Ｈ１内に設定し、前記論理端子ＬＰＢ1を識別する情報を含む通信レコードＲ２１を前記装置制御表Ｈ２内に設定し、前記通信レコードＲ１２及びＲ２１により前記論理端子ＬＰＢ１と前記論理端子ＬＰＢ２との間の通信パスＰ１２が設定され、前記ＩＰ網が前記通信レコードＲ１２を前記設定するとき、前記通信レコードＲ１２にポート制御レコードＰＴ１を関連付けて設定しており、
前記端末Ｍ１が音声又はデータを含む外部ＩＰパケットＧＰ１を前記無線基地局Ｂ１経由で前記網ノード装置Ｎ１に送信し、
前記外部ＩＰパケットＧＰ１は、前記網ノード装置Ｎ１で前記通信レコードＲ１２のアドレス入力条件を満たすかを調べられ、
前記外部ＩＰパケットＧＰ１内の宛先ポート番号と前記ポート制御レコードＰＴ１内の発信許容宛先ポート番号とが比較され，
比較の結果として選択された前記外部ＩＰパケットＧＰ１がカプセル化されて内部パケットＮＰ１となり、前記内部パケットＮＰ１は前記通信パスＰ１２を転送され、前記網ノード装置Ｎ２で前記通信レコードＲ２１が用いられて前記外部ＩＰパケットＧＰ１に復元され、復元された前記外部ＩＰパケットＧＰ１は前記通信回線Ｌ２、前記無線基地局Ｂ２及び前記無線通信路ＲＣ２を経て前記端末Ｍ２に到達し、
前記端末Ｍ１又はＭ２は通信解放通知を含む前記外部ＩＰパケットを前記ＩＰ網に送信し、前記ＩＰ網は、前記通信レコードＲ１２及びＲ２１を消去し、前記通信パスＰ１２が抹消され、
通信レコードによるアドレス条件検査により通信の安全性を高め、選択された宛先ポート番号を有する外部パケットを内部パケットに変換する宛先ポート番号制御を行って端末間通信を行い得るＩＰ網を用いた通信システム。
【請求項１３０】
前記無線基地局Ｂ２が撤去されており、代わりに端末Ｔ２が通信回線Ｌ２及び論理端子ＬＰＢ２を経て網ノード装置Ｎ２に接続され、
前記端末Ｍ１及び前記端末Ｍ２間の端末間通信に代わり、前記端末Ｍ１及び前記端末Ｔ２間の端末間通信が行われ、
前記ＩＰ網が前記通信レコードＲ１２及びＲ２１を設定するとき、前記ポート制御レコードＰＴ１を設定せず、前記通信レコードＲ２１にポート制御レコードＰＴ２を関連付けて設定しており、
前記端末Ｍ１から送信された前記音声又はデータを含む外部ＩＰパケットＧＰ１が前記網ノード装置Ｎ１に入力し、少なくとも前記通信レコードＲ１２が用いられて内部パケットＮＰ１となり、前記通信パスＰ１２を転送され、前記網ノード装置Ｎ２で、前記内部パケットＮＰ１内の前記外部ＩＰパケットＧＰ１内の宛先ポート番号と前記ポート制御レコードＰＴ２内の着信許容宛先ポート番号とが比較され、比較の結果として選択された前記内部ＩＰパケットＮＰ１が逆カプセル化されて外部パケットＧＰ１が復元されて前記端末Ｔ２に転送される請求項１２９に記載のＩＰ網を用いた通信システム。
【請求項１３１】
前記外部ＩＰパケットＧＰ１内の宛先ポート番号と前記ポート制御レコードＰＴ１に含まれる発信許容宛先ポート番号とを比較し、内部ＩＰパケットＮＰ１を形成する機能を、前記網ノードＮ１内に設置するポートフィルタ機能回路又はポートフィルタ機能プログラムモジュールにより実施するようになっていることを特徴とする請求項１２９に記載のＩＰ網を用いた通信システム。
【請求項１３２】
前記内部ＩＰパケットＮＰ１に含まれる前記外部ＩＰパケットＧＰ１内の宛先ポート番号と、前記ポート制御レコードＰＴ２に含まれる着信許容宛先ポート番号とを比較し、内部ＩＰパケットＮＰ１から前記外部ＩＰパケットＧＰ１を復元する機能を、前記網ノードＮ２内に設置するポートフィルタ機能回路又はポートフィルタ機能プログラムモジュールにより実施するようになっていることを特徴とする請求項１３０に記載のＩＰ網を用いた通信システム。
【請求項１３３】
前記ＩＰ網は更にユーザサービスサーバを含み、ユーザＹは移動端末Ｙの登録を申込み、前記申込の受付を、前記ユーザサービスサーバを用いてユーザ識別情報Ｙ、端末認証情報Ｙ、料金支払方法Ｙで行い、前記端末ＹのＩＰアドレスＹ及び電話番号又はホスト名Ｙを定め、前記ユーザサービスサーバが前記端末Ｙの電話番号又はホスト名Ｙ、前記ＩＰアドレスＹ及び前記端末認証情報Ｙの組を前記ドメイン名サーバＤＳに登録するようになっている請求項１２９に記載のＩＰ網を用いた通信システム。
【請求項１３４】
移動端末Ｙは、前記移動端末Ｙの電話番号又はホスト名Ｙ及び前記端末Ｙの端末認証情報Ｙを含む位置登録要求情報Ｙを前記無線基地局Ｂｘを経由して前記ＩＰ網に送信し、前記無線基地局Ｂｘは前記無線基地局Ｂ１又はＢ２のいずれかであり、前記位置登録要求情報Ｙは前記ＩＰ網内部の前記ドメイン名サーバＤＳに到達し、前記ＩＰ網は、前記ドメイン名サーバＤＳの内部で既に保持している前記端末認証情報Ｙを用いて位置登録要求情報Ｙの正当性を調べ、
前記正当性に合格すると、前記ＩＰ網は前記電話番号又はホスト名Ｙに対応する前記無線基地局Ｂｘの位置情報を前記ドメイン名サーバＤＳの内部に追加し、前記位置情報は前記無線基地局Ｂｘが通信回線で接続する網ノード装置の論理端子ＬＰｘ情報を含み、前記位置変更登録要求Ｙへの合否を前記移動端末Ｙに通知する請求項１２９に記載のＩＰ網を用いた通信システム。
【請求項１３５】
前記宛先端末Ｔ２はＷＷＷサーバ又は電子メールサーバであり、前記ポート制御レコードＰＴ２内の着信許容宛先ポート番号が、ＷＷＷ機能を指定するポート番号又は電子メール機能を規定するポート番号であり、ＷＷＷサーバ又は電子メールサーバに向けて送出された外部ＩＰパケットＧＰ１を含む内部ＩＰパケットＮＰ１を前記網ノード装置Ｎ２で通過又は廃棄するようになっている請求項１３０に記載のＩＰ網を用いた通信システム。
【請求項１３６】
ＩＰ網は複数の網ノード装置を含み、無線基地局Ｂ１は通信回線Ｌ１を経て論理端子ＬＰＢ１で網ノード装置Ｎ１に接続され、無線基地局Ｂ２は通信回線Ｌ２を経て論理端子ＬＰＢ２で網ノード装置Ｎ２に接続され、
端末Ｍ１は無線通信路ＲＣ１経由で無線基地局Ｂ１と制御信号又はデータを送受可能であり、端末Ｍ２は無線通信路ＲＣ２経由で無線基地局Ｂ２と制御信号又はデータを送受可能であり、
外部ＩＰパケットが論理端子ＬＰから網ノード装置に入力すると、前記論理端子ＬＰを識別する識別情報及び前記外部ＩＰパケット内の宛先外部ＩＰアドレスの２組が前記網ノード装置内の通信レコードＲに含まれるかを調べるアドレス入力条件検査が行われるようになっており、
前記網ノード装置Ｎ１は通信レコードＲ１を設定しており、前記網ノード装置Ｎ２は通信レコードＲ２を設定しており、
前記端末Ｍ１は電話番号又はホスト名を用いて前記端末Ｍ２に接続要求するため前記無線基地局Ｂ１と通信し、接続要求及び前記移動端末Ｍ２の電話番号又はホスト名ＴＮＭ２を前記無線通信路ＲＣ１経由で前記無線基地局Ｂ１へ送信し、前記無線基地局Ｂ１は前記接続要求及び前記電話番号又はホスト名ＴＮＭ２を含む外部ＩＰパケットを前記ＩＰ網に送信し、
前記外部ＩＰパケットは前記通信通信レコードＲ１のアドレス入力条件を満たすと内部ＩＰパケットに変換され、
前記ＩＰ網は、前記電話番号又はホスト名ＴＮＭ２を前記ＩＰ網内部のドメイン名サーバＤＳに入力して前記宛先端末Ｍ２との通信に関わるアドレス情報を取得し、前記アドレス情報は、前記無線基地局Ｂ２の外部ＩＰアドレスＥＡＢ２及び前記論理端子ＬＰＢ２の識別情報としての内部ＩＰアドレスＩＡＢ２を含み、
前記端末Ｍ２が着信可能であれば、前記ＩＰ網は着信通知を含む外部ＩＰパケットを前記無線基地局Ｂ２に送信し、前記無線基地局Ｂ２は前記着信通知を前記端末Ｍ２に送信し、
前記端末Ｍ２は応答準備開始を知らせる呼出中通知を前記無線基地局Ｂ２に送信し、前記無線基地局Ｂ２は前記呼出中通知を含む外部ＩＰパケットを前記ＩＰ網に送信し、前記ＩＰ網は前記呼出中通知を含む外部ＩＰパケットを前記無線基地局Ｂ１に送信し、前記無線基地局Ｂ１は前記呼出中通知を前記端末Ｍ１に送信し、
前記端末Ｍ２は応答を知らせる応答通知を前記無線基地局Ｂ２に送信し、前記無線基地局Ｂ２は前記応答通知を含む外部ＩＰパケットを前記ＩＰ網に送信し、前記ＩＰ網は前記応答通知及び前記外部ＩＰアドレスＥＡＢ２を含む外部ＩＰパケットを前記無線基地局Ｂ１に送信し、前記無線基地局Ｂ１は前記応答通知を端末Ｍ１に送信し、
前記ＩＰ網は前記網ノード装置Ｎ１に対して通信レコードＲ１２の設定を指示し、前記網ノード装置Ｎ２に対して通信レコードＲ２１の設定を指示し、前記通信レコードＲ１２及びＲ２１は前記網ノード装置Ｎ１及びＮ２の間に内部ＩＰパケットが転送される通信パスＰ１２を定めており、
前記端末Ｍ１が音声又はデータを前記無線基地局Ｂ１に送信し、前記無線基地局Ｂ１が前記音声又はデータを含み、前記外部ＩＰアドレスＥＡＢ２を宛先アドレスとする外部ＩＰパケット１２を送信すると、前記外部ＩＰパケット１２は前記網ノード装置Ｎ１に到達し、前記通信レコードＲ１２のアドレス入力条件を調べられ、前記アドレス入力条件を満たすとＩＰカプセル化され、前記内部ＩＰアドレスＩＡＢ２を宛先アドレスとする内部ＩＰパケット１２に変換されて前記通信パスＰ１２を転送され、前記網ノード装置Ｎ２で逆ＩＰカプセル化されて復元された前記外部ＩＰパケット１２が前記無線基地局Ｂ２に送信され、前記無線基地局Ｂ２は、無線通信路ＲＣ２経由で前記音声又はデータを前記端末Ｍ２に送信し、
前記端末Ｍ１が通信解放通知を前記無線基地局Ｂ１に送信し、前記無線基地局Ｂ１は前記通信解放通知を含む外部ＩＰパケットを前記ＩＰ網に送信し、前記ＩＰ網は前記通信レコードＲ１２及び前記通信レコードＲ２１の抹消を指示して前記通信パスＰ１２が抹消され、
ＩＰ網は、内部のドメイン名サーバを用いて、宛先端末の電話番号又はホスト名から、宛先端末との通信に関わるアドレス情報を取得して通信パスを設定し、通信レコードによるアドレス入力条件検査により通信安全性を高め、端末間通信を可能としたことを特徴とするＩＰ網を用いた通信システム。
【請求項１３７】
ＩＰ網は複数の網ノード装置を含み、端末Ｍ１は無線通信路ＲＣ１を経て無線基地局Ｂ１に接続され、前記無線基地局Ｂ１は通信回線Ｌ１を経て論理端子ＬＰＢ１で網ノード装置Ｎ１に接続され、端末Ｍ２は無線通信路ＲＣ２を経て無線基地局Ｂ２に接続され、前記無線基地局Ｂ２は通信回線Ｌ２を経て論理端子ＬＰＢ２で網ノード装置Ｎ２に接続され、前記網ノード装置Ｎ１及びＮ２は前記ＩＰ網内部の通信回線で接続され、前記網ノード装置Ｎ１は装置制御表Ｈ１を含み、前記網ノード装置Ｎ２は装置制御表Ｈ２を含み、装置制御表Ｈ１及びＨ２はそれぞれの内部に複数のレコードを設定又は消去可能であり、
外部ＩＰパケットが論理端子ＬＰから網ノード装置に入力すると、前記論理端子ＬＰを識別する識別情報及び前記外部ＩＰパケット内の宛先外部ＩＰアドレスの２組が前記網ノード装置内の通信レコードＲに含まれるかを調べるアドレス入力条件検査が行われるようになっており、
前記端末Ｍ１は電話番号又はホスト名を用いて前記端末Ｍ２に接続を要求するため、接続要求及び前記宛先端末Ｍ２の電話番号又はホスト名ＴＮ２を含む外部ＩＰパケットを前記無線基地局Ｂ１経由で前記ＩＰ網に送信し、前記ＩＰ網は、前記電話番号又はホスト名ＴＮ２を前記ＩＰ網内部のドメイン名サーバＤＳに入力して、前記宛先端末Ｍ２との通信に関わるアドレス情報を取得し、前記アドレス情報は前記宛先端末Ｍ２の外部ＩＰアドレスＥＡＭ２及び前記論理端子ＬＰＢ２の識別情報としての内部ＩＰアドレスＩＡＢ２を含み、
前記網ノード装置Ｎ２は前記接続要求に基づく着信通知を含む外部ＩＰパケットを前記端末Ｍ２に送信し、
前記端末Ｍ２は応答準備開始を知らせる呼出中通知を含む外部ＩＰパケットを前記ＩＰ網に送信し、前記ＩＰ網は前記呼出中通知を含む外部ＩＰパケットを前記端末Ｍ１に送信し、
前記端末Ｍ２は応答を知らせる応答通知を含む外部ＩＰパケットを前記ＩＰ網に送信し、前記ＩＰ網は前記応答通知及び前記外部ＩＰアドレスＥＡＭ２を含む外部ＩＰパケットを前記端末Ｍ１に送信し、
前記網ノード装置Ｎ１は前記論理端子ＬＰＢ２を識別する情報を含むレコードＲ１２を前記装置制御表Ｈ１に設定し、前記網ノード装置Ｎ２は、前記論理端子ＬＰＢ1を識別する情報を含むレコードＲ２１を前記装置制御表Ｈ２に設定し、前記レコードＲ１２及びＲ２１により前記論理端子ＬＰＢ１及びＬＰＢ２の間の通信パスＰ１２が設定され、
前記端末Ｍ１は音声又はデータを含み前記端末Ｍ２の外部ＩＰアドレスＥＡＭ２を宛先アドレスとする外部ＩＰパケットＧＰ１を送信すると、前記外部ＩＰパケットＧＰ１は、前記無線通信路ＲＣ１、無線基地局Ｂ１、前記通信回線Ｌ１を経て前記網ノード装置Ｎ１に入力し、前記網ノード装置Ｎ１は、前記外部ＩＰパケットＧＰ１が、前記レコードＲ１２が規定するアドレス入力条件を満たすかを調べ、
前記アドレス入力条件が満たされると、前記外部ＩＰパケットＧＰ１を含み、前記内部ＩＰアドレスＩＡＢ２を宛先アドレスとする内部パケットＮＰ１を形成し、
前記内部パケットＮＰ１を前記通信パスＰ１２を経て前記網ノード装置Ｎ２に送信し、前記網ノード装置Ｎ２は、前記レコードＲ２１を用いて前記内部パケットＮＰ１から前記外部ＩＰパケットＧＰ１を復元し、復元された前記外部ＩＰパケットＧＰ１は前記論理端子ＬＰＢ２を経て前記通信回線Ｌ２に送出され、前記外部ＩＰパケットＧＰ１は前記無線基地局Ｂ２、前記無線通信路ＲＣ２を経て前記端末Ｍ２に到達し、
前記端末Ｍ１又はＭ２が通信解放通知を含む外部ＩＰパケットをＩＰ網に送信すると、前記ＩＰ網は前記レコードＲ１２及びＲ２１を消去し、前記通信パスＰ１２は抹消され、
ＩＰ網は、内部のドメイン名サーバを用いて、宛先端末の電話番号又はホスト名から、宛先端末との通信に関わるアドレス情報を取得して通信パスを設定し、通信レコードによるアドレス入力条件検査により通信安全性を高め、端末間通信を可能としたことを特徴とするＩＰ網を用いた通信システム。
【請求項１３８】
ＩＰ網は複数の網ノード装置を含み、前記無線基地局Ｂ１は通信回線Ｌ１を経て論理端子ＬＰＢ１で網ノード装置Ｎ１に接続され、前記無線基地局Ｂ２は通信回線Ｌ２を経て論理端子ＬＰＢ２で網ノード装置Ｎ２に接続され、端末Ｍ１は無線通信路ＲＣ１を経て無線基地局Ｂ１に接続され、端末Ｍ２は無線通信路ＲＣ２を経て無線基地局Ｂ２に接続され、
前記網ノード装置Ｎ１及びＮ２は前記ＩＰ網内部の通信回線で接続され、前記網ノード装置Ｎ１は装置制御表Ｈ１を含み、前記網ノード装置Ｎ２は装置制御表Ｈ２を含み、装置制御表Ｈ１及びＨ２はそれぞれの内部に複数の簡易カプセル化レコードを設定又は消去可能であり、前記アドレス入力条件を満たさない外部ＩＰパケットは廃棄され、
外部ＩＰパケットが論理端子ＬＰから網ノード装置に入力すると、前記論理端子ＬＰを識別する識別情報及び前記外部ＩＰパケット内の宛先外部ＩＰアドレスの２組が前記網ノード装置内の通信レコードＲに含まれるかを調べるアドレス入力条件検査が行われるようになっており、
前記端末Ｍ１は電話番号又はホスト名を用いて前記端末Ｍ２に接続を要求するため、接続要求及び前記宛先端末Ｍ２の電話番号又はホスト名ＴＮ２を前記無線基地局Ｂ１に送信し、前記無線基地局Ｂ１は前記接続要求を含む外部ＩＰパケットを前記ＩＰ網に送信し、前記ＩＰ網は、前記電話番号又はホスト名ＴＮ２を前記ＩＰ網内部のドメイン名サーバＤＳに入力して前記宛先端末Ｍ２との通信に関わるアドレス情報を取得し、前記アドレス情報は、前記無線基地局Ｂ２の外部ＩＰアドレスＥＡＢ２及び前記論理端子ＬＰＢ２の識別情報としての簡易ヘッダに設定する内部アドレスＩＡＢ２ｘを含み、
前記網ノード装置Ｎ２は前記接続要求に基づく着信通知を含む外部ＩＰパケットを前記無線基地局Ｂ２に送信し、前記無線基地局Ｂ２は前記着信通知を前記端末Ｍ２に送信し、
前記端末Ｍ２は応答準備開始を知らせる呼出中通知を前記無線基地局Ｂ２に送信し、前記無線基地局Ｂ２は前記呼出中通知を含む外部ＩＰパケットを前記ＩＰ網に送信し、前記ＩＰ網は前記呼出中通知を含む外部ＩＰパケットを前記無線基地局Ｂ１に送信し、前記無線基地局Ｂ１は前記呼出中通知を前記端末Ｍ１に送信し、
前記端末Ｍ２は応答を知らせる応答通知を前記無線基地局Ｂ２に送信し、前記無線基地局Ｂ２は前記応答通知を含む外部ＩＰパケットを前記ＩＰ網に送信し、前記ＩＰ網は前記応答通知及び前記外部ＩＰアドレスＥＡＢ２を含む外部ＩＰパケットを前記無線基地局Ｂ１に送信し、前記無線基地局Ｂ１は前記応答通知を前記端末Ｍ１に送信し、
前記網ノード装置Ｎ１は、前記論理端子ＬＰＢ２を識別する情報を含む簡易カプセル化コードＲ１２を前記装置制御表Ｈ１に設定し、前記網ノード装置Ｎ２は、前記論理端子ＬＰＢ1を識別する情報を含む簡易カプセル化レコードＲ２１を前記装置制御表Ｈ２に設定し、
前記レコードＲ１２及びＲ２１により前記論理端子ＬＰＢ１及びＬＰＢ２の間の通信パスＰ１２が設定され、
前記端末Ｍ１は、音声又はデータを無線通信路ＲＣ１を経て無線基地局Ｂ１に送信し、前記無線基地局Ｂ１は、前記音声又はデータを含み、前記外部ＩＰアドレスＥＡＢ２を宛先アドレスとする外部ＩＰパケットＧＰ１を前記網ノード装置Ｎ１に送信し、前記網ノード装置Ｎ１は、前記簡易カプセル化レコードＲ１２を用いて前記外部ＩＰパケットＧＰ１がアドレス入力条件を満たすかを調べ、
前記アドレス入力条件が満たされると、前記外部ＩＰパケットＧＰ１を含み、前記内部アドレスＩＡＢ２ｘを宛先アドレスとする内部パケットＮＰ１を形成し、前記簡易カプセル化は外部外部ＩＰパケットに前記簡易ヘッダを付加することにより行われ、前記簡易ヘッダは宛先アドレスを含むがソースアドレスを含まず、前記網ノード装置Ｎ１は、前記内部パケットＮＰ１を前記通信パスＰ１２を経由して前記網ノード装置Ｎ２に送信し、前記網ノード装置Ｎ２は、前記簡易カプセル化レコードＲ２１を用い、前記内部パケットＮＰ１を簡易逆カプセル化して前記外部ＩＰパケットＧＰ１を復元し、前記簡易逆カプセル化は前記簡易ヘッダ付内部パケットから前記簡易ヘッダを除くことにより達成され、
前記復元した外部ＩＰパケットＧＰ１を前記論理端子ＬＰＢ２及び前記通信回線Ｌ２を経て前記無線基地局Ｂ２に送信し、前記無線基地局Ｂ２は前記無線通信路ＲＣ２経由で前記音声又はデータを前記端末Ｍ２に送信し、
前記端末Ｍ１が通信解放通知を前記無線基地局Ｂ１に送信し、前記無線基地局Ｂ１は前記通信解放通知を含む外部ＩＰパケットを前記ＩＰ網に送信すると、前記ＩＰ網は前記簡易カプセル化レコードＲ１２及びＲ２１を消去し、これにより前記通信パスＰ１２は抹消され、
ＩＰ網は、内部のドメイン名サーバを用いて、宛先端末の電話番号又はホスト名から、宛先端末との通信に関わるアドレス情報を取得して通信パスを設定し、通信レコードによるアドレス入力条件検査により通信安全性を高め、端末間通信を可能としたことを特徴とするＩＰ網を用いた通信システム。
【請求項１３９】
ＩＰ網は複数の網ノード装置を含み、無線基地局Ｂ１は通信回線Ｌ１を経て論理端子ＬＰＢ１で網ノード装置Ｎ１に接続され、端末Ｍ１は制御信号又はデータを無線通信路ＲＣ１経由で無線基地局Ｂ１に送受可能であり、端末Ｔ２は通信回線Ｌ２を経て論理端子ＬＰＴ２で網ノード装置Ｎ２に接続され、前記網ノード装置Ｎ１及びＮ２は前記ＩＰ網内部の通信回線で接続され、
前記網ノード装置Ｎ１は通信レコードＲ１を設定しており、前記網ノード装置Ｎ２は通信レコードＲ２を設定しており、端末Ｍ１は制御信号又はデータを無線通信路ＲＣ１経由で無線基地局Ｂ１に送受可能であり、端末Ｔ２は通信回線Ｌ２を経て論理端子ＬＰＴ２で網ノード装置Ｎ２に接続され、
外部ＩＰパケットが論理端子ＬＰから網ノード装置に入力すると、前記論理端子ＬＰを識別する識別情報及び前記外部ＩＰパケット内の宛先外部ＩＰアドレスの２組が前記網ノード装置内の通信レコードＲに含まれるかを調べるアドレス入力条件検査が行われるようになっており、
前記ＩＰ網内部では内部ＩＰパケットが転送され、内部ＩＰパケットは網ノード装置で外部パケットに復元されて外部通信回線に送出されるようになっており、
前記端末Ｍ１は電話番号又はホスト名を用いて前記端末Ｔ２に接続要求するため、接続要求及び前記端末Ｔ２の電話番号又はホスト名ＴＮＴ２を前記無線通信路ＲＣ１経由で前記無線基地局Ｂ１へ送信し、前記無線基地局Ｂ１は前記接続要求及び前記電話番号又はホスト名ＴＮＴ２を含む外部ＩＰパケットを前記ＩＰ網に送信し、
前記ＩＰ網は、前記電話番号又はホスト名ＴＮＴ２を前記ＩＰ網内部のドメイン名サーバＤＳに入力して、前記アドレス情報は前記宛先端末Ｔ２の外部ＩＰアドレスＥＡＴ２及び前記論理端子ＬＰＴ２の識別情報としての内部ＩＰアドレスＩＡＴ２を含み、
前記端末Ｔ２が着信可能であれば、前記ＩＰ網は着信通知を含む外部ＩＰパケットを前記端末Ｔ２に送信し、
前記端末Ｔ２は応答準備開始を知らせる呼出中通知を含む外部ＩＰパケットを前記ＩＰ網に送信し、前記ＩＰ網は前記呼出中通知を含む外部ＩＰパケットを前記無線基地局Ｂ１へ送信し、前記無線基地局Ｂ１は前記呼出中通知を前記端末Ｍ１に送信し、
前記端末Ｔ２は応答を知らせる応答通知を含む外部ＩＰパケットを前記ＩＰ網に送信し、前記ＩＰ網は前記応答通知及び前記外部ＩＰアドレスＥＡＴ２を含む外部ＩＰパケットを前記無線基地局Ｂ１へ送信し、前記無線基地局Ｂ１は前記応答通知を前記端末Ｍ１に送信し、
前記ＩＰ網は前記網ノード装置Ｎ１に対して通信レコードＲ１２の設定を指示し、前記網ノード装置Ｎ２に対して通信レコードＲ２１の設定を指示し、前記通信レコードＲ１２及びＲ２１は前記網ノード装置Ｎ１及びＮ２の間に内部ＩＰパケットが転送される通信パスＰ１２を定めており、
前記端末Ｍ１が音声又はデータを前記無線基地局Ｂ１に送信し、前記無線基地局Ｂ１が前記音声又はデータを含み前記端末Ｔ２の外部ＩＰアドレスＥＡＴ２を宛先アドレスとする外部ＩＰパケット１２を送信すると、前記外部ＩＰパケット１２は前記網ノード装置Ｎ１に到達し、前記通信レコードＲ１２のアドレス入力条件を満たすかが調べられ、
前記アドレス入力条件を満たすと、前記内部ＩＰアドレスＩＡＴ２を宛先アドレスとする内部ＩＰパケット１２に変換されて前記通信パスＰ１２を転送され、前記網ノード装置Ｎ２で前記通信レコードＲ２１が用いられ、逆ＩＰカプセル化されて復元された前記外部ＩＰパケット１２が前記端末Ｔ２に送信され、
前記端末Ｍ１が通信解放通知を前記無線基地局Ｂ１に送信し、前記無線基地局Ｂ１は前記通信解放通知を含む外部ＩＰパケットを前記ＩＰ網に送信し、
前記ＩＰ網は前記通信レコードＲ１２及び前記通信レコードＲ２１の抹消を指示して前記通信パスＰ１２が抹消され、
ＩＰ網は、内部のドメイン名サーバを用いて、宛先端末の電話番号又はホスト名から、宛先端末との通信に関わるアドレス情報を取得して通信パスを設定し、通信レコードによるアドレス入力条件検査により通信安全性を高め、端末間通信を可能としたことを特徴とするＩＰ網を用いた通信システム。
【請求項１４０】
ＩＰ網は複数の網ノード装置を含み、前記無線基地局Ｂ１は通信回線Ｌ１を経て論理端子ＬＰＢ１で網ノード装置Ｎ１に接続され、端末Ｔ２は通信回線Ｌ２を経て論理端子ＬＰＴ２で網ノード装置Ｎ２に接続され、前記網ノード装置Ｎ１及びＮ２は前記ＩＰ網内部の通信回線で接続され、端末Ｍ１は無線通信路ＲＣ１を経て無線基地局Ｂ１に接続され、
前記網ノード装置Ｎ１は装置制御表Ｈ１を含み、前記網ノード装置Ｎ２は装置制御表Ｈ２を含み、装置制御表Ｈ１及びＨ２はそれぞれの内部に複数のレコードを設定又は消去可能であり、
外部ＩＰパケットが論理端子ＬＰから網ノード装置に入力すると、前記論理端子ＬＰを識別する識別情報及び前記外部ＩＰパケット内の宛先外部ＩＰアドレスの２組が前記網ノード装置内の通信レコードＲに含まれるかを調べるアドレス入力条件検査が行われるようになっており、
前記端末Ｍ１は電話番号又はホスト名を用いて前記端末Ｔ２に接続を要求するため、接続要求及び前記宛先端末Ｔ２の電話番号又はホスト名ＴＮ２を含む外部ＩＰパケットを前記無線基地局Ｂ１経由で前記ＩＰに送信し、
前記ＩＰ網は、前記電話番号又はホスト名ＴＮＴ２を前記ＩＰ網内部のドメイン名サーバＤＳに入力して前記宛先端末Ｔ２との通信に関わるアドレス情報を取得し、前記アドレス情報は前記宛先端末Ｔ２の外部ＩＰアドレスＥＡＴ２及び前記論理端子ＬＰＴ２の識別情報としての内部ＩＰアドレスＩＡＴ２を含み、
前記網ノード装置Ｎ２は前記接続要求に基づく着信通知を含む外部ＩＰパケットを前記端末Ｔ２に送信し、
前記端末Ｔ２は応答準備開始を知らせる呼出中通知を含む外部ＩＰパケットを前記ＩＰ網に送信し、前記ＩＰ網は前記呼出中通知を含む外部ＩＰパケットを前記無線基地局Ｂ１経由で前記端末Ｍ１に送信し、
前記端末Ｔ２は応答を知らせる応答通知を含む外部ＩＰパケットを前記ＩＰ網に送信し、前記ＩＰ網は前記応答通知及び前記外部ＩＰアドレスＥＡＴ２を含む外部ＩＰパケットを前記無線基地局Ｂ１経由で前記端末Ｍ１に送信し、
前記網ノード装置Ｎ１は前記論理端子ＬＰＴ２を識別する情報を含むレコードＲ１２を前記装置制御表Ｈ１に設定し、前記網ノード装置Ｎ２は前記論理端子ＬＰＢ1を識別する情報を含むレコードＲ２１を前記装置制御表Ｈ２に設定し、前記レコードＲ１２及びＲ２１により前記論理端子ＬＰＢ１及びＬＰＴ２の間の通信パスＰ１２を設定し、
前記端末Ｍ１は音声又はデータを含み前記端末Ｔ２の外部ＩＰアドレスＥＡＴ２を宛先アドレスとする外部ＩＰパケットＧＰ１を送信すると、前記外部ＩＰパケットＧＰ１は、前記無線通信路ＲＣ１、無線基地局Ｂ１、前記通信回線Ｌ１を経て前記網ノード装置Ｎ１に入力し、前記網ノード装置Ｎ１は前記外部ＩＰパケットＧＰ１が前記レコードＲ１２のアドレス入力条件を満たすかを調べ、
前記アドレス入力条件が満たされると、前記外部ＩＰパケットＧＰ１を含み、前記内部ＩＰアドレスＩＡＴ２を宛先アドレスとする内部パケットＮＰ１を形成し、前記内部パケットＮＰ１を前記通信パスＰ１２を経て前記網ノード装置Ｎ２に送信し、前記網ノード装置Ｎ２は、前記レコードＲ１２を用いて前記内部パケットＮＰ１から前記外部ＩＰパケットＧＰ１を復元し、復元された前記外部ＩＰパケットＧＰ１は、前記論理端子ＬＰＴ２及び前記通信回線Ｌ２を経て前記端末Ｔ２に送信され、
前記端末Ｍ１は通信解放通知を含む外部ＩＰパケットを前記無線通信路ＲＣ１及び前記無線基地局Ｂ１経由で前記ＩＰ網に送信し、前記ＩＰ網は前記レコードＲ１２及びＲ２１を消去し、これにより前記通信パスＰ１２は抹消され、
ＩＰ網は、内部のドメイン名サーバを用いて、宛先端末の電話番号又はホスト名から、宛先端末との通信に関わるアドレス情報を取得して通信パスを設定し、通信レコードによるアドレス入力条件検査により通信安全性を高め、端末間通信を可能としたことを特徴とするＩＰ網を用いた通信システム。
【請求項１４１】
ＩＰ網は複数の網ノード装置を含み、前記無線基地局Ｂ１は通信回線Ｌ１及び論理端子ＬＰＢ１を経て網ノード装置Ｎ１に接続され、端末Ｔ２は通信回線Ｌ２及び論理端子ＬＰＴ２を経て網ノード装置Ｎ２に接続され、端末Ｍ１は無線通信路ＲＣ１を経て無線基地局Ｂ１に接続され、
前記網ノード装置Ｎ１及びＮ２は前記ＩＰ網内部の通信回線で接続され、前記網ノード装置Ｎ１は装置制御表Ｈ１を含み、前記網ノード装置Ｎ２は装置制御表Ｈ２を含み、装置制御表Ｈ１及びＨ２はそれぞれの内部に複数の簡易カプセル化レコードを設定又は消去可能であり、
外部ＩＰパケットが論理端子ＬＰから網ノード装置に入力すると、前記論理端子ＬＰを識別する識別情報及び前記外部ＩＰパケット内の宛先外部ＩＰアドレスの２組が前記網ノード装置内の通信レコードＲに含まれるかを調べるアドレス入力条件検査が行われるようになっており、
前記アドレス入力条件を満たさない外部ＩＰパケットは廃棄され、
前記端末Ｍ１は電話番号又はホスト名を用いて前記端末Ｔ２に接続を要求するため、接続要求及び前記宛先端末Ｔ２の電話番号又はホスト名ＴＮ２を前記無線基地局Ｂ１に送信し、前記無線基地局Ｂ１は前記接続要求を含む外部ＩＰパケットを前記ＩＰ網に送信し、前記ＩＰ網は、前記電話番号又はホスト名ＴＮ２を前記ＩＰ網内部のドメイン名サーバＤＳに入力して前記宛先端末Ｔ２との通信に関わるアドレス情報を取得し、前記アドレス情報は前記宛先端末Ｔ２の外部ＩＰアドレスＥＡＴ２及び前記論理端子ＬＰＴ２の識別情報としての簡易ヘッダに設定する内部ＩＰアドレスＩＡＴ２xを含み、
前記網ノード装置Ｎ２は前記接続要求に基づく着信通知を含む外部ＩＰパケットを前記端末Ｔ２に送信し、
前記端末Ｔ２は応答準備開始を知らせる呼出中通知を含む外部ＩＰパケットを前記ＩＰ網に送信し、前記ＩＰ網は前記呼出中通知を含む外部ＩＰパケットを前記無線基地局Ｂ１に送信し、前記無線基地局Ｂ１は前記呼出中通知を前記端末Ｍ１に送信し、
前記端末Ｔ２は応答を知らせる応答通知を含む外部ＩＰパケットを前記ＩＰ網に送信し、前記ＩＰ網は前記応答通知及び前記端末Ｔ２の外部ＩＰアドレスＥＡＴ２を含む外部ＩＰパケットを前記無線基地局Ｂ１に送信し、前記無線基地局Ｂ１は前記応答通知を前記端末Ｍ１に送信し、
前記網ノード装置Ｎ１は、前記論理端子ＬＰＴ２を識別する情報を含む簡易カプセル化レコードＲ１２を前記装置制御表Ｈ１に設定し、前記網ノード装置Ｎ２は、前記論理端子ＬＰＢ1を識別する情報を含む簡易カプセル化レコードＲ２１を前記装置制御表Ｈ２に設定し、前記レコードＲ１２及びＲ２１により前記論理端子ＬＰＢ１及びＬＰＴ２の間の通信パスＰ１２を設定し、
前記端末Ｍ１は音声又はデータを無線通信路ＲＣ１を経て無線基地局Ｂ１に送信し、前記無線基地局Ｂ１は、前記通信回線Ｌ１及び前記論理端子ＬＰＢ１を経て、前記音声又はデータを含み前記端末Ｔ２の外部ＩＰアドレスＥＡＴ２を宛先アドレスとする外部ＩＰパケットＧＰ１を前記網ノード装置Ｎ１に送信し、
前記網ノード装置Ｎ１は、前記簡易カプセル化レコードＲ１２を用いてアドレス入力条件を満たすかを調べ、
前記アドレス入力条件が満たされると、前記外部ＩＰパケットＧＰ１を含み前記内部アドレスＩＡＴ２ｘを宛先アドレスとする内部パケットＮＰ１を形成し、前記簡易カプセル化は、外部ＩＰパケットに前記簡易ヘッダを付加することにより行われ、前記簡易ヘッダは宛先アドレスを含むがソースアドレスを含まず、前記内部パケットＮＰ１を前記通信パスＰ１２を経由して前記網ノード装置Ｎ２に送信し、前記網ノード装置Ｎ２は前記簡易カプセル化レコードＲ２１を用いて前記内部パケットＮＰ１を簡易逆カプセル化して前記外部ＩＰパケットＧＰ１を復元し、前記簡易逆カプセル化は前記簡易ヘッダ付内部パケットから前記簡易ヘッダを除くことにより達成され、前記外部ＩＰパケットＧＰ１を前記論理端子ＬＰＴ２及び前記通信回線Ｌ２を経て前記端末Ｔ２に送信し、
前記端末Ｍ１は通信解放通知を前記無線基地局Ｂ１に送信し、前記無線基地局Ｂ１は通信解放通知を含む外部ＩＰパケットをＩＰ網に送信し、前記ＩＰ網は前記簡易カプセル化レコードＲ１２及びＲ２１を消去し、これにより前記通信パスＰ１２は抹消され、
ＩＰ網は、内部のドメイン名サーバを用いて、宛先端末の電話番号又はホスト名から、宛先端末との通信に関わるアドレス情報を取得して通信パスを設定し、通信レコードによるアドレス入力条件検査により通信安全性を高め、端末間通信を可能としたことを特徴とするＩＰ網を用いた通信システム。
【請求項１４２】
ＩＰ網は複数の網ノード装置を含み、無線基地局Ｂ１は通信回線Ｌ１を経て論理端子ＬＰＢ１で網ノード装置Ｎ１に接続され、端末Ｔ２は通信回線Ｌ２を経て論理端子ＬＰＴ２で網ノード装置Ｎ２に接続され、
前記無線基地局Ｂ１は、端末から得た制御信号又はデータを含む外部ＩＰパケットを形成して網ノード装置に送信する機能を有し、端末Ｍ１は、無線通信路ＲＣ１を経て前記無線基地局Ｂ１に接続され、
外部ＩＰパケットが論理端子ＬＰから網ノード装置に入力すると、前記論理端子ＬＰを識別する識別情報及び前記外部ＩＰパケット内の宛先外部ＩＰアドレスの２組が前記網ノード装置内の通信レコードＲに含まれるかを調べるアドレス入力条件検査が行われるようになっており、
前記アドレス入力条件を満たさない外部ＩＰパケットは廃棄され、
前記網ノード装置Ｎ１は通信レコードＲ１を設定しており、前記網ノード装置Ｎ２は通信レコードＲ２を設定しており、
端末間通信のために、前記端末Ｔ２は通信手順ＵＮＩ２が定める動作に従うようになっており、前記ＵＮＩ２の通信手順は複数のステップから成り、
前記端末Ｍ１は、電話番号又はホスト名を用いて前記端末Ｔ２に接続要求するため、前記端末Ｔ２の電話番号又はホスト名ＴＮＴ２を含む接続要求を前記無線基地局Ｂ１に送信し、前記無線基地局Ｂ１は接続要求を含む外部ＩＰパケットを前記ＩＰ網に送信し、前記外部ＩＰパケットは前記通信通信レコードＲ１のアドレス入力条件を満たすと内部ＩＰパケットに変換され、
前記ＩＰ網は、前記ＴＮＴ２を前記ＩＰ網内部のドメイン名サーバＤＳに入力して、前記宛先端末Ｔ２との通信に適用する前記通信手順ＵＮＩ２、及び前記宛先端末Ｔ２との通信に関わるアドレス情報を取得し、前記アドレス情報は前記端末Ｔ２の外部ＩＰアドレスＥＡＴ２及び前記論理端子ＬＰＴ２の識別情報としての内部ＩＰアドレスＩＡＴ２を含み、
前記ＩＰ網は、前記通信手順ＵＮＩ２の通信手順に従い、前記端末Ｔ２が着信可能であれば着信通知を含む外部ＩＰパケットを前記端末Ｔ２に送信し、
前記移動端末Ｔ２は、応答準備開始を知らせる呼出中通知を含む外部ＩＰパケットを前記ＩＰ網に送信し、前記ＩＰ網は、前記ＵＮＩ２の手順に従って前記呼出中通知を受信し、前記ＩＰ網は、前記呼出中通知を含む外部ＩＰパケットを前記無線基地局Ｂ１に送信し、前記無線基地局Ｂ１は前記呼出中通知を前記端末Ｍ１に送信し、
前記端末Ｔ２は応答を知らせる応答通知を前記ＩＰ網に送信し、前記ＩＰ網は前記ＵＮＩ２の手順に従って前記応答通知を受信し、前記ＩＰ網は、前記応答通知及び前記外部ＩＰアドレスＥＡＴ２を含む外部ＩＰパケットを前記無線基地局Ｂ１に送信し、前記無線基地局Ｂ１は前記応答通知を前記端末Ｍ１に送信し、
前記ＩＰ網は前記網ノード装置Ｎ１に対して通信レコードＲ１２の設定を指示し、前記網ノード装置Ｎ２に対して通信レコードＲ２１の設定を指示し、前記通信レコードＲ１２及びＲ２１は前記網ノード装置Ｎ１及びＮ２の前記論理端子ＬＰＢ１及びＬＰＴ２の間に内部パケットが転送される通信パスＰ１２を定め、
前記端末Ｍ１は音声又はデータを無線基地局Ｂ１に送信し、前記無線基地局Ｂ１は前記音声又はデータを含み、外前記外部ＩＰアドレスＥＡＴ２を宛先アドレスとする外部ＩＰパケットＧＰを形成して送信し、前記外部ＩＰパケットＧＰは前記網ノード装置Ｎ１に到達し、前記通信レコードＲ１２のアドレス入力条件を満たすかを調べられ、
前記アドレス入力条件を満たすとカプセル化され、前記内部ＩＰアドレスＩＡＴ２を宛先アドレスとする内部パケットＮＰに変換されて前記通信パスＰ１２を転送され、前記網ノード装置Ｎ２で逆カプセル化されて復元された前記外部ＩＰパケットＧＰは、前記通信回線Ｌ２を経て前記端末Ｔ２に送信され、
前記端末Ｍ１は通信解放通知を前記無線基地局Ｂ１に送信し、前記無線基地局Ｂ１は通信解放通知を含む外部ＩＰパケットをＩＰ網に送信し、
前記ＩＰ網は、前記網ノード装置Ｎ１、Ｎ２に前記通信レコードＲ１２及びＲ２１の抹消を指示して、前記通信パスＰ１２を抹消し、
ＩＰ網は、宛先端末の電話番号又はホスト名を基に宛先端末と通信するためのＵＮＩ手順を定め、前記ＵＮＩ手順で宛先端末と通信を行い、ＩＰ網は、内部のドメイン名サーバを用いて、宛先端末の電話番号又はホスト名から、宛先端末との通信に関わるアドレス情報を取得して通信パスを設定し、通信レコードによるアドレス入力条件検査により通信安全性を高め、端末間通信を可能としたことを特徴とするＩＰ網を用いた通信システム。